(57)【要約】      （修正有）【課題】衣服などの品目に高い効率で付着し、種々の香料タイプが使用できるシリコーン化合物の提供。【解決手段】多様な反応部位タイプ及び数に適合でき、より疎水性の担体であるシリコーンに、香料などの特定の構造を持つ基を結合させたシリコーン化合物。【選択図】なし【特許請求の範囲】
【請求項１】
シリコーン部分及び有益剤部分を含むシリコーン化合物であって、好ましくは前記シリコーン化合物が下記の式を有する、シリコーン化合物。
［Ｒ１Ｒ２Ｒ３ＳｉＯ１／２］（ｊ＋２ｌ＋２）［Ｒ４Ｒ５ＳｉＯ２／２］ｍ［Ｒ６ＳｉＯ３／２］ｊ［ＳｉＯ４／２］ｌ
式中、
ａ）ｊは、０〜１５０、好ましくは１〜１５０、より好ましくは０〜５０、最も好ましくは０〜２０の整数であり；
ｂ）ｍは、０〜１５００、好ましくは１〜１５００、より好ましくは２０〜１０００、最も好ましくは２０〜４００の整数であり；
ｃ）ｌは、０〜１５０、好ましくは１〜１５０、より好ましくは０〜５０、最も好ましくは０〜２０の整数であるが；
但し、ｊ＋ｍ＋ｌは、１以上の整数に等しく、部分Ｒ１〜Ｒ６のうちの少なくとも１つ＝Ｘ−Ｚであることを条件とし；
ｄ）Ｒ１、Ｒ２、Ｒ３、Ｒ４、Ｒ５及びＲ６部分のそれぞれは、Ｈ、ＯＨ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリール、Ｃ１〜Ｃ３２アルコキシ及びＣ１〜Ｃ３２置換アルコキシ並びにＸ−Ｚからなる群から独立して選択され、好ましくは各Ｒ１〜６は、ＯＨ、Ｃ１〜Ｃ２アルキル、Ｃ１〜Ｃ２置換アルキル、Ｃ１〜Ｃ２アルコキシ、Ｃ１〜Ｃ２置換アルコキシ及びＸ−Ｚからなる群から独立して選択され；
（ｉ）各Ｘは、独立して、酸素、又は２〜１２個の炭素原子を含む置換若しくは非置換二価アルキレンラジカルであり、好ましくは各Ｘは、独立して、酸素、又は２〜６個の炭素原子を含む置換若しくは非置換二価アルキレンラジカルであり、最も好ましくは各Ｘは、独立して、酸素、又は２〜４個の炭素原子を含む置換若しくは非置換二価アルキレンラジカルであり；Ｘが、２〜１２個の炭素原子を含む置換又は非置換二価アルキレンラジカルを含む場合；
（ｉｉ）各Ｚは、以下からなる群から独立して選択され：Ｒ９、
【化１】
2018199824.tif 000069
各Ｒ７は、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ５〜Ｃ３２置換アルキルアリールからなる群から独立して選択され；
各Ｒ８は、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ５〜Ｃ３２置換アルキルアリールからなる群から独立して選択され；
各Ｒ９は、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ５〜Ｃ３２置換アルキルアリールからなる群から独立して選択され、好ましくはＲ９は、Ｘに共有結合した一級、二級又は三級炭素を含み、より好ましくはＲ９は、Ｘに共有結合した一級又は二級炭素を含み、最も好ましくはＲ９は、Ｘに共有結合した一級炭素を含み；
各Ｙは、独立して、２〜１２個の炭素原子を含む置換又は非置換二価アルキレンラジカルであり、好ましくは各Ｙは、独立して、２〜６個の炭素原子を含む置換又は非置換二価アルキレンラジカルであり、最も好ましくは各Ｙは、２〜４個の炭素原子を含む置換又は非置換二価アルキレンラジカルであるが；
但し、少なくとも１つのＺ部分は、Ｒ９、又はＲ８を含むＺ部分であり、Ｘ−Ｚ部分のそれぞれに関してＸが酸素の場合、前記Ｘ−Ｚ部分のＺ部分は、Ｒ９であることを条件とし；
好ましくは、各Ｚは、以下からなる群から独立して選択され：
【化２】
2018199824.tif 000070
最も好ましくは、各Ｚは、以下からなる群から独立して選択され：
【化３】
2018199824.tif 000071
好ましくは、少なくとも１つのＺが、以下から選択され：
【化４】
2018199824.tif 000072
前記少なくとも１つのＺのイミン部分に共有結合したＲ７部分がＨではない場合、前記少なくとも１つのＺ部分に関して、前記少なくとも１つのＺのイミン部分に共有結合した前記Ｒ７及びＲ８部分は、一級、二級又は三級炭素を介して前記イミン部分に結合し、好ましくは、前記少なくとも１つのＺのイミン部分に共有結合したＲ７又はＲ８の少なくとも１つは、一級炭素を介して前記イミン部分に結合し、より好ましくは、前記少なくとも１つのＺのイミン部分に共有結合したＲ７及びＲ８は、一級炭素を介して前記イミン部分に結合し、
好ましくは、前記少なくとも１つのＺのイミン部分に共有結合したＲ７部分はＨであり、前記少なくとも１つのＺのイミン部分に共有結合したＲ８部分は、炭素−炭素二重結合における炭素原子でもある炭素原子を介して前記イミン部分に結合している。
【請求項２】
各Ｚが以下からなる群から独立して選択され：Ｒ９、
【化５】
2018199824.tif 000073
好ましくは、各Ｚが以下からなる群から独立して選択され：
【化６】
2018199824.tif 000074
最も好ましくは、各Ｚが以下からなる群から独立して選択される：
【化７】
2018199824.tif 000075
請求項１に記載のシリコーン化合物。
【請求項３】
少なくとも１つのＸ＝酸素である、請求項１又は２に記載のシリコーン化合物。
【請求項４】
ａ）ｊが、０〜１５０、好ましくは１〜１００、より好ましくは１〜４０の整数であり；
ｂ）ｌが、０〜１５０、好ましくは０〜５０、より好ましくは０〜２０の整数であり；
ｃ）ｍが、０〜１５００の整数、好ましくは２０〜１０００の整数、より好ましくは２０〜４００の整数である、請求項１〜３のいずれか一項に記載のシリコーン化合物。
【請求項５】
少なくとも１つのＺ部分が以下である、請求項１〜４のいずれか一項に記載のシリコーン化合物：
【化８】
2018199824.tif 000076
【請求項６】
各Ｘが、独立して、２〜１２個の炭素原子を含む置換又は非置換二価アルキレンラジカルであり、好ましくは各Ｘが、独立して、２〜６個の炭素原子を含む置換又は非置換二価アルキレンラジカルであり、最も好ましくは各Ｘが、２〜４個の炭素原子を含む置換又は非置換二価アルキレンラジカルであり；各Ｚが、以下から独立して選択され：
【化９】
2018199824.tif 000077
好ましくは各Ｚが、以下から独立して選択され：
【化１０】
2018199824.tif 000078
より好ましくは各Ｚが、以下から独立して選択され：
【化１１】
2018199824.tif 000079
ｊが、０〜１５０、好ましくは１〜１００、より好ましくは０〜４０の整数であり；
ｌが、０〜１５０、好ましくは０〜５０、より好ましくは０〜２０の整数であり；ｍが、０〜１５００、好ましくは２０〜１０００、より好ましくは２０〜４００の整数である、請求項１、２、４及び５のいずれか一項に記載のシリコーン化合物。
【請求項７】
ａ）ｊが０であり；
ｂ）ｍが、２５０〜７５０、好ましくは３２５〜６７５、より好ましくは４００〜６００の整数であり；
ｃ）ｌが０であるが；
但し、ｊ＋ｍ＋ｌは、１以上の整数に等しく、部分Ｒ１〜Ｒ６のうちの少なくとも１つ＝Ｘ−Ｚであることを条件とし；
ｄ）Ｒ１、Ｒ２、Ｒ３、Ｒ４のそれぞれが、Ｃ１アルキルであり；Ｒ５部分の９９．３％〜９９．７％、好ましくは９９．４％〜９９．６％、より好ましくは９９．４５％〜９９．５５％がＣ１アルキル部分であり；残りのＲ５部分は、Ｘ−Ｚ部分であり；
（ｉ）各Ｘが、３個の炭素原子を含む非置換二価アルキレンラジカルであり；
（ｉｉ）各Ｚが、以下からなる群から独立して選択される、請求項１に記載のシリコーン化合物。
【化１２】
2018199824.tif 000080
【請求項８】
前記有益剤部分が、シリコーン、香料原料、防臭剤、臭い中和剤、悪臭、精油、エーテル、エステル、ケトン、アルコール、グリコール、シリコーン炭化水素、環式炭化水素、アルデヒド、テルピン、殺虫剤、防虫剤、農薬、抗菌剤、抗真菌剤、除草剤及びこれらの混合物からなる群から選択される有益剤のフラグメントであり、好ましくは前記有益剤部分が、３０Ｄａ〜５００Ｄａの分子量、及び／又は−２．０〜８．０のＣＬｏｇＰ；好ましくは−２．０〜７．０のＣＬｏｇＰ；より好ましくは−２．０〜５．０のＣＬｏｇＰを有する有益剤のフラグメントである、請求項１〜７のいずれか一項に記載のシリコーン化合物。
【請求項９】
前記有益剤部分が、ビニルエーテル、ケトン、ヒドロキシル、アルデヒド、チオール、カルボキシル、シラノール、アルコキシ、アセトキシ及びこれらの混合物からなる群から選択される部分を含む有益剤のフラグメントであり、好ましくは前記有益剤部分が、ケトン、ヒドロキシル、アルデヒド、チオール、アルコキシ、及びこれらの混合物からなる群から選択される部分を含む有益剤のフラグメントであり、最も好ましくは前記有益剤部分が、ケトン、ヒドロキシル、アルデヒド及びこれらの混合物からなる群から選択される部分を含む有益剤のフラグメントである、請求項１〜８のいずれか一項に記載のシリコーン化合物。
【請求項１０】
前記有益剤部分が、ゲラニオール、メントール、（Ｅ，Ｚ）−２，６−ノナジエン−１−オール、３，６−ノナジエン−１−オール、２，２−ジメチル−３−（３−メチルフェニル）プロパン−１−オール、２−メチル−３−［（１，７，７−トリメチルビシクロ［２．２．１］ヘプタ−２−イル）オキシ］プロパン−１−オール、２−メチル−４−［（１Ｒ）−２，２，３−トリメチル−３−シクロペンテン−１−イル］−（２Ｅ）−ブテン−１−オール、エチルトリメチルシクロペンテンブテノール、１−（４−プロパン−２−イルシクロヘキシル）エタノール、１−（２，２，６−トリメチルシクロヘキシル）ヘキサン−３−オール、（Ｚ）−３−メチル−５−（２，２，３−トリメチル−１−シクロペンタ−３−エニル）ペンタ−４−エン−２−オール、ウンデカベルトール、メチルジヒドロジャスモネート、（Ｅ，Ｚ）−２，６−ノナジエン−１−アール、カシュメラン、イソシクロシトラール、トリプラール、ネオブテノンα、δダマスコン、α−ピニルイソブチルアルデヒド、バニリン、リリアール、イントレレベン（intreleven）アルデヒド、ヘキシルシンナミックアルデヒド、アドキサール、デュピカル、リラール、２−トリデセナール、メチル−ノニル−アセトアルデヒド、４−ｔｅｒｔ−ブチルベンズアルデヒド、ジヒドロシトロネラール、シトラール、シトロネラール、イソシクロシトラール、２，４，６−トリメトキシベンズアルデヒド、クミンアルデヒド、２−メチルオクタナール、パラトリルアセトアルデヒド、ｏ−アニスアルデヒド、アニスアルデヒド、ヘキシルアルデヒド、２−メチルペナナール（penanal）、ベンズアルデヒド、トランス−２−ヘキセナール、ノニルアルデヒド、ラウリンアルデヒド、βイオノン、コアボン（koavone）、タバノンクール（tabanone coeur）、ジンゲロン、Ｌ−カルボン、イオノンγメチル、ネクタリル、トリモフィックスＯ、ファルネソール、（Ｅ）−２−エチル−４−（２，２，３−トリメチル−１−シクロペンタ−３−エニル）ブタ−２−エン−１−オール、２−メチル−４−［（１Ｒ）−２，２，３−トリメチル−３−シクロペンテン−１−イル］−（２Ｅ）−ブテン−１−オール、ネロール（８００）、エチルバニリン、４−（５，５，６−トリメチルビシクロ［２．２．１］ヘプタ−２−イル）シクロヘキサン−１−オール、オクタリノール（octalynol）９６７５４４、（Ｅ）−３，３−ジメチル−５−（２，２，３−トリメチル−３−シクロペンテン−１−イル）−４−ペンテン−２−オール、３−メチル−４−フェニルブタン−２−オール、オイゲノール、１−（２，２，６−トリメチルシクロヘキシル）ヘキサン−３−オール、プロペニルグエトール、２−エトキシ−４−メチルフェノール、シクロペントールＨＣ  ９３７１６５、３，７，１１−トリメチル−１，６，１０−ドデカトリエン−３−オール、セドロール原油、３，７−ジメチル−１，６−ノナジエン−３−オール（シス＆トランス）、１−メチル−３−（２−メチルプロピル）シクロヘキサノール、３，７−ジメチル−１，６−オクタジエン−３−オール、２−（４−メチル−１−シクロヘキサ−３−エニル）プロパン−２−オール、シクロヘキサンプロパノール、２，２−ジメチル−、３，７���ジメチル−１−オクテン−７−オール、メチルイオノン、イソジャスモンＢ  １１、α−ダマスコン、β−ダマスコン、フレウラモン、３−エトキシ−４−ヒドロキシベンズアルデヒド、ホルミルトリシクロデカン、６−メトキシジシクロペンタジエンカルボキシアルデヒド、ウンデシレンアルデヒド、４−ヒドロキシ−３−メトキシベンズアルデヒド、８−、９及び１０−ウンデセナール、異性体の混合物、トランス−４−デセナール、４−ドデセナール、４−（オクタヒドロ−４，７−メタノ−５Ｈ−インデン−５−イリデン）ブタナール、３−シクロヘキセン−１−プロパナール、β，４−ジメチル−、マンダリンアルデヒド１０％  ＣＩＴＲ  ９６５７６５及び４，８−ジメチル−４，９−デカンジエナール並びにこれらの混合物からなる群から選択される有益剤のフラグメントである、請求項１〜９のいずれか一項に記載のシリコーン化合物。
【請求項１１】
前記有益剤部分が、２−ブテン−１−オン、１−（２，６，６−トリメチル−３−シクロヘキセン−１−イル）−；（１−（２，６，６−トリメチル−２−シクロヘキセン−１−イル）−２−ブテン−１−オン）；２−ブテン−１−オン、１−（２，６，６−トリメチル−２−シクロヘキセン−１−イル）−、（Ｅ）−；（１−（２，６，６−トリメチル−１−シクロヘキセン−１−イル）−２−ブテン−１−オン）；２−ブテン−１−オン、１−（２，６，６−トリメチル−１−シクロヘキセン−１−イル）−、（Ｅ）−；２−ブテン−１−オン、１−（２，６，６−トリメチル−１，３−シクロヘキサジエン−１−イル）−；１，１，２，３，３−ペンタメチル−２，５，６，７−テトラヒドロインデン−４−オン；１−（５，５−ジメチル−１−シクロヘキセニル）ペンタ−４−エン−１−オン；３−シクロヘキセン−１−カルボキシアルデヒド、ジメチル−；３−シクロヘキセン−１−カルボキシアルデヒド、２，４，６−トリメチル−；シクロヘキサンメタノール、α，３，３−トリメチル−、ホルメート；エチル２メチルペンタノエート；２−（２−（４−メチル−３−シクロヘキセン−１−イル）プロピル）シクロ−ペンタノン；２−ヘキシル−２−シクロペンテン−１−オン（主成分）；メチル２，６，１０−トリメチル−２，５，９−シクロドデカトリエン−１−イルケトン；α−イソメチルイオノン；５−（２，６，６−トリメチル−２−シクロヘキセン−１−イル）−３−メチル−３−ブテン−２−オン；２−ヘプチルシクロペンタノン；３−（ヒドロキシメチル）ノナン−２−オン（及び異性体）；３，７，１１−トリメチル−２，６，１０−ドデカトリエン−１２−オール；２，６，１０−ドデカトリエン−１−オール、３，７，７，１１−トリメチル−；ファルネソール；ファルネシルアルコール；３，７，１１−トリメチル−２，６，１０−ドデカトリエン−１−オール；３，７，１１−トリメチル−２，６，１０−ドデカトリエノール；トリメチル−２，６，１０−ドデカトリエン−１−オール；（２Ｅ，６Ｅ）−３，７，１１−トリメチル−２，６，１０−ドデカトリエン−１−オール；α−ファルネソール；α−ファルネソール；３，７，１１−トリメチルドデカ−２，６，１０−トリエン−１−オール；３，７，１１−トリメチル−２，６，１０−ドデカトリエン−１−オール（ファルネソール）；（Ｅ）−α−ファルネソール；（１−メチル−２−（１，２，２−トリメチルビシクロ［３．１．０］−ヘキサ−３−イルメチル）シクロプロピル）メタノール（ジアステレオ異性体の混合物）；２−メチル−３−｛（１，７，７−トリメチルビシクロ｛２．２．１｝ヘプタ−２−イル）オキシ｝エキソ−１−プロパノール及び異性体；２−メチル−４−（２，２，３−トリメチルシクロペンタ−３−エン−１−イル）ブタン−１−オール；２−メチル−４−（２，２，３−トリメチル−３−シクロペンテン−１−イル）−２−ブタン−１−オール；２−エチル−４−（２，２，３−トリメチル−３−シクロ−ペンテン−１−イル）−２−ブテン−１−オール；２−エチル−４−（２，２，３−トリメチル−３−シクロペンテン−１−イル）−２−ブテン−１−オール；Ｂ−エチル−２，２，３−��リメチル−３−シクロペンテン−１−ブタ−２−エノール；エチルトリメチルシクロペンテンブテノール；シクロヘキサンメタノール、４−（１−メチルエチル）−、シス−；４−イソプロピルシクロヘキサンメタノール；２−メチル−５−フェニルペンタン−１−オール；ａ３−メチル−５−フェニルペンタノール；３−メチル−５−フェニル−１−ペンタノール；９−デセン−１−オール；９−デセノール；２−メチル−４−（２，２，３−トリメチル−３−シクロペンテン−１−イル）−２−ブテン−１−オール；２−ブテン−１−オール，２−メチル−４−（２，２，３−トリメチル−３−シクロペンテン−１−イル）−；２−ブテン−１−オール、２−メチル−４−（２，２，３−トリメチル−３−シクロペンテン−１−イル）−；３−シクロヘキセン−１−プロパノールγ４−ジメチル−；２，２−ジメチル−３−（３−メチルフェニル）プロパン−１−オール；３，７−ジメチル−６−オクテン−１−オール、（−）−シトロネロール；ロジノール；（２Ｅ，６Ｚ）−ノナ−２，６−ジエン−１−オール；２−［（１，７，７−トリメチルビシクロ［２．２．１］ヘプタ−２−イル）オキシ］−エタノール；２，４，６−トリメチル−３−シクロヘキセン−１−メタノール；３，７−ジメチル−トランス−２，６−オクタジエン−１−オール；３，７−ジメチル−２，６−オクタジエン−１−オール（異性体）；トランス−ゲラニオール；グアニオール（Guaniol）；レモノール；トランス−３，７−ジメチル−２，６−オクタジエン−１−オール；ゲラニオールアルコール；ゲラニオールエクストラ；ゲラニルアルコール；２，６−ジメチル−トランス−２，６−オクタジエン−８−オール；２，６−オクタジエン−１−オール、３，７−ジメチル−、トランス−；３，７−ジメチル−トランス−２，６−オクタジエン−１−オール；（Ｅ）−３，７−ジメチル−２，６−オクタジエン−１−オール；メラノール（Meranol）；トランス−３，７−ジメチルオクタ−２，６−ジエン−１−オール；（２Ｅ）−３，７−ジメチル−２，６−オクタジエン−１−オール；ネロール；ネリルアルコール；トランス−３，７−ジメチル−２，６−オクタジエン−１−オール（ゲラニオール）；ｔ−ゲラニオール；（Ｅ）−ゲラニオール；（Ｅ）−３，７−ジメチル−２，６−オクタジエン−１−オール；ゲラニオール（Ｅ）；ジヒドロシンナミックアルコール；３−フェニルプロパノール；ベンゼンプロパノール；１−プロペナール、３−フェニル−；γ−フェニルプロパノール；γ−フェニルプロピルアルコール；（３−ヒドロキシプロピル）ベンゼン；ヒドロシンナミックアルコール；ヒドロシンナミルアルコール；３−フェニル−ｎ−プロパノール；３−フェニル−１−プロパノール；３−フェニルプロピルアルコール；３−ベンゼンプロパノール；フェニルプロピルアルコール；１−ヒドロキシ−３−フェニルプロパン；３−フェニルプロパン−１−オール；フェニルプロピル（Phenylpropylic）アルコール；シンナミックアルコール；３−フェニル−２−プロペン−１−オール；シンナミルアルコール；γ−フェニルアリルアルコール；フェニル−２−プロペン−１−オール；スチロン；スチリルカルビノール；３−フェニルア��ルアルコール；１−フェニル−１−プロペン−３−オール；３−フェニル−２−プロペン−１−オール；３−フェニル−２−プロペノール；アルコールスコリコビー（Alkohol skoricovy）；３−フェニル（Fenyl）−２−プロペン−１−オール；ペルビン；フェニル−２−プロペノール；フェニルアリルアルコール；（２Ｅ）−３−フェニル−２−プロペン−１−オール；３−フェニルプロパ−２−エン−１−オール；２−プロペン−１−オール、３−フェニル−；２−ヘキセン−１−オール、（Ｅ）−；トランス−２−ヘキセン−１−オール；トランス−２−ヘキセノール；２−ヘキセノール；２−ヘキセン−１−オール、トランス−；（２Ｅ）−２−ヘキセン−１−オール；（Ｅ）−２−ヘキセノール；（Ｅ）−ヘキサ−２−エン−１−オール；（Ｅ）−ヘキサ−２−エノール：（Ｅ）−２−ヘキセン−１−オール；ヘキサ−２（Ｅ）−エノール；ｔ−２−ヘキセン−１−オール；２−（Ｅ）−ヘキセノール；トランス−ヘキサ−２−エン−１−オール；４−（５，５，６−トリメチルビシクロ［２．２．１］ヘプタ−２−イル）シクロヘキサン−１−オール（及び異性体、ＩＰＭ中の８５％溶液）；１−ナフタレノール、１，２，３，４，４ａ，５，８，８ａ−オクタヒドロ−２，２，６，８−テトラメチル−；３−メチル−５−（２，２，３−トリメチル−３−シクロペンテン−１−イル）−４−ペンテン−２−オール；４−メチル−３−デセン−５−オール；４−ペンテン−２−オール、３，３−ジメチル−５−（２，２，３−トリメチル−３−シクロペンテン−１−イル）−；３−メチル−４−フェニルブタン−２−オール；２−メトキシ−４−アリルフェノール；シクロヘキサンプロパノール、２，２，６−トリメチル−α−プロピル−；１−（２，２，６−トリメチルシクロヘキシル）ヘキサン−３−オール；５−プロペニル−２−エトキシフェノール；１−（４−イソプロピル−シクロヘキシル）エタノール；１−（４−イソプロピルシクロヘキシル）−エタノール；２−ペンチルシクロペンタン−１−オール；２−ペンチルシクロペンタノール；３，７，１１−トリメチル−１，６，１０−ドデカトリエン−３−オール；セドロール原油；３，７−ジメチル−７−ヒドロキシオクタン−１−アールジメチルアセタール；４−メチル−２−（２−メチルプロピル）テトラヒドロ−２Ｈ−ピラン−４−オール；Ｆｌｏｒｏｌ（登録商標）９６６４５８；２，５，５−トリメチル−オクタヒドロナフタレン−２−オール；ａ２，５，５−トリメチル−１，２，３，４，４α，５，６，７−オクタヒドロ−２−ナフタレノール；４−メチル−１−イソプロピル−３−シクロヘキセン−１−オール；３，７−ジメチル−１，６−ノナジエン−３−オール（シス＆トランス）；１−メチル−３−（２−メチルプロピル）シクロヘキサノール；４−フェニル−２−メチル−２−ブタノール；３，７−ジメチルオクタン−１，７−ジオール；１−メチル−４−イソプロピルシクロヘキサン−８−オール；３，７−ジメチル−１，６−オクタジエン−３−オール；ａ３，７−ジメチル−４，６−オクタジエン−３−オール；２−（４−メチル−１−シクロヘキサ−３−エニル）−プロパン−２−オール；ｐ−メンタン−８−オール；１−フェニル−２−メチル−２−プロパノール；α，α−ジメチルベンジルカルビノール；ベンゼンエタノール、α，α−ジメチル−シクロヘキサンプロパノール、２，２−ジメチル−；２，６−ジメチル−７−オクテン−２−オール；２−メチル−６−メチレンオクタ−７−エン−２−オール、ジヒドロ誘導体；７−オクテン−２−オール、２，６−ジメチル−；２，６−ジメチル−７−オクテン−２−オール；３，７−ジメチル−１−オクテン−７−オール；２，６−ジメチル−オクタ−７−エン−２−オール；ミルセノール、６，１０−ジヒドロ；３，７−ジメチルオクタン−３−オール；２，６−ジメチル−２−オクタノール；２，６−ジメチル−２−ヘプタノール；３−エトキシ−４−ヒドロキシベンズアルデヒド；オクタヒドロ−１Ｈ−４，７−メタノインデン−５−カルバルデヒド；４，７−メタノ−１Ｈ−インデン−２−カルボキシアルデヒド、オクタヒドロ−５−メトキシ−；６−メトキシジシクロペンタジエンカルボキシアルデヒド；８−メトキシトリシクロ（５．２．２．１）デカン−４−カルボキシアルデヒド；オクタヒドロ−５−メトキシ−４，７−メタノ−１Ｈ−インデン−２−カルボキシアルデヒド；１０−ウンデセン−１−アール；ウンデセンアルデヒド；ｎ−ウンデセンアルデヒド；ヘンデセン−１０−アール；４−ヒドロキシ−３−メトキシベンズアルデヒド；８−、９及び１０−ウンデセナール、異性体の混合物；トランス−４−デセナール；α−ヘキシル−；α−ｎ−ヘキシル−β−フェニルアクロレイン；２−ヘキシル−３−フェニル−２−プロペナール；２−ヘキシル−３−フェニル−プロペナール；（２Ｚ）−２−ヘキシル−３−フェニル−２−プロペナール；ヘキシル−３−フェニル−プロペナール；ｎ−ヘキシルシンナムアルデヒド；２Ｅ−２−ベンジリデンオクタナール；２−［（Ｅ）−ベンジリデン］オクタナール；４−ドデセナール；４−（オクタヒドロ−４，７−メタノ−５Ｈ−インデン−５−イリデン）ブタナール；３−シクロヘキセン−１−プロパナール、β、４−ジメチル−；トランス−２−ドデセナール；４，８−ジメチル−４，９−デカジエナール；ヒドロキシミラク（Hydroxymyrac）アルデヒド；４−（４−ヒドロキシ−４−メチル−ペンチル）−３−シクロヘキセン−１−カルボキシアルデヒド；リラール；コバノール（Kovanol）；２−ヘキセナール、（Ｅ）−；２−ヘキセン−
１−オール；３−ヘキセン−１−オール；ベンズアルデヒド；ベンゼンアセトアルデヒド；ベンゼンアセトアルデヒド、α−メチル−；３−シクロヘキセン−１−カルボキシアルデヒド、３，５−ジメチル−；ベンズアルデヒド、４−メトキシ−；２−シクロヘキセン−１−オン、２−メチル−５−（１−メチルエテニル）−、（Ｒ）−；エタノール、２，２’−オキシビス−；安息香酸、２−アミノ−、メチルエステル；４，７−メタノ−１Ｈ−インデン−６−オール、３ａ，４，５，６，７，７ａ−ヘキサヒドロ−、アセテート；オクタナール、７−ヒドロキシ−３，７−ジメチル−；２（３Ｈ）−フラノン、５−エチルジヒドロ−；フェノール、４−メチル−；ビシクロ［２．２．１］ヘプタン−２−オン、１，７，７−トリメチル−、（１Ｒ）−；２Ｈ−ピラン、３，６−ジヒドロ−４−メチル−２−（２−メチル−１−プロペニル）−；ベンゼンエタノール、β−メチル−；ベンゼンエタノール、α，α−ジメチル−；安息香酸、２−（メチルアミノ）−、メチルエステル；２−プロペナール、３−フェニル−；４Ｈ−ピラン−４−オン、２−エチル−３−ヒドロキシ−；２−ヘプタノン；３−オクタノン；２−オクタノン；ヘプテノン、メチル−；１−ヘプタノール；５−ヘプテン−２−オン、６−メチル−；エタノール、２−（２−メトキシエトキシ）−；シクロヘキサンエタノール；３−オクテン−１−オール、（Ｚ）−；３−シクロヘキセン−１−カルボキシアルデヒド、３，６−ジメチル−；３−シクロヘキセン−１−カルボキシアルデヒド、３，６−ジメチル−；オクタナール、７−メトキシ−３，７−ジメチル−；リナロールオキシド；ベンゼンプロパナール、β−メチル−；４，７−メタノ−１Ｈ−インデンカルボキシアルデヒド、オクタヒドロ−；２−ブタノン、４−フェニル−；エタノン、１−（４−メトキシフェニル）−；１，４−メタノナフタレン−５（１Ｈ）−オン、４，４ａ，６，７，８，８ａ−ヘキサヒドロ−；ベンゼンプロパノール；エタノール、２−フェノキシ−；１Ｈ−インドール；１，３−ジオキソラン、２−（フェニルメチル）−；２Ｈ−１−ベンゾピラン−２−オン、３，４−ジヒドロ−；オクタナール；５−ヘプテナール、２，６−ジメチル−；オクタナール、３，７−ジメチル−；２−ノネナール；６−オクテナール、３，７−ジメチル−；シクロヘキサノール、１−メチル−４−（１−メチルエチル）−；３，５−オクタジエン−２−オール、２，６−ジメチル−、（？，Ｚ）−；シクロヘキサノン、５−メチル−２−（１−メチルエチル）−、シス−；３−シクロヒエキセン−１−オール、４−メチル−１−（１−メチルエチル）−；ビシクロ［２．２．１］ヘプタン−２−オール、１，３，３−トリメチル−；シクロヘキサノール、２−（１，１−ジメチルエチル）−、シス−；ビシクロ［２．２．１］ヘプタン−２−オール、１，７，７−トリメチル−、（１Ｓ−エンド）−；デカナール；シクロヘキサノール、５−メチル−２−（１−メチルエチル）−；２Ｈ−ピラン−２−オン、６−ブチルテトラヒドロ−；３−ヘプテン−２−オン、３，４，５，６，６−ペンタメチル−；テルピネオール；２−デセナール；２，６−オクタジエナール、３，７−ジメチル−；��クロペンタノン、３−メチル−２−ペンチル−；ウンデセナール；シクロヘキサノール、２−（１，１−ジメチルエチル）−、アセテート；ウンデカナール、２−メチル−；ウンデカナール；２−ウンデセナール；３−オクタノール；２−ヘプタノール、２，６−ジメチル−；３−ノナノン；１−オクタノール；３−オクタノール、３，７−ジメチル−；ノナナール；エタノン、１−（３，３−ジメチルシクロヘキシル）−；３−ヘプタノン、５−メチル−、オキシム；イソノナノール；シクロヘキサノン、２−（１−メチルプロピル）−；１−ノナノール；１−オクタノール、３，７−ジメチル−；シクロペンタノン、２−ペンチル−；６−オクテン−１−オール、３，７−ジメチル−、（Ｓ）−；ベンズアルデヒド、４−（１−メチルエチル）−；２−シクロペンテン−１−オン、３−メチル−２−ペンチル−；シクロヘキサノール、３，３，５−トリメチル−、シス−；１−ヘキサノール、５−メチル−２−（１−メチルエチル）−、（Ｒ）−；シクロヘキサノール、４−（１−メチルエチル）−；７−オクテン−２−オール、２，６−ジメチル−、ホルメート；シクロヘキサノン、５−メチル−２−（１−メチルエチル）−、トランス−；５，７−オクタジエン−２−オール、２，６−ジメチル−；２Ｈ−ピラン、６−ブチル−３，６−ジヒドロ−２，４−ジメチル−；シクロヘキサノール、４−（１，１−ジメチルエチル）−；シクロヘキサノール、５−メチル−２−（１−メチルエチル）−、［１Ｒ−（１α，２β，５α）］−；デカナール、２−メチル−；２−ノナノール、６，８−ジメチル−；フェノール、４−（１，１−ジメチルエチル）−；シクロヘキサノール、５−メチル−２−（１−メチルエテニル）−、［１Ｒ−（１α，２β，５α）］−；シクロヘキサノン、４−（１，１−ジメチルプロピル）−；２−ウンデカノン；１−デカノール；２−シクロヘキセン−１−オン、３−メチル−５−プロピル−；フェノール、２−メチル−５−（１−メチルエチル）−；２−ナフタレノール、デカヒドロ−；２−ナフタレノール、デカヒドロ−；２−ナフタレノール、デカヒドロ−；ベンゼンプロパナール、４−（１，１−ジメチルエチル）−；ベンゼンプロパナール、α−メチル−４−（１−メチルエチル）−；２−ドデセナール；ベンゼンプロパナール、β−メチル−３−（１−メチルエチル）−；ベンゼンプロパナール、２−エチル−α，α−ジメチル−；１，３−ベンゾジオキソール−５−カルボキシアルデヒド；イオノン；３−ブテン−２−オン、４−（２，６，６−トリメチル−２−シクロヘキセン−１−イル）−、（Ｅ）−；３−ブテン−２−オン、４−（２，６，６−トリメチル−１−シクロヘキセン−１−イル）−；２−ブテン−１−オン、１−（２，４，４−トリメチル−２−シクロヘキセン−１−イル）−、（Ｅ）−；フェノール、２−メトキシ−４−（１−プロペニル）−；３−シクロヘキセン−１−カルボキシアルデヒド、１−メチル−４−（４−メチルペンチル）−；ベンゼンプロパナール、４−メトキシ−α−メチル−；シクロヘキセンブタナール、α，２，２，６−テトラメチル−；フェノール、２−メトキシ−４−プロピル−；ドデカナール；ベンゼン、１，２−ジメトキシ−４−（��−プロペニル）−；９−ウンデセナール、２，６，１０−トリメチル−；エタノール、２−［（１，７，７−トリメチルビシクロ［２．２．１］ヘプタ−２−イル）オキシ］−、エキソ−；フェノール、４−クロロ−３，５−ジメチル−；２Ｈ−１−ベンゾピラン−２−オン；シクロペンタノン、２−ヘプチル−；３−デカノン、１−ヒドロキシ−；１−プロパノン、１−［２−メチル−５−（１−メチルエチル）−２−シクロヘキセン−１−イル］−；５，９−ウンデカジエナール、２，６，１０−トリメチル−；９−ウンデセン−２−オン、６，１０−ジメチル−；ビシクロ［２．２．２］オクタ−５−エン−２−カルボキシアルデヒド、６−メチル−８−（１−メチルエチル）−；並びにこれらの混合物からなる群から選択される有益剤のフラグメントであり、好ましくは本明細書に開示したシリコーン化合物の有益剤部分は、２−ブテン−１−オン、１−（２，６，６−トリメチル−３−シクロヘキセン−１−イル）−；（１−（２，６，６−トリメチル−２−シクロヘキセン−１−イル）−２−ブテン−１−オン）；２−ブテン−１−オン、１−（２，６，６−トリメチル−２−シクロヘキセン−１−イル）−、（Ｅ）−；（１−（２，６，６−トリメチル−１−シクロヘキセン−１−イル）−２−ブテン−１−オン）；２−ブテン−１−オン、１−（２，６，６−トリメチル−１−シクロヘキセン−１−イル）−、（Ｅ）−；２−ブテン−１−オン、１−（２，６，６−トリメチル−１，３−シクロヘキサジエン−１−イル）−；１，１，２，３，３−ペンタメチル−２，５，６，７−テトラヒドロインデン−４−オン；１−（５，５−ジメチル−１−シクロヘキセニル）ペンタ−４−エン−１−オン；３−シクロヘキセン−１−カルボキシアルデヒド、ジメチル−；３−シクロヘキセン−１−カルボキシアルデヒド、２，４，６−トリメチル−；シクロヘキサンメタノール、α，３，３−トリメチル−、ホルメート；エチル２メチルペンタノエート；２−（２−（４−メチル−３−シクロヘキセン−１−イル）プロピル）シクロ−ペンタノン；２−ヘキシル−２−シクロペンテン−１−オン（主成分）；メチル２，６，１０−トリメチル−２，５，９−シクロドデカトリエン−１−イルケトン；α−イソメチルイオノン；５−（２，６，６−トリメチル−２−シクロヘキセン−１−イル）−３−メチル−３−ブテン−２−オン；２−ヘプチルシクロペンタノン；３−（ヒドロキシメチル）ノナン−２−オン（及び異性体）；３，７，１１−トリメチル−２，６，１０−ドデカトリエン−１２−オール；２，６，１０−ドデカトリエン−１−オール、３，７，７，１１−トリメチル−；ファルネソール；ファルネシルアルコール；３，７，１１−トリメチル−２，６，１０−ドデカトリエン−１−オール；３，７，１１−トリメチル−２，６，１０−ドデカトリエノール；トリメチル−２，６，１０−ドデカトリエン−１−オール；（２Ｅ，６Ｅ）−３，７，１１−トリメチル−２，６，１０−ドデカトリエン−１−オール；α−ファルネソール；α−ファルネソール；３，７，１１−トリメチルドデカ−２，６，１０−トリエン−１−オール；３，７，１１−トリメチル−２，６，１０−ドデカトリエン−１−オール（ファルネソール）；（Ｅ）−α−ファルネソール；（１−メチル−２−（１，２，２−トリメチルビシクロ［３．１．０］−ヘキサ−３−イルメチル）シクロプロピル）メタノール（ジアステレオ異性体の混合物）；２−メチル−３−｛（１，７，７−トリメチルビシクロ｛２．２．１｝ヘプタ−２−イル）オキシ｝エキソ−１−プロパノール及び異性体；２−メチル−４−（２，２，３−トリメチルシクロペンタ−３−エン−１−イル）ブタン−１−オール；２−メチル−４−（２，２，３−トリメチル−３−シクロペンテン−１−イル）ブタン−１−オール；２−エチル−４−（２，２，３−トリメチル−３−シクロ−ペンテン−１−イル）−２−ブテン−１−オール；２−エチル−４−（２，２，３−トリメチル−３−シクロペンテン−１−イル）−２−ブテン−１−オール；Ｂ−エチル−２，２，３−トリメチル−３−シクロペンテン−１−ブタ−２−エノール；エチルトリメチルシクロペンテンブテノール；シクロヘキサンメタノール、４−（１−メチルエチル）−、シス−；４−イソプロピルシクロヘキサンメタノール；２−メチル−５−フェニルペンタン−１−オール；ａ３−メチル−５−フェニルペンタノール；３−メチル−５−フェニル−１−ペンタノール；９−デセン−１−オール；９−デセノール；２−メチル−４−（２，２，３−トリメチル−３−シクロペンテン−１−イル）−２−ブテン−１−オール；２−ブテン−１−オール，２−メチル−４−（２，２，３−トリメチル−３−シクロペンテン−１−イル）−；２−ブテン−１−オール、２−メチル−４−（２，２，３−トリメチル−３−シクロペンテン−１−イル）−；３−シクロヘキセン−１−プロパノールγ４−ジメチル−；２，２−ジメチル−３−（３−メチルフェニル）プロパン−１−オール；３，７−ジメチル−６−オクテン−１−オール、（−）−シトロネロール；ロジノール；（２Ｅ，６Ｚ）−ノナ−２，６−ジエン−１−オール；２−［（１，７，７−トリメチルビシクロ［２．２．１］ヘプタ−２−イル）オキシ］−エタノール；２，４，６−トリメチル−３−シクロヘキセン−１−メタノール；３，７−ジメチル−トランス−２，６−オクタジエン−１−オール；３，７−ジメチル−２，６−オクタジエン−１−オール（異性体）；トランス−ゲラニオール；グアニオール（Guaniol）；レモノール；トランス−３，７−ジメチル−２，６−オクタジエン−１−
オール；ゲラニオールアルコール；ゲラニオールエクストラ；ゲラニルアルコール；２，６−ジメチル−トランス−２，６−オクタジエン−８−オール；２，６−オクタジエン−１−オール、３，７−ジメチル−、トランス−；３，７−ジメチル−トランス−２，６−オクタジエン−１−オール；（Ｅ）−３，７−ジメチル−２，６−オクタジエン−１−オール；メラノール（Meranol）；トランス−３，７−ジメチルオクタ−２，６−ジエン−１−オール；（２Ｅ）−３，７−ジメチル−２，６−オクタジエン−１−オール；ネロール；ネリルアルコール；トランス−３，７−ジメチル−２，６−オクタジエン−１−オール（ゲラニオール）；ｔ−ゲラニオール；（Ｅ）−ゲラニオール；（Ｅ）−３，７−ジメチル−２，６−オクタジエン−１−オール；ゲラニオール（Ｅ）；ジヒドロシンナミックアルコール；３−フェニルプロパノール；ベンゼンプロパノール；１−プロペナール、３−フェニル−；γ−フェニルプロパノール；γ−フェニルプロピルアルコール；（３−ヒドロキシプロピル）ベンゼン；ヒドロシンナミックアルコール；ヒドロシンナミルアルコール；３−フェニル−ｎ−プロパノール；３−フェニル−１−プロパノール；３−フェニルプロピルアルコール；３−ベンゼンプロパノール；フェニルプロピルアルコール；１−ヒドロキシ−３−フェニルプロパン；３−フェニルプロパン−１−オール；フェニルプロピル（Phenylpropylic）アルコール；シンナミックアルコール；３−フェニル−２−プロペン−１−オール；シンナミルアルコール；γ−フェニルアリルアルコール；フェニル−２−プロペン−１−オール；スチロン；スチリルカルビノール；３−フェニルアリルアルコール；１−フェニル−１−プロペン−３−オール；３−フェニル−２−プロペン−１−オール；３−フェニル−２−プロペノール；アルコールスコリコビー（Alkohol skoricovy）；３−フェニル（Fenyl）−２−プロペン−１−オール；ペルビン；フェニル−２−プロペノール；フェニルアリルアルコール；（２Ｅ）−３−フェニル−２−プロペン−１−オール；３−フェニルプロパ−２−エン−１−オール；２−プロペン−１−オール、３−フェニル−；２−ヘキセン−１−オール、（Ｅ）−；トランス−２−ヘキセン−１−オール；トランス−２−ヘキセノール；２−ヘキセノール；２−ヘキセン−１−オール、トランス−；（２Ｅ）−２−ヘキセン−１−オール；（Ｅ）−２−ヘキセノール；（Ｅ）−ヘキサ−２−エン−１−オール；（Ｅ）−ヘキサ−２−エノール；（Ｅ）−２−ヘキセン−１−オール；ヘキサ−２（Ｅ）−エノール；ｔ−２−ヘキセン−１−オール；２−（Ｅ）−ヘキセノール；トランス−ヘキサ−２−エン−１−オール；４−（５，５，６−トリメチルビシクロ［２．２．１］ヘプタ−２−イル）シクロヘキサン−１−オール（及び異性体、ＩＰＭ中の８５％溶液）；１−ナフタレノール、１，２，３，４，４ａ，５，８，８ａ−オクタヒドロ−２，２，６，８−テトラメチル−；３−メチル−５−（２，２，３−トリメチル−３−シクロペンテン−１−イル）−４−ペンテン−２−オール；４−メチル−３−デセン−５−オール；４−ペンテン−２−オール、３，３−ジメチル−５−（２，２，３−トリメチル−３−シ��ロペンテン−１−イル）−；３−メチル−４−フェニルブタン−２−オール；２−メトキシ−４−アリルフェノール；シクロヘキサンプロパノール、２，２，６−トリメチル−α−プロピル−；１−（２，２，６−トリメチルシクロヘキシル）ヘキサン−３−オール；５−プロペニル−２−エトキシフェノール；１−（４−イソプロピル−シクロヘキシル）エタノール；１−（４−イソプロピルシクロヘキシル）−エタノール；２−ペンチルシクロペンタン−１−オール；２−ペンチルシクロペンタノール；３，７，１１−トリメチル−１，６，１０−ドデカトリエン−３−オール；セドロール原油；３，７−ジメチル−７−ヒドロキシオクタン−１−アールジメチルアセタール；４−メチル−２−（２−メチルプロピル）テトラヒドロ−２Ｈ−ピラン−４−オール；Ｆｌｏｒｏｌ（登録商標）９６６４５８；２，５，５−トリメチル−オクタヒドロナフタレン−２−オール；ａ２，５，５−トリメチル−１，２，３，４，４α，５，６，７−オクタヒドロ−２−ナフタレノール；４−メチル−１−イソプロピル−３−シクロヘキセン−１−オール；３，７−ジメチル−１，６−ノナジエン−３−オール（シス＆トランス）；１−メチル−３−（２−メチルプロピル）シクロヘキサノール；４−フェニル−２−メチル−２−ブタノール；３，７−ジメチルオクタン−１，７−ジオール；１−メチル−４−イソプロピルシクロヘキサン−８−オール；３，７−ジメチル−１，６−オクタジエン−３−オール；ａ３，７−ジメチル−４，６−オクタジエン−３−オール；２−（４−メチル−１−シクロヘキサ−３−エニル）−プロパン−２−オール；ｐ−メンタン−８−オール；１−フェニル−２−メチル−２−プロパノール；α，α−ジメチルベンジルカルビノール；ベンゼンエタノール、α，α−ジメチル−シクロヘキサンプロパノール、２，２−ジメチル−；２，６−ジメチル−７−オクテン−２−オール；２−メチル−６−メチレンオクタ−７−エン−２−オール、ジヒドロ誘導体；７−オクテン−２−オール、２，６−ジメチル−；２，６−ジメチル−７−オクテン−２−オール；３，７−ジメチル−１−オクテン−７−オール；２，６−ジメチル−オクタ−７−エン−２−オール；ミルセノール、６，１０−ジヒドロ；３，７−ジメチルオクタン−３−オール；２，６−ジメチル−２−オクタノール；２，６−ジメチル−２−ヘプタノール；３−エトキシ−４−ヒドロキシベンズアルデヒド；オクタヒドロ−１Ｈ−４，７−メタノインデン−５−カルバルデヒド；４，７−メタノ−１Ｈ−インデン−２−カルボキシアルデヒド、オクタヒドロ−５−メトキシ−；６−メトキシジシクロペンタジエンカルボキシアルデヒド；８−メトキシトリシクロ（５．２．２．１）デカン−４−カルボキシアルデヒド；オクタヒドロ−５−メトキシ−４，７−メタノ−１Ｈ−インデン−２−カルボキシアルデヒド；１０−ウンデセン−１−アール；ウンデセンアルデヒド；ｎ−ウンデセンアルデヒド；ヘンデセン−１０−アール；４−ヒドロキシ−３−メトキシベンズアルデヒド；８−、９及び１０−ウンデセナール、異性体の混合物；トランス−４−デセナール；α−ヘキシル−；α−ｎ−ヘキシル−β−フェニルアクロレイン；２−ヘキシル��３−フェニル−２−プロペナール；２−ヘキシル−３−フェニル−プロペナール；（２Ｚ）−２−ヘキシル−３−フェニル−２−プロペナール；ヘキシル−３−フェニル−プロペナール；ｎ−ヘキシルシンナムアルデヒド；２Ｅ−２−ベンジリデンオクタナール；２−［（Ｅ）−ベンジリデン］オクタナール；４−ドデセナール；４−（オクタヒドロ−４，７−メタノ−５Ｈ−インデン−５−イリデン）ブタナール；３−シクロヘキセン−１−プロパナール、β、４−ジメチル−；トランス−２−ドデセナール；４，８−ジメチル−４，９−デカジエナール；ヒドロキシミラク（Hydroxymyrac）アルデヒド；４−（４−ヒドロキシ−４−メチル−ペンチル）−３−シクロヘキセン−１−カルボキシアルデヒド；リラール；コバノール（Kovanolｓ）；並びにこれらの混合物からなる群から選択される有益剤のフラグメントであり、より好ましくは、本明細書に開示したシリコーン化合物の有益剤部分は、２−ブテン−１−オン、１−（２，６，６−トリメチル−３−シクロヘキセン−１−イル）−；（１−（２，６，６−トリメチル−２−シクロヘキセン−１−イル）−２−ブテン−１−オン）；２−ブテン−１−オン、１−（２，６，６−トリメチル−２−シクロヘキセン−１−イル）−、（Ｅ）−；（１−（２，６，６−トリメチル−１−シクロヘキセン−１−イル）−２−ブテン−１−オン）；２−ブテン−１−オン、１−（２，６，６−トリメチル−１−シクロヘキセン−１−イル）−、（Ｅ）−；２−ブテン−１−オン、１−（２，６，６−トリメチル−１，３−シクロヘキサジエン−１−イル）−；１，１，２，３，３−ペンタメチル−２，５，６，７−テトラヒドロインデン−４−オン；１−（５，５−ジメチル−１−シクロヘキセニル）ペンタ−４−エン−１−オン；３−シクロヘキセン−１−カルボキシアルデヒド、ジメチル−；３−シクロヘキセン−１−カルボキシアルデヒド、２，４，６−トリメチル−；シクロヘキサンメタノール、α，３，３−トリメチル−、ホルメート；エチル２メチルペンタノエート；２−（２−（４−メチル−３−シクロヘキセン−１−イル）プロピル）シクロ−ペンタノン；２−ヘキシル−２−シクロペンテン−１−オン（主成分）；メチル２，６，１０−トリメチル−２，５，９−シクロドデカトリエン−１−イルケトン；α−イソメチルイオノン；５−（２，６，６−トリメチル−２−シクロヘキセン−１−イル）−３−メチル−３−ブテン−２−オン；２−ヘプチルシクロペンタノン；３−（ヒドロキシメチル）ノナン−２−オン（及び異性体）；３，７，１１−トリメチル−２，６，１０−ドデカトリエン−１２−オール；２，６，１０−ドデカトリエン−１−オール、３，７，７，１１−トリメチル−；ファルネソール；ファルネシルアルコール；３，７，１１−トリメチル−２，６，１０−ドデカトリエン−１−オール；３，７，１１−トリメチル−２，６，１０−ドデカトリエノール；トリメチル−２，６，１０−ドデカトリエン−１−オール；（２Ｅ，６Ｅ）−３，７，１１−トリメチル−２，６，１０−ドデカトリエン−１−オール；α−ファルネソール；α−ファルネソール；３，７，１１−トリメチルドデカ−２，６，１０−トリエン−１−オール；３，７，１１−トリメチル−２，６，１０−ドデカトリエン−１−オール（ファルネソール）；（Ｅ）−α−ファルネソール；（１−メチル−２−（１，２，２−トリメチルビシクロ［３．１．０］−ヘキサ−３−イルメチル）シクロプロピル）メタノール（ジアステレオ異性体の混合物）；２−メチル−３−｛（１，７，７−トリメチルビシクロ｛２．２．１｝ヘプタ−２−イル）オキシ｝エキソ−１−プロパノール及び異性体；２−メチル−４−（２，２，３−トリメチルシクロペンタ−３−エン−１−イル）ブタン−１−オール；２−メチル−４−（２，２，３−トリメチル−３−シクロペンテン−１−イル）−ブタン−１−オール；２−エチル−４−（２，２，３−トリメチル−３−シクロ−ペンテン−１−イル）−２−ブテン−１−オール；２−エチル−４−（２，２，３−トリメチル−３−シクロペンテン−１−イル）−２−ブテン−１−オール；Ｂ−エチル−２，２，３−トリメチル−３−シクロペンテン−１−ブタ−２−エノール；エチルトリメチルシクロペンテンブテノール；シクロヘキサンメタノール、４−（１−メチルエチル）−、シス−；４−イソプロピルシクロヘキサンメタノール；２−メチル−５−フェニルペンタン−１−オール；ａ３−メチル−５−フェニルペンタノール；３−メチル−５−フェニル−１−ペンタノール；９−デセン−１−オール；９−デセノール；２−メチル−４−（２，２，３−トリメチル−３−シクロペンテン−１−イル）−２−ブテン−１−オール；２−ブテン−１−オール、２−メチル−４−（２，２，３−トリメチル−３−シクロペンテン−１−イル）−；
２−ブテン−１−オール、２−メチル−４−（２，２，３−トリメチル−３−シクロペンテン−１−イル）−；３−シクロヘキセン−１−プロパノールγ４−ジメチル−；２，２−ジメチル−３−（３−メチルフェニル）プロパン−１−オール；３，７−ジメチル−６−オクテン−１−オール、（−）−シトロネロール；ロジノール；（２Ｅ，６Ｚ）−ノナ−２，６−ジエン−１−オール；２−［（１，７，７−トリメチルビシクロ［２．２．１］ヘプタ−２−イル）オキシ］−エタノール；２，４，６−トリメチル−３−シクロヘキセン−１−メタノール；３，７−ジメチル−トランス−２，６−オクタジエン−１−オール；３，７−ジメチル−２，６−オクタジエン−１−オール（異性体）；トランス−ゲラニオール；グアニオール（Guaniol）；レモノール；トランス−３，７−ジメチル−２，６−オクタジエン−１−オール；ゲラニオールアルコール；ゲラニオールエクストラ；ゲラニルアルコール；２，６−ジメチル−トランス−２，６−オクタジエン−８−オール；２，６−オクタジエン−１−オール、３，７−ジメチル−、トランス−；３，７−ジメチル−トランス−２，６−オクタジエン−１−オール；（Ｅ）−３，７−ジメチル−２，６−オクタジエン−１−オール；メラノール（Meranol）；トランス−３，７−ジメチルオクタ−２，６−ジエン−１−オール；（２Ｅ）−３，７−ジメチル−２，６−オクタジエン−１−オール；ネロール；ネリルアルコール；トランス−３，７−ジメチル−２，６−オクタジエン−１−オール（ゲラニオール）；ｔ−ゲラニオール；（Ｅ）−ゲラニオール；（Ｅ）−３，７−ジメチル−２，６−オクタジエン−１−オール；ゲラニオール（Ｅ）；並びにこれらの混合物からなる群から選択される有益剤のフラグメントであり、最も好ましくは、本明細書に開示したシリコーン化合物の有益剤部分は、２−ブテン−１−オン、１−（２，６，６−トリメチル−３−シクロヘキセン−１−イル）−；（１−（２，６，６−トリメチル−２−シクロヘキセン−１−イル）−２−ブテン−１−オン）；２−ブテン−１−オン、１−（２，６，６−トリメチル−２−シクロヘキセン−１−イル）−、（Ｅ）−；（１−（２，６，６−トリメチル−１−シクロヘキセン−１−イル）−２−ブテン−１−オン）；２−ブテン−１−オン、１−（２，６，６−トリメチル−１−シクロヘキセン−１−イル）−、（Ｅ）−；２−ブテン−１−オン、１−（２，６，６−トリメチル−１，３−シクロヘキサジエン−１−イル）−；１，１，２，３，３−ペンタメチル−２，５，６，７−テトラヒドロインデン−４−オン；１−（５，５−ジメチル−１−シクロヘキセニル）ペンタ−４−エン−１−オン；３−シクロヘキセン−１−カルボキシアルデヒド、ジメチル−；３−シクロヘキセン−１−カルボキシアルデヒド、２，４，６−トリメチル−；シクロヘキサンメタノール、α，３，３−トリメチル−、ホルメート；エチル２メチルペンタノエート；２−（２−（４−メチル−３−シクロヘキセン−１−イル）プロピル）シクロ−ペンタノン；２−ヘキシル−２−シクロペンテン−１−オン（主成分）；メチル２，６，１０−トリメチル−２，５，９−シクロドデカトリエン−１−イルケトン；α−イソメ���ルイオノン；５−（２，６，６−トリメチル−２−シクロヘキセン−１−イル）−３−メチル−３−ブテン−２−オン；２−ヘプチルシクロペンタノン；３−（ヒドロキシメチル）ノナン−２−オン（及び異性体）；３，７，１１−トリメチル−２，６，１０−ドデカトリエン−１２−オール；２，６，１０−ドデカトリエン−１−オール、３，７，７，１１−トリメチル−；ファルネソール；ファルネシルアルコール；３，７，１１−トリメチル−２，６，１０−ドデカトリエン−１−オール；３，７，１１−トリメチル−２，６，１０−ドデカトリエノール；トリメチル−２，６，１０−ドデカトリエン−１−オール；（２Ｅ，６Ｅ）−３，７，１１−トリメチル−２，６，１０−ドデカトリエン−１−オール；α−ファルネソール；α−ファルネソール；３，７，１１−トリメチルドデカ−２，６，１０−トリエン−１−オール；３，７，１１−トリメチル−２，６，１０−ドデカトリエン−１−オール（ファルネソール）；（Ｅ）−α−ファルネソール；（１−メチル−２−（１，２，２−トリメチルビシクロ［３．１．０］−ヘキサ−３−イルメチル）シクロプロピル）メタノール（ジアステレオ異性体の混合物）；２−メチル−３−｛（１，７，７−トリメチルビシクロ｛２．２．１｝ヘプタ−２−イル）オキシ｝エキソ−１−プロパノール及び異性体；２−メチル−４−（２，２，３−トリメチルシクロペンタ−３−エン−１−イル）ブタン−１−オール；２−メチル−４−（２，２，３−トリメチル−３−シクロペンテン−１−イル）−２−ブタン−１−オール；２−エチル−４−（２，２，３−トリメチル−３−シクロ−ペンテン−１−イル）−２−ブテン−１−オール；２−エチル−４−（２，２，３−トリメチル−３−シクロペンテン−１−イル）−２−ブテン−１−オール；Ｂ−エチル−２，２，３−トリメチル−３−シクロペンテン−１−ブタ−２−エノール；エチルトリメチルシクロペンテンブテノール；並びにこれらの混合物からなる群から選択される有益剤のフラグメントである、請求項１〜１０のいずれか一項に記載のシリコーン化合物。
【請求項１２】
消費者製品であって、
ａ．）０．００１％〜１０％の、請求項１〜１１のいずれか一項に記載のシリコーン化合物と；
ｂ．）消費者製品成分とを含み、好ましくは前記消費者製品成分は、界面活性剤、色ケアポリマー、付着助剤、界面活性剤増強ポリマー、ｐＨ調整剤、製品色安定剤、防腐剤、溶媒、ビルダー、キレート剤、移染防止剤、分散剤、酵素及び酵素安定剤、触媒物質、漂白剤、漂白活性剤、ポリマー分散剤、粘土汚れ除去／再付着防止剤、光沢剤、抑泡剤、染料、紫外線吸収剤、香料、追加の香料送達系、構造弾性化剤、増粘剤／構造剤、布地柔軟剤、キャリア、向水性物質、オリゴアミン、加工助剤、色調剤、顔料、並びにこれらの混合物からなる群から選択され、
好ましくは前記消費者製品組成物は、清浄及び／若しくは処理組成物、又は布地ケア組成物であり、
好ましくは前記消費者は、パッケージを含み、好ましくは前記シリコーン化合物が前記パッケージに取り付けられ又は付着されている、消費者製品。
【請求項１３】
部位の処理及び／又は清浄方法であって、
ａ．）前記部位を場合により洗浄及び／又はすすぐことと；
ｂ．）前記部位を請求項１〜１１のいずれか一項に記載のシリコーン化合物及び／又は請求項１２に記載の消費者製品と接触させることと；
ｃ．）前記部位を場合により洗浄及び／又はすすぐことと、
を含む、方法。
【請求項１４】
請求項１〜１１のいずれか一項に記載のシリコーン化合物及び／又は請求項１２に記載の消費者製品で処理された部位。
【発明の詳細な説明】
【技術分野】
【０００１】
本出願は、シリコーン化合物、組成物、かかるシリコーン化合物を含むパッケージ化製品及びディスプレイ、並びに、かかる有益剤送達組成物及び、かかる有益剤送達組成物を含む組成物、パッケージ化製品及びディスプレイを製造及び使用する方法に関する。
【背景技術】
【０００２】
香料、光沢剤、昆虫忌避剤、シリコーン、ワックス、香味料、ビタミン、及び布地柔軟化剤、スキンケア剤のような有益剤は、高価であり、パーソナルケア組成物、清浄組成物、及び布地ケア組成物において高濃度で使用される場合に効果が弱いことがある。結果として、このような有益剤の効率を最大限にすることが望ましい。かかる目的を達成する１つの方法は、かかる有益剤の送達効率を改善することである。残念ながら、このような薬剤の物理的特性又は化学的特性が失われる恐れがあるか、このような薬剤が、他の組成成分又は処理される部位と不適合である恐れがあるか、又はこのような薬剤がすすぎ若しくは乾燥などの適用後の処理中に失われる恐れがある場合、有益剤の送達効率を改善するのは難しい。有益剤の送達効率を改善するために、当業界は、香料アミン化合物及び香料チオール化合物を開発した。それらの化合物は、アルデヒド部分及び／又はケトン部分を含む香料と、一級アミン、二級アミン、及び／又はチオール部分からなる担体との反応の結果であった。残念ながら、それらの化合物は、該化合物がアルデヒド又はケトン部分を含む香料に限定されるため、限定された香りしか提供できない。加えて、それらの化合物は、該化合物が所望通りに効率よく部位に付着しなかったため、所望通りの有効性を有さなかった。
【０００３】
本出願人らは、それらの化合物の香料としての限界は、担体反応部位のタイプ及びレベルに起因する一方、付着の問題は化合物の担体の水溶性に起因するものと認識した。したがって、本出願人らは、多様な反応部位（cite）タイプ及び数に適合できる、より疎水性の担体を頼りとした。その結果として、本明細書に開示されるシリコーン化合物は、数々の香料タイプの使用を可能にし、衣服などの品目に高い効率で付着する。
【発明の概要】
【課題を解決するための手段】
【０００４】
シリコーン化合物、かかるシリコーン化合物を含む組成物、かかるシリコーン化合物を含むパッケージ化製品及びディスプレイ、並びに、かかるシリコーン化合物を製造及び使用する方法、並びに、かかるシリコーン化合物を含む組成物、パッケージ化製品及びディスプレイを開示する。
【発明を実施するための形態】
【０００５】
定義
本明細書において使用する場合、「消費者製品」は、販売される形態での使用又は消費を意図し、後続する商業的製造又は修正を意図しない、ベビーケア、ビューティケア、布地及びホームケア、ファミリーケア、フェミニンケア、ヘルスケア、スナック及び／若しくは飲料製品、又は装置を意味する。こうした製品には、限定されるものではないが、おむつ、胸当て、ワイプ；毛髪（ヒト、犬、及び／又はネコ）を処理するための製品、及び／又はその処理に関連する方法のための製品（漂白、着色、染色、コンディショニング、シャンプー、スタイリングを含む）；デオドラント及び制汗剤；パーソナルクレンジング；化粧品；消費者使用のためのクリーム、ローション、及び局所的に適用される他の製品の用途を含むスキンケア；並びにシェービング製品、布地、硬質表面、及び布地及びホームケア分野のその他の任意の表面の処理用の製品及び／又はそれに関連する方法であって、空気のケア、カーケア、食器洗浄、布地のコンディショニング（柔軟化を含む）、洗濯洗剤、洗濯及びすすぎ用補助剤及び／又はケア、硬質表面清浄及び／又は処理、並びに消費者又は事業者によるその他の清浄用のものを含むもの；トイレットペーパー、ティッシュ、紙製ハンカチ、及び／又はペーパータオルに関連する製品及び／又は方法；タンポン、女性用ナプキン；口腔ケアに関連する製品及び／又は方法であって、練り歯磨き、歯磨きジェル、歯すすぎ剤、入れ歯粘着剤、歯ホワイトニング剤を含むもの；市販のヘルスケア剤であって、咳止め及び風邪薬、鎮痛剤、ＲＸ医薬、ペットの健康及び栄養剤、並びに浄水剤を含むもの；主として、通常の食事の合間に摂るため又は食事に添えて食べるための加工食品製品（例としては、ポテトチップス、トルティーリャチップス、ポップコーン、プレッツェル、コーンチップス、シリアルバー、野菜チップス又はクリスプ、ミックススナック、パーティーミックス、マルチグレインチップス、クラッカースナック、チーズスナック、豚皮、コーンスナック、小球状スナック、押出し製造スナック、及びベーグルチップスが挙げられるがこれらに制限されない）；並びにコーヒーが挙げられる。
【０００６】
本明細書において使用する場合、「清浄及び／又は処理組成物」という用語は、別途記載のない限り、顆粒若しくは粉末状の、汎用又は「ヘビーデューティー」洗浄剤、特に、清浄用洗剤；液体、ゲル、又はペースト状の汎用洗浄剤、特に、いわゆる、ヘビーディーティー液体タイプのもの；きめの細かい布地用液体洗剤；手洗い用食器洗剤又はライトデューティー食器洗剤、特に高発泡タイプのもの；食器洗い機用洗剤であって、家庭用及び業務用の、様々な、タブレット状、粒状、液体、及びすすぎ時の泡切れ向上タイプを含む洗剤；液体清浄剤及び殺菌剤（抗菌性手洗いタイプ、清浄用バー、口腔洗液、義歯清浄剤、口中洗浄薬、車又はカーペット用シャンプー、浴室用清浄剤；毛髪用のシャンプー及びリンス剤；シャワー用ジェル、並びに浴室用及び金属用泡状洗浄剤；並びに漂白添加剤及び「ステインスティック」又は前処理タイプなどの清浄補助剤、ドライヤー添加シート、乾燥及び湿潤ワイプ及びパッド、不織布基材、並びにスポンジなどの基材付き製品；並びにスプレー及びミストを含む。
【０００７】
本明細書において使用する場合、用語「布地ケア組成物」は、別途記載のないかぎり、布地柔軟化組成物、布地増強組成物、布地フレッシュニング組成物、及びこれらの組合せを含む。
【０００８】
本明細書において使用する場合、用語「アミン」は、別途記載のない限り、一級、二級、三級、及び四級アミンを含む。
【０００９】
本明細書において使用する場合、「ａ」及び「ａｎ」のような冠詞は、特許請求の範囲で使用されるときには、１以上の請求又は記載されるものを意味するものと理解される。
【００１０】
本明細書において使用する場合、「含む（include）」、「含む（includes）」及び「含んでいる（including）」という用語は、「含むが、これらに限定されない」という言い回しと同義であることを意味する。
【００１１】
本明細書において使用する場合、用語「固体」は、顆粒、粉末、バー及び錠剤の製品形態を含む。
【００１２】
本明細書において使用する場合、用語「部位」は、紙製品、布地、衣服、硬質表面、毛髪及び皮膚を含む。
【００１３】
別途指定されない限り、構成成分又は組成物の濃度は全て、当該構成成分又は組成物の活性部分に関するものであり、このような構成成分又は組成物の市販の供給源に存在し得る不純物、例えば、残留溶剤又は副生成物は除外される。
【００１４】
全ての百分率及び比率は、別途記載のない限り、重量で計算される。全ての百分率及び比率は、別途記載のない限り、全組成物に基づいて計算される。
【００１５】
本明細書の全体を通して記載される全ての最大数値限定は、それよりも小さい数値限定を、そのようなより小さい数値限定があたかも本明細書に明確に記載されているものと同様にして包含するものと理解すべきである。本明細書全体を通して記載される全ての最小数値限定は、それよりも高い全ての数値限定を、より高い数値限定が本明細書に明示的に記載されているかのように包含する。本明細書全体を通して与えられる全ての数値範囲は、そのようなより広い数値範囲内に入るより狭い全ての数値範囲を、そのような狭い数値範囲が全て本明細書に明示的に記載されているかのように包含する。
【００１６】
シリコーン化合物
シリコーン部分及び有益剤部分を含むシリコーン化合物を開示する。
【００１７】
一態様では、前記シリコーン化合物は、下記の式を有する。
［Ｒ１Ｒ２Ｒ３ＳｉＯ１／２］（ｊ＋２ｌ＋２）［Ｒ４Ｒ５ＳｉＯ２／２］ｍ［Ｒ６ＳｉＯ３／２］ｊ［ＳｉＯ４／２］ｌ
式中、
ａ）ｊは、０〜１５０、好ましくは１〜１５０、より好ましくは０〜５０、最も好ましくは０〜２０の整数であり；
ｂ）ｍは、０〜１５００、好ましくは１〜１５００、より好ましくは２０〜１０００、最も好ましくは２０〜４００の整数であり；
ｃ）ｌは、０〜１５０、好ましくは１〜１５０、より好ましくは０〜５０、最も好ましくは０〜２０の整数であるが；
但し、ｊ＋ｍ＋ｌは、１以上の整数に等しく、部分Ｒ１〜Ｒ６のうちの少なくとも１つ＝Ｘ−Ｚであることを条件とし；
ｄ）Ｒ１、Ｒ２、Ｒ３、Ｒ４、Ｒ５及びＲ６部分のそれぞれは、Ｈ、ＯＨ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリール、Ｃ１〜Ｃ３２アルコキシ及びＣ１〜Ｃ３２置換アルコキシ並びにＸ−Ｚからなる群から独立して選択され、好ましくは各Ｒ１〜６は、ＯＨ、Ｃ１〜Ｃ２アルキル、Ｃ１〜Ｃ２置換アルキル、Ｃ１〜Ｃ２アルコキシ、Ｃ１〜Ｃ２置換アルコキシ及びＸ−Ｚからなる群から独立して選択され；
（ｉ）各Ｘは、独立して、酸素、又は２〜１２個の炭素原子を含む置換若しくは非置換二価アルキレンラジカルであり、好ましくは各Ｘは、独立して、酸素、又は２〜６個の炭素原子を含む置換若しくは非置換二価アルキレンラジカルであり、最も好ましくは各Ｘは、独立して、酸素、又は２〜４個の炭素原子を含む置換若しくは非置換二価アルキレンラジカルであり；Ｘが、２〜１２個の炭素原子を含む置換又は非置換二価アルキレンラジカルを含む場合；
（ｉｉ）各Ｚは、以下からなる群から独立して選択され：Ｒ９、
【００１８】
【化１】
2018199824.tif 000002
各Ｒ７は、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ５〜Ｃ３２置換アルキルアリールからなる群から独立して選択され；
各Ｒ８は、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ５〜Ｃ３２置換アルキルアリールからなる群から独立して選択され；
各Ｒ９は、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ５〜Ｃ３２置換アルキルアリールからなる群から独立して選択され、好ましくはＲ９は、Ｘに共有結合した一級、二級又は三級炭素を含み、より好ましくはＲ９は、Ｘに共有結合した一級又は二級炭素を含み、最も好ましくはＲ９は、Ｘに共有結合した一級炭素を含み；
各Ｙは、独立して、２〜１２個の炭素原子を含む置換又は非置換二価アルキレンラジカルであり、好ましくは各Ｙは、独立して、２〜６個の炭素原子を含む置換又は非置換二価アルキレンラジカルであり、最も好ましくは各Ｙは、２〜４個の炭素原子を含む置換又は非置換二価アルキレンラジカルであるが；
但し、少なくとも１つのＺ部分は、Ｒ９、又はＲ８を含むＺ部分であり、Ｘ−Ｚ部分のそれぞれに関してＸが酸素の場合、前記Ｘ−Ｚ部分のＺ部分は、Ｒ９であることを条件とし；
好ましくは、各Ｚは、以下からなる群から独立して選択され：
【００１９】
【化２】
2018199824.tif 000003
最も好ましくは、各Ｚは、以下からなる群から独立して選択され：
【００２０】
【化３】
2018199824.tif 000004
好ましくは、少なくとも１つのＺが、以下から選択され：
【００２１】
【化４】
2018199824.tif 000005
前記少なくとも１つのＺのイミン部分に共有結合したＲ７部分がＨではない場合、前記少なくとも１つのＺ部分に関して、前記少なくとも１つのＺのイミン部分に共有結合したＲ７及びＲ８部分は、一級、二級又は三級炭素を介して前記イミン部分に結合し、好ましくは、前記少なくとも１つのＺのイミン部分に共有結合したＲ７又はＲ８の少なくとも１つは、一級炭素を介して前記イミン部分に結合し、より好ましくは、前記少なくとも１つのＺのイミン部分に共有結合したＲ７及びＲ８は、一級炭素を介して前記イミン部分に結合し、好ましくは、前記少なくとも１つのＺのイミン部分に共有結合したＲ７部分がＨである場合、前記少なくとも１つのＺのイミン部分に共有結合したＲ８部分は、炭素−炭素二重結合における炭素結合でもある炭素原子を介して前記イミン部分に結合している。
【００２２】
好ましくは、各Ｚは、以下からなる群から独立して選択され：Ｒ９、
【００２３】
【化５】
2018199824.tif 000006
より好ましくは、各Ｚは、以下からなる群から独立して選択され：
【００２４】
【化６】
2018199824.tif 000007
より好ましくは、各Ｚは、以下からなる群から独立して選択される。
【００２５】
【化７】
2018199824.tif 000008
【００２６】
好ましくは、前記シリコーン化合物に関して、各Ｘは、独立して、２〜１２個の炭素原子を含む置換又は非置換二価アルキレンラジカルであり、好ましくは各Ｘは、独立して、２〜６個の炭素原子を含む置換又は非置換二価アルキレンラジカルであり、最も好ましくは各Ｘは、２〜４個の炭素原子を含む置換又は非置換二価アルキレンラジカルであり；各Ｚは、以下から独立して選択され：
【００２７】
【化８】
2018199824.tif 000009
好ましくは各Ｚは、以下から独立して選択され：
【００２８】
【化９】
2018199824.tif 000010
より好ましくは各Ｚは、以下から独立して選択され：
【００２９】
【化１０】
2018199824.tif 000011
ｊは、０〜１５０、好ましくは１〜１００、より好ましくは０〜４０の整数であり；
ｌは、０〜１５０、好ましくは０〜５０、より好ましくは０〜２０の整数であり；
ｍは、０〜１５００、好ましくは２０〜１０００、より好ましくは２０〜４００の整数である。
【００３０】
一態様では、前記シリコーン化合物のＸ部分のうちの少なくとも１つは酸素であり、好ましくは前記シリコーン化合物に関して：
ａ）ｊは、０〜１５０、好ましくは１〜１００、より好ましくは１〜４０の整数であり；
ｂ）ｌは、０〜１５０、好ましくは０〜５０、より好ましくは０〜２０の整数であり；
ｃ）ｍは、０〜１５００、好ましくは２０〜１０００、より好ましくは２０〜４００の整数であり、より好ましくは、前記少なくとも１つのＺ部分は、以下である：
【００３１】
【化１１】
2018199824.tif 000012
【００３２】
前記シリコーン化合物の一態様において：
ａ）ｊは０であり；
ｂ）ｍは、２５０〜７５０、好ましくは３２５〜６７５、より好ましくは４００〜６００の整数であり；
ｃ）ｌは０であるが；
但し、ｊ＋ｍ＋ｌは、１以上の整数に等しく、部分Ｒ１〜Ｒ６のうちの少なくとも１つ＝Ｘ−Ｚであることを条件とし；
ｄ）Ｒ１、Ｒ２、Ｒ３、Ｒ４のそれぞれは、Ｃ１アルキルであり；Ｒ５部分の９９．３％〜９９．７％、好ましくは９９．４％〜９９．６％、より好ましくは９９．４５％〜９９．５５％はＣ１アルキル部分であり；残りのＲ５部分は、Ｘ−Ｚ部分であり；
（ｉ）各Ｘは、３個の炭素原子を含む非置換二価アルキレンラジカルであり；
（ｉｉ）各Ｚは、以下からなる群から独立して選択される。
【００３３】
【化１２】
2018199824.tif 000013
【００３４】
好ましくは、本明細書に開示したシリコーン化合物の有益剤部分は、約３０Ｄａ〜約５００Ｄａの分子量、及び／又は約−２．０〜約８．０のＣＬｏｇＰ；好ましくは、約−２．０〜約７．０のＣＬｏｇＰ；より好ましくは、約−２．０〜約５．０のＣＬｏｇＰを有する有益剤のフラグメントである。
【００３５】
好ましくは、本明細書に開示したシリコーン化合物の有益剤部分は、ビニルエーテル、ケトン、ヒドロキシル、アルデヒド、チオール、カルボキシル、シラノール、アルコキシ、アセトキシ、及びこれらの混合物からなる群から選択される部分を含む有益剤のフラグメントであり、より好ましくは該有益剤部分は、ケトン、ヒドロキシル、アルデヒド、チオール、アルコキシ、及びこれらの混合物からなる群から選択される部分を含む有益剤のフラグメントであり、最も好ましくは該有益剤部分は、ケトン、ヒドロキシル、アルデヒド及びこれらの混合物からなる群から選択される部分を含む有益剤のフラグメントである。
【００３６】
好ましくは、本明細書に開示したシリコーン化合物の有益剤部分は、シリコーン、香料原料、防臭剤、臭い中和剤、悪臭、精油、エーテル、エステル、ケトン、アルコール、グリコール、シリコーン炭化水素、環式炭化水素、アルデヒド、テルピン、殺虫剤、防虫剤、農薬、抗菌剤、抗真菌剤、除草剤、及びこれらの混合物からなる群から選択される有益剤のフラグメントである。
【００３７】
好ましくは、本明細書に開示したシリコーン化合物の有益剤部分は、ゲラニオール、メントール、（Ｅ，Ｚ）−２，６−ノナジエン−１−オール、３，６−ノナジエン−１−オール、２，２−ジメチル−３−（３−メチルフェニル）プロパン−１−オール、２−メチル−３−［（１，７，７−トリメチルビシクロ［２．２．１］ヘプタ−２−イル）オキシ］プロパン−１−オール、２−メチル−４−［（１Ｒ）−２，２，３−トリメチル−３−シクロペンテン−１−イル］−（２Ｅ）−ブテン−１−オール、エチルトリメチルシクロペンテンブテノール、１−（４−プロパン−２−イルシクロヘキシル）エタノール、１−（２，２，６−トリメチルシクロヘキシル）ヘキサン−３−オール、（Ｚ）−３−メチル−５−（２，２，３−トリメチル−１−シクロペンタ−３−エニル）ペンタ−４−エン−２−オール、ウンデカベルトール、メチルジヒドロジャスモネート（Ｅ，Ｚ）−２，６−ノナジエン−１−アール、カシュメラン、イソシクロシトラール、トリプラール、ネオブテノンα、δダマスコン、α−ピニルイソブチルアルデヒド、バニリン、リリアール、イントレレベン（intreleven）アルデヒド、ヘキシルシンナミックアルデヒド、アドキサール、デュピカル、リラール、２−トリデセナール、メチル−ノニル−アセトアルデヒド、４−ｔｅｒｔ−ブチルベンズアルデヒド、ジヒドロシトロネラール、シトラール、シトロネラール、イソシクロシトラール、２，４，６−トリメトキシベンズアルデヒド、クミンアルデヒド、２−メチルオクタナール、パラトリルアセトアルデヒド、ｏ−アニスアルデヒド、アニスアルデヒド、ヘキシルアルデヒド、２−メチルペンタナール、ベンズアルデヒド、トランス−２−ヘキセナール、ノニルアルデヒド、ラウリンアルデヒド、βイオノン、コアボン（koavone）、タバノンクール（tabanone coeur）、ジンゲロン、Ｌ−カルボン、イオノンγメチル、ネクタリル、トリモフィックスＯ、ファルネソール、（Ｅ）−２−エチル−４−（２，２，３−トリメチル−１−シクロペンタ−３−エニル）ブタ−２−エン−１−オール、２−メチル−４−［（１Ｒ）−２，２，３−トリメチル−３−シクロペンテン−１−イル］−（２Ｅ）−ブテン−１−オール、ネロール（８００）、エチルバニリン、４−（５，５，６−トリメチルビシクロ［２．２．１］ヘプタ−２−イル）シクロヘキサン−１−オール、オクタリノール（octalynol）９６７５４４、（Ｅ）−３，３−ジメチル−５−（２，２，３−トリメチル−３−シクロペンテン−１−イル）−４−ペンテン−２−オール、３−メチル−４−フェニルブタン−２−オール、オイゲノール、１−（２，２，６−トリメチルシクロヘキシル）ヘキサン−３−オール、プロペニルグエトール、２−エトキシ−４−メチルフェノール、シクロペントールＨＣ  ９３７１６５、３，７，１１−トリメチル−１，６，１０−ドデカトリエン−３−オール、セドロール原油、３，７−ジメチル−１，６−ノナジエン−３−オール（シス＆トランス）、１−メチル−３−（２−メチルプロピル）シクロヘキサノール、３，７−ジメチル−１，６−オクタジエン−３−オール、２−（４−メチル−１−シクロヘキサ−３−エニル）プロパン−２−オール、シクロヘキサンプロ��ノール、２，２−ジメチル−、３，７−ジメチル−１−オクテン−７−オール、メチルイオノン、イソジャスモンＢ１１、α−ダマスコン、β−ダマスコン、フレウラモン（fleuramone）、３−エトキシ−４−ヒドロキシベンズアルデヒド、ホルミルトリシクロデカン、６−メトキシジシクロペンタジエンカルボキシアルデヒド、ウンデシレンアルデヒド、４−ヒドロキシ−３−メトキシベンズアルデヒド、８−，９及び１０−ウンデセナール、異性体の混合物、トランス−４−デセナール、４−ドデセナール、４−（オクタヒドロ−４，７−メタノ−５Ｈ−インデン−５−イリデン）ブタナール、３−シクロヘキセン−１−プロパナール、β，４−ジメチル−、マンダリンアルデヒド１０％  ＣＩＴＲ  ９６５７６５及び４，８−ジメチル−４，９−デカンジエナール並びにこれらの混合物からなる群から選択される有益剤のフラグメントである。
【００３８】
好ましくは、本明細書に開示したシリコーン化合物の有益剤部分は、表１の番号１〜２１６の香料原料、及びこれらの混合物からなる群から選択される有益剤のフラグメントであり、より好ましくは、本明細書に開示したシリコーン化合物の有益剤部分は、表１の番号１〜８２の香料原料、及びこれらの混合物からなる群から選択される有益剤のフラグメントであり、より好ましくは、本明細書に開示したシリコーン化合物の有益剤部分は、表１の番号１〜３３の香料原料、及びこれらの混合物からなる群から選択される有益剤のフラグメントであり、最も好ましくは、本明細書に開示したシリコーン化合物の有益剤部分は、表１の番号１〜２１の香料原料、及びこれらの混合物からなる群から選択される有益剤のフラグメントである。
【００３９】
消費者製品
消費者製品組成物であって、
ａ．）約０．００１重量％〜約１０重量％の、本明細書に開示したシリコーン化合物と；
ｂ．）消費者製品成分と、を含み、好ましくは、該消費者製品成分は、界面活性剤、色ケアポリマー、付着助剤、界面活性剤増強ポリマー、ｐＨ調整剤、製品色安定剤、防腐剤、溶媒、ビルダー、キレート剤、移染防止剤、分散剤、酵素、及び酵素安定剤、触媒物質、漂白剤、漂白活性剤、ポリマー分散剤、粘土汚れ除去／再付着防止剤、光沢剤、抑泡剤、染料、紫外線吸収剤、香料、追加の香料送達系、構造弾性化剤、増粘剤／構造剤、布地柔軟剤、キャリア、向水性物質、オリゴアミン、加工助剤、色調剤、顔料、並びにこれらの混合物からなる群から選択される、消費者製品組成物を開示する。
【００４０】
好ましくは、該消費者製品は、清浄及び／又は処理組成物、あるいは、本明細書に開示されるシリコーン化合物と、少なくとも１つの清浄及び／若しくは処理組成物又は布地ケア補助成分とを含み得る布地ケア組成物である。
【００４１】
一態様では、本明細書に開示されるシリコーン化合物は、固体粒子、特にポリマー系粒子に組み込まれてよい。そのようなポリマー粒子の例としては、ポリエチレングリコール、デンプン及び多糖、ポリビニルアルコール、セルロースを含む粒子を挙げることができる。そのような粒子は、さらに、追加の構成成分、例えば他の有益剤、無機充填剤、例えば炭酸塩、ケイ酸塩、クレイ、金属酸化物などを含んでよい。特に有用な粒子としては、ポリエチレングリコールに基づく粒子が挙げられる。
【００４２】
好ましくは、上記消費者製品はパッケージを含み、該パッケージは、該パッケージに取り付けられた又は付着された本明細書に開示されるシリコーン化合物を含む。このようなパッケージは、包装紙又は容器を含む任意の形態をとることができる。一態様では、本明細書に開示されるシリコーン化合物は、このようなパッケージの外面及び／又は内面に付着されても又は取り付けられてもよい。一態様では、上記パッケージは、キャップを含む容器を含んでもよく、本明細書に開示される上記シリコーン化合物は、上記キャップの外面又は内面に付着されても又は取り付けられてもよい。
【００４３】
本発明の消費者製品は、任意の好適な形態に配合され、配合者によって選択される任意のプロセスによって調製され得、その非限定例は、米国特許第５，８７９，５８４号；米国特許第５，６９１，２９７号；米国特許第５，５７４，００５号；米国特許第５，５６９，６４５号；米国特許第５，５６５，４２２号；米国特許第５，５１６，４４８号；米国特許第５，４８９，３９２号；米国特許第５，４８６，３０３号に記載され、これら特許文献の開示は参照により本明細書に組み込まれる。
【００４４】
使用方法及び処理される部位
本明細書に開示されるシリコーン化合物を含有する組成物は、ある部位、とりわけ表面又は布地を清浄又は処理するのに使用することができる。一般に、この部位の少なくとも一部を、無希釈形態で、又は液体（例えば、洗浄液）で希釈して、本出願人の組成物の実施形態と接触させた後、場合によりその部位を洗浄及び／又はすすいでもよい。一態様では、ある部位が場合により洗浄及び／又はすすがれ、本発明による粒子に又はかかる粒子を含む組成物に接触され、次に場合により洗浄及び／又はすすがれる。本発明の目的に関して、洗浄は、こすり洗い及び機械的撹拌を含むが、これらに限定されない。布地は、標準的な消費者の使用条件で洗濯又は処理することが可能な、殆どの任意の布地を含んでもよい。開示される組成物を含み得る液体は、約３〜約１１．５のｐＨを有していてよい。このような組成物は、典型的に、溶液中約５００ｐｐｍ〜約１５，０００ｐｐｍの濃度で使用される。洗浄溶媒が水である場合、水の温度は通常約５℃〜約９０℃の範囲であり、部位が布地を含む場合、水対布地の比は通常約１：１〜約３０：１の範囲である。
【００４５】
一態様では、部位の処理及び／又は清浄方法であって、
ａ．）該部位を場合により洗浄、すすぎ、及び／又は乾燥することと；
ｂ．）該部位を本明細書に開示したシリコーン化合物、及び／又は本明細書に開示したシリコーン化合物を含む組成物と接触させることと；
ｃ．）該部位を場合により洗浄、すすぎ、及び／又は乾燥することと、を含む、方法を開示する。前述した乾燥は、外干し乾燥（line drying）などの受動的乾燥、及び／又はドライヤーを用いるなどの能動的乾燥であってもよい。
【００４６】
一態様では、本明細書に開示されるシリコーン化合物、及び／又は本明細書に開示されるシリコーン化合物を含む組成物を開示する。
【００４７】
シリコーン化合物を含むディスプレイ
一態様では、シリコーン化合物を含むディスプレイを開示する。このようなディスプレイは、消費者製品などの製品に注意を引き、製品の販売を全体的又は部分的に促進及び／又は補助するために使用されてもよい。本発明のシリコーン化合物は、このようなディスプレイの任意の場所に付着され又は取り付けられてもよい。このようなディスプレイは、ポスター、販売及び／又はマーケティング資料、又は容器を含む、任意の形態をとることができる。一態様では、本明細書に開示されるシリコーン化合物は、このようなディスプレイの外面及び／又は内面に付着される又は取り付けられる。
【００４８】
【表１−１】
2018199824.tif 000014
【００４９】
【表１−２】
2018199824.tif 000015
【００５０】
【表１−３】
2018199824.tif 000016
【００５１】
【表１−４】
2018199824.tif 000017
【００５２】
【表１−５】
2018199824.tif 000018
【００５３】
【表１−６】
2018199824.tif 000019
【００５４】
上記に列挙した香料原料を含む、本明細書における香料原料は、Ｎｅｗ  Ｙｏｒｋ，ＮＹ  ＵＳＡのＩｎｔｅｒｎａｔｉｏｎａｌ  Ｆｌａｖｏｒｓ  ａｎｄ  Ｆｒａｇｒａｎｃｅｓ；Ｖｅｒｎｉｅｒ  ＳｗｉｔｚｅｒｌａｎｄのＧｉｖａｕｄａｎ；Ｇｅｎｅｖａ，ＳｗｉｔｚｅｒｌａｎｄのＦｉｒｍｅｎｉｃｈ；Ｈｏｌｚｍｉｎｄｅｎ，ＧｅｒｍａｎｙのＳｙｍｒｉｓｅ；Ｔｏｋｙｏ，ＪａｐａｎのＫａｏ；Ｔｏｋｙｏ，ＪａｐａｎのＴａｋａｓａｇｏ；及びＴｅｌ−Ａｖｉｖ，ＩｓｒａｅｌのＦｌｏｒａｓｙｎｔｈを含む供給元から得ることができる。
【００５５】
有益剤送達組成物の製造プロセス
本出願に開示されるシリコーン化合物は、本明細書に開示した教示及び例により生成されてもよい。
【００５６】
シリコーン化合物に関する好適な形態としては、粒塊、エマルション、溶液、小球、ビーズ及びカプセル化物を含む固体及び流体が挙げられる。
【００５７】
一態様では、シリコーン化合物は、予め作製され、消費者製品、又は消費者製品に関する中間物に添加される。
【００５８】
一態様では、シリコーン化合物の構成成分は、消費者製品、又は消費者製品に関する中間物に添加され、シリコーン化合物は、その場で形成される。
【００５９】
一態様では、シリコーン化合物の構成成分は、消費者製品に別々に添加され、消費者による使用の前、使用中及び／又は使用後に消費者製品中でシリコーン化合物を形成することができる。
【００６０】
一態様では、追加の有益剤及び／又は有益剤送達系、例えば香料及び／又はカプセル化香料を使用して粒子、ビーズ及び／又は粒塊を形成するとき、上記追加の有益剤及び／又は有益剤送達系を上記粒子、ビーズ及び／又は粒塊に添加する前、添加中、又は添加した後に、本発明のシリコーン化合物を添加することができる。
【００６１】
一態様では、追加の有益剤及び／又は有益剤送達系、例えば香料及び／又はカプセル化香料を使用するとき、上記追加の有益剤及び／又は有益剤送達系を消費者に添加する前、添加中、又は添加した後に、本発明のシリコーン化合物を添加することができる。
【００６２】
本明細書に開示するプロセスで用いるのに好適な設備としては、連続攪拌槽型反応器、ホモジナイザー、タービン攪拌器、再循環ポンプ、パドルミキサー、プラウシェアミキサー（ploughshear mixer）、リボンブレンダー、縦軸造粒機、二軸押出成形機及びドラムミキサー（両方とも、バッチ式及び入手可能なときは連続プロセス構成である）、噴霧乾燥機、並びに押出成形機を挙げることができる。このような設備は、Ｌｏｄｉｇｅ  ＧｍｂＨ（Ｐａｄｅｒｂｏｒｎ，Ｇｅｒｍａｎｙ）、Ｌｉｔｔｌｅｆｏｒｄ  Ｄａｙ，Ｉｎｃ．（Ｆｌｏｒｅｎｃｅ，Ｋｅｎｔｕｃｋｙ，Ｕ．Ｓ．Ａ．）、Ｆｏｒｂｅｒｇ  ＡＳ（Ｌａｒｖｉｋ，Ｎｏｒｗａｙ）、Ｇｌａｔｔ  Ｉｎｇｅｎｉｅｕｒｔｅｃｈｎｉｋ  ＧｍｂＨ（Ｗｅｉｍａｒ，Ｇｅｒｍａｎｙ）、Ｎｉｒｏ（Ｓｏｅｂｏｒｇ，Ｄｅｎｍａｒｋ）、Ｈｏｓｏｋａｗａ  Ｂｅｐｅｘ  Ｃｏｒｐ．（Ｍｉｎｎｅａｐｏｌｉｓ，Ｍｉｎｎｅｓｏｔａ，ＵＳＡ）、Ａｒｄｅ  Ｂａｒｉｎｃｏ（Ｎｅｗ  Ｊｅｒｓｅｙ，ＵＳＡ）、Ｗｅｎｇｅｒ（Ｓａｂｅｔｈａ，Ｋａｎｓａｓ  ＵＳＡ）から入手可能である。
【００６３】
シリコーン化合物を含む組成物
本出願人らの組成物は、本出願に開示されるシリコーン化合物の実施形態を含む。一態様では、このような組成物は消費者製品であり得る。使用されるシリコーン化合物の正確な濃度は、かかる組成物を含む製品の種類及び最終用途に依存するが、清浄及び／又は布地処理製品を含む消費者製品は、製品の総重量を基準として、約０．００１％〜約２５％、約０．０１％〜約５％、又は更には約０．０５％〜約３％のシリコーン化合物を含むことができる。
【００６４】
一態様では、本出願に開示したシリコーン化合物の実施形態は、固体粒子、特にポリマー系粒子とされる。そのようなポリマー粒子の例としては、ポリエチレングリコール、デンプン及び多糖、ポリビニルアルコール、セルロースを含む粒子を挙げることができる。そのような粒子は、さらに、追加の構成成分、例えば他の有益剤、無機充填剤、例えば炭酸塩、ケイ酸塩、クレイ、金属酸化物などを含んでよい。特に有用な粒子としては、ポリエチレングリコールに基づく粒子が挙げられる。
【００６５】
補助物質
本発明の各消費者向け製品実施形態に必須ではないが、以下に例示される補助剤の非限定的なリストは、本消費者向け製品での使用に好適であり、例えば、性能を補助若しくは向上させるために、清浄される基材の処理のために、又は香料、着色剤、染料などを用いる場合のように組成物の審美性を変化させるために、望ましくは本発明の特定の実施形態に組み込まれてもよい。このような追加の構成成分の正確な性質及びそれを組み込む濃度は、組成物の物理形態及び使用される作業の性質に依存する。好適な補助物質としては、界面活性剤、色ケアポリマー、付着助剤、界面活性剤増強ポリマー、ｐＨ調整剤、製品色安定剤、防腐剤、溶媒、ビルダー、キレート剤、移染防止剤、分散剤、酵素、及び酵素安定剤、触媒物質、漂白剤、漂白活性剤、ポリマー分散剤、粘土汚れ除去／再付着防止剤、光沢剤、抑泡剤、染料、紫外線吸収剤、香料及び香料送達系、構造弾性化剤、増粘剤／構造剤、布地柔軟剤、キャリア、向水性物質、オリゴアミン、加工助剤、色調剤、並びに／又は顔料が挙げられるが、それらに限られない。
【００６６】
上述のように、補助成分は、本発明の各消費者向け製品実施形態に必須のものではない。したがって、本出願者らの組成物の特定の実施形態は、以下の補助成分、すなわち、界面活性剤、色調ケアポリマー、付着助剤、界面活性剤強化ポリマー、ｐＨ調節剤、製品色調安定剤、保存剤、溶媒、ビルダー、キレート剤、移染防止剤、分散剤、酵素、及び酵素安定剤、触媒材料、漂白剤、漂白活性化剤、ポリマー分散化剤、粘土の汚れ除去／再付着防止剤、増白剤、泡抑制剤、染料、ＵＶ吸収剤、香料及び香料送達系、構造弾性化剤、増粘剤／構造化剤、布地柔軟剤、担体、向水性物質、オリゴアミン、加工助剤、色調剤、及び／又は顔料の１種以上を含有しない。しかし、１種以上の補助剤が存在する場合、このような１種以上の補助剤は、以下に詳述されているとおり存在してもよい。
【００６７】
好適な布地柔軟化活性物質
本明細書に開示する液体布地強化剤組成物は、布地柔軟化活性物質（「ＦＳＡ」）を含む。好適な布地柔軟化活性物質には、四級アンモニウム化合物、アミン、脂肪酸エステル、ショ糖エステル、シリコーン、分散性ポリオレフィン、粘土、多糖、脂肪酸、ソフトニングオイル、ポリマーラテックス、及びこれらの混合物からなる群から選択される物質が挙げられるが、これらに限定されない。
【００６８】
水不溶性布地ケア有益剤の非限定例としては、分散性ポリエチレン及びポリマーラテックス類が挙げられる。これらの有益剤は、エマルション、ラテックス、分散液、懸濁液などの形態であることができる。一態様において、それらはエマルション及び／又はラテックスの形態である。分散性ポリエチレン及びポリマーラテックスは、次のものを含むがそれらに限定されない、広範な粒径直径（χ５０）を有することができる：約１ｎｍ〜約１００μｍ；あるいは約１０ｎｍ〜約１０μｍ。それ故、分散性ポリエチレン及びポリマーラテックスの好ましい粒径は、限定ではないが一般には、シリコーン又は他の脂肪油よりも小さい。
【００６９】
一般に、本発明の水不溶性布地ケア有益剤を製造するために、ポリマーエマルションの製造又はポリマーラテックスの乳化重合に好適なあらゆる界面活性剤を使用するこができる。好適な界面活性剤は、ポリマーエマルション及びラテックス用の乳化剤、ポリマー分散液用の分散剤、及びポリマー懸濁液用の懸濁剤からなる。好適な界面活性剤は、アニオン性、カチオン性、及び非イオン性界面活性剤、又はこれらの混合物を含む。一態様において、そのような界面活性剤は、非イオン性及び／又はアニオン性界面活性剤である。一態様において、水不溶性布地ケア有益剤中の界面活性剤のポリマーに対する比は、それぞれ約１：１００〜約１：２、あるいは約１：５０〜約１：５である。好適な水不溶性布地ケア有益剤は、以下に記載する例を含むが、それらに限定されない。
【００７０】
クォート−好適なクォートとしては、エステルクォート、アミドクォート、イミダゾリンクォート、アルキルクォート、アミドエステル（amdioester）クォート、及びこれらの混合物からなる群から選択される材料が挙げられるが、これらに限定されない。好適なエステルクォートとしては、モノエステルクォート、ジエステルクォート、トリエステルクォート及びこれらの混合物からなる群から選択される材料が挙げられるが、これらに限定されない。一態様において、好適なエステルクォートは、脂肪酸部分対アミン部分のモル比が１．８５〜１．９９、脂肪酸部分の平均鎖長が炭素原子１６〜１８個であり、遊離脂肪酸について計算された脂肪酸部分のヨウ素価が０．５〜１４０、又は０．５〜６０、１５〜５０又は１５〜２５である、ビス−（２−ヒドロキシプロピル）−ジメチルアンモニウムメチルスルフェートの脂肪酸エステルである。一態様では、ビス−（２−ヒドロキシプロピル）−ジメチルアンモニウムメチルスルフェートの脂肪酸エステルの不飽和脂肪酸部分の二重結合のシス−トランス比は、それぞれ５５：４５〜７５：２５である。好適なアミドクォートとしては、モノアミドクォート、ジアミドクォート、及びこれらの混合物からなる群から選択される材料が挙げられるが、これらに限定されない。好適なアルキルクォートとしては、モノアルキルクォート、ジアルキルクォート、トリアルキルクォート、テトラアルキルクォート、及びこれらの混合物からなる群から選択される材料が挙げられるが、これらに限定されない。
【００７１】
アミン−好適なアミンには、アミドエステルアミン、アミドアミン、イミダゾリンアミン、アルキルアミン、アミドエステル及びこれらの混合物からなる群から選択される材料が挙げられるが、これらに限定されない。好適なエステルアミンとしては、モノエステルアミン、ジエステルアミン、トリエステルアミン及びこれらの混合物からなる群から選択される材料が挙げられるが、これらに限定されない。好適なアミドクォートとしては、モノアミドアミン、ジアミドアミン及びこれらの混合物からなる群から選択される材料が挙げられるが、これらに限定されない。好適なアルキルアミンとしては、モノアルキルアミン、ジアルキルアミンクォート、トリアルキルアミン及びこれらの混合物からなる群から選択される材料が挙げられるが、これらに限定されない。
【００７２】
一態様において、布地柔軟化活性物質は、すすぎ工程での布地の柔軟化に好適な四級アンモニウム化合物である。一実施形態では、布地柔軟化活性物質は、脂肪酸とアミノアルコールとの化合物から形成され、これはモノ−、ジ−、及び一実施形態では、トリエステル化合物の混合物を生じる。別の実施形態において、布地柔軟化活性物質は、モノアルキル四級アンモニウム化合物、ジアルキル四級アンモニウム化合物、ジアミド四級化合物、ジエステル四級アンモニウム化合物、又はこれらの組み合わせなどであるがこれらに限定されない、１つ以上の柔軟剤四級アンモニウム化合物を含む。
【００７３】
一態様において、布地柔軟化活性物質は、ジエステル四級アンモニウム又はプロトン化ジエステルアンモニウム（以降、「ＤＱＡ」）化合物組成物を含む。本発明の特定の実施形態において、ＤＱＡ化合物の組成物はまた、ジアミド布地柔軟化活性物質と、混合アミド及びエステル結合並びに上述のジエステル結合を有する布地柔軟化活性物質とを包含し、これらの全てを本明細書ではＤＱＡと呼ぶ。
【００７４】
一態様において、上記布地柔軟化活性物質は、主要活性物質として、次式の化合物を含み得る。
｛Ｒ４−ｍ−Ｎ＋−［Ｘ−Ｙ−Ｒ１］ｍ｝Ｘ−          （１）｝
式中、各Ｒは、水素、短鎖Ｃ１〜Ｃ６、一態様では、Ｃ１〜Ｃ３のアルキル基又はヒドロキシアルキル基、例えばメチル、エチル、プロピル、ヒドロキシエチルなど、ポリ（Ｃ２〜３のアルコキシ）、ポリエトキシ、ベンジル、又はこれらの混合物のいずれかを含み；各Ｘは、独立して、（ＣＨ２）ｎ、ＣＨ２−ＣＨ（ＣＨ３）−又はＣＨ−（ＣＨ３）−ＣＨ２−であり；各Ｙは、−Ｏ−（Ｏ）Ｃ−、−Ｃ（Ｏ）−Ｏ−、ＮＲ−Ｃ（Ｏ）−、又は−Ｃ（Ｏ）−ＮＲ−を含み得；各ｍは、２又は３であり；各ｎは、１〜約４、一態様では２であり；各Ｒ１中の炭素数の合計（Ｙが−Ｏ−（Ｏ）Ｃ−又は−ＮＲ−Ｃ（Ｏ）−であるときには１を加える）は、Ｃ１２〜Ｃ２２、又はＣ１４〜Ｃ２０であり得、各Ｒ１は、ヒドロカルビル、又は置換ヒドロカルビル基であり得；Ｘ−は任意の柔軟剤相溶性アニオンを含み得る。一態様では、柔軟剤相溶性アニオンは、クロリド、ブロミド、メチルスルフェート、エチルスルフェート、スルフェート、及びニトレートを含み得る。別の態様では、柔軟剤相溶性アニオンは、クロリド又はメチルスルフェートを含み得る。
【００７５】
別の態様では、布地柔軟化活性物質は、下記一般式を有し得る。
［Ｒ３Ｎ＋ＣＨ２ＣＨ（ＹＲ１）（ＣＨ２ＹＲ１）］Ｘ−
式中、各Ｙ、Ｒ、Ｒ１、及びＸ−は、前記と同じ意味を有する。そのような化合物としては、次式：
［ＣＨ３］３  Ｎ（＋）［ＣＨ２ＣＨ（ＣＨ２Ｏ（Ｏ）ＣＲ１）Ｏ（Ｏ）ＣＲ１］Ｃ１（−）          （２）
（式中、各Ｒは、メチル基又はエチル基を含み得る）を有するものが挙げられる。一態様では、各Ｒ１は、Ｃ１５〜Ｃ１９基を含み得る。本明細書で使用する場合、ジエステルが明記されているとき、それは存在するモノエステルを含むことができる。
【００７６】
これらのタイプの薬剤及びそれらの一般的な製造方法は、米国特許第４，１３７，１８０号に開示されている。好適なＤＥＱＡ（２）の例は、式１，２−ジ（アシルオキシ）−３−トリメチルアンモニオプロパンクロリドを含む「プロピル」エステル四級アンモニウム布地柔軟剤活性物質である。
【００７７】
第３のタイプの有用な布地柔軟化活性物質は、下記式を有する。
［Ｒ４−ｍ−Ｎ＋−Ｒ１ｍ］Ｘ−                （３）
式中、Ｒ、Ｒ１、ｍ及びＸ−はそれぞれ、前記と同じ意味を有する。
【００７８】
更なる態様において、布地柔軟化活性物質は、下記式を有し得る。
【００７９】
【化１３】
2018199824.tif 000020
式中、各Ｒ、Ｒ１、及びＡ−は、上記に与えられた定義を有し；Ｒ２はＣ１〜６のアルキレン基を含み得、一態様ではエチレン基を含み得；Ｇは酸素原子又は−ＮＲ−基を含み得る。
【００８０】
更なる態様において、布地柔軟化活性物質は、下記式を有し得る。
【００８１】
【化１４】
2018199824.tif 000021
式中、Ｒ１、Ｒ２及びＧは、上記のように定義される。
【００８２】
更なる態様では、布地柔軟化活性物質は、脂肪酸とジアルキレントリアミンとの例えば分子量比約２：１の縮合化合物を含み得、該化合物は、次式の化合物を含有する。
Ｒ１−Ｃ（Ｏ）−ＮＨ−Ｒ２−ＮＨ−Ｒ３−ＮＨ−Ｃ（Ｏ）−Ｒ１            （６）
式中、Ｒ１、Ｒ２は上記のように定義され、Ｒ３は、Ｃ１〜６アルキレン基、一態様ではエチレン基を含んでもよく、化合物は、場合により、硫酸ジメチルなどのアルキル化剤の添加により四級化され得る。そのような四級化化合物の更なる詳細は、米国特許第５，２９６，６２２号に記載されている。
【００８３】
更なる態様において、布地柔軟化活性物質は、下記式を有し得る。
［Ｒ１−Ｃ（Ｏ）−ＮＲ−Ｒ２−Ｎ（Ｒ）２−Ｒ３−ＮＲ−Ｃ（Ｏ）−Ｒ１］＋Ａ−          （７）
式中、Ｒ、Ｒ１、Ｒ２、Ｒ３及びＡ−は上記のように定義される。
【００８４】
更なる態様では、布地柔軟化活性物質は、脂肪酸とヒドロキシアルキルアルキレンジアミンとの分子量比約２：１の化合物を含み得、前記化合物は次式の化合物を含有する。
Ｒ１−Ｃ（Ｏ）−ＮＨ−Ｒ２−Ｎ（Ｒ３ＯＨ）−Ｃ（Ｏ）−Ｒ１            （８）
式中、Ｒ１、Ｒ２、及びＲ３は上記のように定義される。
【００８５】
更なる態様において、布地柔軟化活性物質は、下記式を有し得る。
【００８６】
【化１５】
2018199824.tif 000022
式中、Ｒ、Ｒ１、Ｒ２、及びＡ−は、上記のように定義される。
【００８７】
更なる態様において、布地柔軟化活性物質は、下記式を有し得る：
【００８８】
【化１６】
2018199824.tif 000023
式中：
Ｘ１は、Ｃ２〜３アルキル基、一態様ではエチル基であり；
Ｘ２及びＸ３は、独立して、Ｃ１〜６の線状又は分枝状アルキル又はアルケニル基、一態様では、メチル、エチル又はイソプロピルであり；
Ｒ１及びＲ２は、独立して、Ｃ８〜２２の線状又は分枝状アルキル又はアルケニル基であり；
以下のことを特徴とする：
Ａ及びＢは、−Ｏ−（Ｃ＝Ｏ）−、−（Ｃ＝Ｏ）−Ｏ−、又はこれらの混合物からなる群から独立して選択され、一態様では−Ｏ−（Ｃ＝Ｏ）−である。
【００８９】
式（１）を有する布地柔軟化活性物質の非限定例は、Ｎ，Ｎ−ビス（ステアロイル−オキシ−エチル）Ｎ，Ｎ−ジメチルアンモニウムクロリド、Ｎ，Ｎ−ビス（タロウオイル−オキシ−エチル）Ｎ，Ｎジメチルアンモニウムクロリド、Ｎ，Ｎ−ビス（ステアロイル−オキシ−エチル）Ｎ−（２ヒドロキシエチル）Ｎ−メチルアンモニウムメチルスルフェートである。
【００９０】
式（２）を有する布地柔軟化活性物質の非限定例は、１，２−ジ（ステアロイル−オキシ）３−トリメチルアンモニウムプロパンクロリドである。
【００９１】
式（３）を有する布地柔軟化活性物質の非限定例は、ジカノーラジメチルアンモニウムクロリド、ジ（ハード）タロウジメチルアンモニウムクロリド、ジカノーラジメチルアンモニウムメチルスルフェート、及びこれらの混合物などのジアルキレンジメチルアンモニウム塩を含む。本発明で使用可能な市販のジアルキレンジメチルアンモニウム塩の例は、Ｗｉｔｃｏ  Ｃｏｒｐｏｒａｔｉｏｎから商品名Ａｄｏｇｅｎ（登録商標）４７２として入手可能なジオレイルジメチルアンモニウムクロリド、及びＡｋｚｏ  Ｎｏｂｅｌ  Ａｒｑｕａｄ  ２ＨＴ７５から入手可能なジハードタロージメチルアンモニウムクロリドである。
【００９２】
式（４）を有する布地柔軟化活性物質の非限定例は、１−メチル−１−ステアロイルアミドエチル−２−ステアロイルイミダゾリニウムメチルスルファートであり、式中、Ｒ１は非環式脂肪族Ｃ１５〜Ｃ１７炭化水素基であり、Ｒ２はエチレン基であり、ＧはＮＨ基であり、Ｒ５はメチル基であり、Ａ−はメチルスルファートアニオンであり、Ｗｉｔｃｏ  Ｃｏｒｐｏｒａｔｉｏｎから商品名Ｖａｒｉｓｏｆｔ（登録商標）として市販されている。
【００９３】
式（５）を有する布地柔軟化活性物質の非限定例は、１−タローイルアミドエチル−２−タローイルイミダゾリンであり、式中、Ｒ１は、非環式脂肪族Ｃ１５〜Ｃ１７炭化水素基であり、Ｒ２はエチレン基であり、ＧはＮＨ基である。
【００９４】
式（６）を有する布地柔軟化活性物質の非限定例は、脂肪酸とジエチレントリアミンとの分子量比約２：１の化合物であり、該化合物混合物は、次式のＮ，Ｎ”−ジアルキルジエチレントリアミンを含有する。
Ｒ１−Ｃ（Ｏ）−ＮＨ−ＣＨ２ＣＨ２−ＮＨ−ＣＨ２ＣＨ２−ＮＨ−Ｃ（Ｏ）−Ｒ１
式中、Ｒ１は、Ｈｅｎｋｅｌ  Ｃｏｒｐｏｒａｔｉｏｎから入手可能なＥｍｅｒｓｏｌ（登録商標）２２３ＬＬ又はＥｍｅｒｓｏｌ（登録商標）７０２１などの、植物又は動物を供給源として得られた市販の脂肪酸のアルキル基であり、Ｒ２及びＲ３は二価のエチレン基である。
【００９５】
一態様において、上記脂肪酸は、全部又は一部分、再生可能資源から
、植物材料の抽出によって、植物材料からの発酵によって得てもよく、及び／又は藻類若しくは酵母などの遺伝子修飾生物によって得てもよい。
【００９６】
化合物（７）の非限定例は、次式を有するジ脂肪酸アミドアミン系柔軟剤である。
［Ｒ１−Ｃ（Ｏ）−ＮＨ−ＣＨ２ＣＨ２−Ｎ（ＣＨ３）（ＣＨ２ＣＨ２ＯＨ）−ＣＨ２ＣＨ２−ＮＨ−Ｃ（Ｏ）−Ｒ１］＋ＣＨ３ＳＯ４−
式中、Ｒ１は、アルキル基である。このような化合物の例は、Ｗｉｔｃｏ  Ｃｏｒｐｏｒａｔｉｏｎから、例えば商品名Ｖａｒｉｓｏｆｔ（登録商標）２２２ＬＴで市販されているものである。
【００９７】
式（８）を有する布地柔軟化活性物質の例は、脂肪酸とＮ−２−ヒドロキシエチルエチレンジアミンとの分子量比約２：１の化合物であり、該化合物混合物は、次式の化合物を含有する。
Ｒ１−Ｃ（Ｏ）−ＮＨ−ＣＨ２ＣＨ２−Ｎ（ＣＨ２ＣＨ２ＯＨ）−Ｃ（Ｏ）−Ｒ１
式中、Ｒ１−Ｃ（Ｏ）は、Ｈｅｎｋｅｌ  Ｃｏｒｐｏｒａｔｉｏｎから入手可能なＥｍｅｒｓｏｌ（登録商標）２２３ＬＬ又はＥｍｅｒｓｏｌ（登録商標）７０２１などの、植物又は動物供給源から誘導された市販の脂肪酸のアルキル基である。
【００９８】
式（９）を有する布地柔軟化活性物質の例は、次式：
【００９９】
【化１７】
2018199824.tif 000024
（式中、Ｒ１は、脂肪酸に由来する）を有するジ四級化化合物である。このような化合物は、Ｗｉｔｃｏ  Ｃｏｍｐａｎｙから入手可能である。
【０１００】
式（１０）を有する布地柔軟化活性物質の非限定例は、ジアルキルイミダゾリンジエステル化合物であり、この化合物は、Ｎ−（２−ヒドロキシエチル）−１，２−エチレンジアミン又はＮ−（２−ヒドロキシイソプロピル）−１，２−エチレンジアミンと、脂肪酸でエステル化されたグリコール酸との、化合物であり、この脂肪酸は、（水素添加）タロウ脂肪酸、パーム脂肪酸、水素添加パーム脂肪酸、オレイン酸、ナタネ脂肪酸、水素添加ナタネ脂肪酸又は上記のものの混合物である。
【０１０１】
上で開示した柔軟剤活性物質の組み合わせが、本発明における使用に好適であることは理解されるであろう。
【０１０２】
アニオンＡ
本明細書におけるカチオン性窒素塩において、アニオンＡ−は、任意の柔軟剤相溶性アニオンを含み、電気的中性をもたらす。殆どの場合、これらの塩において電気的中性をもたらすために使用されるアニオンは、強酸からのものであり、特にハロゲン化物、例えば塩化物、臭化物、又はヨウ化物である。しかし、他のアニオン、例えばメチルスルフェート、エチルスルフェート、アセテート、ホルメート、スルフェート、カーボネート、脂肪酸アニオンなどを使用することができる。一態様では、アニオンＡは、クロリド又はメチルスルフェートを含み得る。いくつかの態様では、アニオンは、二重電荷を有し得る。この態様では、Ａ−が、基の半分を表す。
【０１０３】
一実施形態では、布地柔軟化剤は、以下のうちの少なくとも１つから選択される：該布地柔軟化活性物質材料は、ビス−（２−ヒドロキシプロピル）−ジメチルアンモニウムメチルスルファート脂肪酸エステル、１，２−ジ（アシルオキシ）−３−トリメチルアンモニオプロパンクロリド、Ｎ，Ｎ−ビス（ステアロイル−オキシ−エチル）Ｎ，Ｎ−ジメチルアンモニウムクロリド、Ｎ，Ｎ−ビス（タローオイル−オキシ−エチル）Ｎ，Ｎ−ジメチルアンモニウムクロリド、Ｎ，Ｎ−ビス（ステアロイル−オキシ−エチル）−Ｎ−（２ヒドロキシエチル）−Ｎ−メチルアンモニウムメチルスルファート、Ｎ，Ｎ−ビス−（ステアロイル−２−ヒドロキシプロピル）−Ｎ，Ｎ−ジメチルアンモニウムメチルスルファート、Ｎ，Ｎ−ビス−（タローオイル−２−ヒドロキシプロピル）−Ｎ，Ｎ−ジメチルアンモニウムメチルスルファート、Ｎ，Ｎ−ビス−（パルミトイル−２−ヒドロキシプロピル）−Ｎ，Ｎ−ジメチルアンモニウムメチルスルファート、Ｎ，Ｎ−ビス−（ステアロイル−２−ヒドロキシプロピル）−Ｎ，Ｎ−ジメチルアンモニウムクロリド、１，２−ジ−（ステアロイル−オキシ）３−トリメチルアンモニウムプロパンクロリド、ジカノーラジメチルアンモニウムクロリド、ジ（ハード）タロージメチルアンモニウムクロリド、ジカノーラジメチルアンモニウムメチルスルファート、１−メチル−１−ステアロイルアミドエチル−２−ステアロイルイミダゾリニウムメチルスルファート、１−タローイルアミドエチル−２−タローイルイミダゾリン、ジパルミルメチルヒドロキシエチルアンモニウムメチルスルファート、及びこれらの混合物からなる群から選択される布地柔軟化活性物質を含む。
【０１０４】
多糖
本発明の一態様は、布地柔軟化活性物質としてカチオン性デンプンを含む布地強化剤組成物を提供する。一態様において、本発明の布地ケア組成物は、一般に、該組成物の約０．１重量〜約７重量％、あるいは約０．１重量％〜約５重量％、あるいは約０．３重量％〜約３重量％、あるいは約０．５重量％〜約２．０重量％のレベルでカチオン性デンプンを含む。本組成物での使用に好適なカチオンデンプンは、Ｃｅｒｅｓｔａｒから商品名Ｃ＊ＢＯＮＤ（登録商標）で、及びＮａｔｉｏｎａｌ  Ｓｔａｒｃｈ  ａｎｄ  Ｃｈｅｍｉｃａｌ  Ｃｏｍｐａｎｙから商品名ＣＡＴＯ（登録商標）２Ａで市販されている。
【０１０５】
ショ糖エステル
非イオン性布地ケア有益剤は、ショ糖エステルを含むことができ、典型的にはショ糖及び脂肪酸から誘導される。ショ糖エステルは、ヒドロキシル基の１つ又は２つ以上がエステル化されているショ糖部分で構成されている。
【０１０６】
ショ糖は次式を有する二糖である。
【０１０７】
【化１８】
2018199824.tif 000025
【０１０８】
代替的に、ショ糖分子を式Ｍ（ＯＨ）８（式中、Ｍは二糖主鎖である）によって表すことができ、この分子中には合計８個のヒドロキシル基がある。
【０１０９】
したがって、ショ糖エステルを次式によって表すことができる。
Ｍ（ＯＨ）８−ｘ（ＯＣ（Ｏ）Ｒ１）ｘ
式中、ｘは、エステル化されているヒドロキシル基の数である一方で、（８−ｘ）は、未変化のままであるヒドロキシル基であり；ｘは１〜８、代替的に２〜８、代替的に３〜８、又は４〜８から選択される整数であり；Ｒ１部分は、Ｃ１〜Ｃ２２のアルキル又はＣ１〜Ｃ３０のアルコキシから独立して選択され、線状又は分枝状であり、環式又は非環式であり、飽和又は不飽和であり、置換又は非置換である。
【０１１０】
一実施形態において、Ｒ１部分は、独立して選択される様々な鎖長を有する線状アルキル又はアルコキシ部分を含む。例えば、Ｒ１は、直鎖の約２０％よりも多くがＣ１８であり、代替的に直鎖の約５０％よりも多くがＣ１８であり、代替的に直鎖の約８０％よりも多くがＣ１８である直鎖状アルキル又はアルコキシ部分の混合物を含むこともある。
【０１１１】
別の実施形態では、Ｒ１部分は、飽和及び不飽和アルキル又はアルコキシ部分の混合物を含み；不飽和度は、標準ＡＯＣＳ法によって測定されるような「ヨウ素価」（以降「ＩＶ」と呼ぶ）によって測定することができる。本明細書における使用に好適なショ糖エステルのＩＶは、約１〜約１５０、又は約２〜約１００、又は約５〜約８５の範囲である。Ｒ１部分を水素添加して、不飽和度を低減させてもよい。より高いＩＶ、例えば、約４０〜約９５、が好ましい場合には、オレイン酸、並びにダイズ油及びキャノーラ油から誘導された脂肪酸が出発材料である。
【０１１２】
更なる実施形態において、不飽和Ｒ１部分は、不飽和部位について「シス」型と「トランス」型の混合物を含み得る。「シス」／「トランス」比は、約１：１〜約５０：１、又は約２：１〜約４０：１、又は約３：１〜約３０：１、又は約４：１〜約２０：１の範囲であってよい。
【０１１３】
分散性ポリオレフィン
一般に、布地ケアの恩恵をもたらすあらゆる分散性ポリオレフィンを、本発明において水不溶性布地ケア有益剤として使用することができる。該ポリオレフィンは、ワックス、エマルション、分散液又は懸濁液の形態であることができる。非限定例を以下に記載する。
【０１１４】
一実施形態では、ポリオレフィンは、ポリエチレン、ポリプロピレン、又はそれらの組み合わせから選択される。ポリオレフィンは、カルボキシル、アルキルアミド、スルホン酸、又はアミド基のような様々な官能基を含有するように、少なくとも部分的に変性され得る。別の実施形態では、ポリオレフィンは少なくとも部分的にカルボキシ変性されており、又は言い換えると、酸化されている。
【０１１５】
配合を容易にするために、分散性ポリオレフィンは、乳化剤の使用により分散されたポリオレフィンの懸濁液又はエマルションンとして導入され得る。ポリオレフィン懸濁液又はエマルションは、約１重量％〜約６０重量％、代替的に約１０重量％〜約５５重量％、代替的に約２０重量％〜約５０重量％のポリオレフィンを含み得る。ポリオレフィンは、約２０°〜約１７０℃、代替的に約５０°〜約１４０℃のワックス滴点を有し得る（ＡＳＴＭ  Ｄ３９５４−  ９４，ｖｏｌｕｍｅ  １５．０４−−−「Ｓｔａｎｄａｒｄ  Ｔｅｓｔ  Ｍｅｔｈｏｄ  ｆｏｒ  Ｄｒｏｐｐｉｎｇ  Ｐｏｉｎｔ  ｏｆ  Ｗａｘｅｓ」を参照のこと）。好適なポリエチレンワックスは、Ｈｏｎｅｙｗｅｌｌ（Ａ−Ｃポリエチレン）、Ｃｌａｒｉａｎｔ（Ｖｅｌｕｓｔｒｏｌ（登録商標）エマルション）、及びＢＡＳＦ（ＬＵＷＡＸ（登録商標））を含むがこれらに限定されない供給元から市販されている。
【０１１６】
エマルションを分散性ポリオレフィンと併用する場合には、乳化剤は、いずれの好適な乳化剤であってもよい。非限定例としては、アニオン性、カチオン性、非イオン性界面活性剤、又はそれらの組み合わせが挙げられる。しかしながら、ほぼ全て好適な界面活性剤又は懸濁剤を乳化剤として使用してもよい。分散性ポリオレフィンは、乳化剤をポリオレフィンワックスに対してそれぞれ約１：１００〜約１：２、代替的に約１：５０〜約１：５の比で使用することにより分散される。
【０１１７】
ポリマーラテックス
ポリマーラテックスは、１つ以上のモノマー、１つ以上の乳化剤、反応開始剤、及び当業者には馴染みの他の構成成分を含む、乳化重合によって製造される。一般に、布地ケアの恩恵をもたらすあらゆるポリマーラテックスを本発明の水不溶性布地ケア有益剤として使用することができる。付加的な非限定例としては、以下のものなどの、ポリマーラテックスの製造に使用されるモノマーが挙げられる：（１）１００％すなわち純粋なブチルアクリレート；（２）少なくとも２０％（重量モノマー比）のブチルアクリレートを有する、ブチルアクリレートとブタジエンの混合物；（３）ブチルアクリレートと２０％未満（重量比）の他のモノマー（ブタジエンを除く）；（４）Ｃ６又はそれより大きいアルキル炭素鎖を有するアクリルアクリレート；（５）Ｃ６又はそれより大きいアルキル炭素鎖を有するアクリルアクリレートと、５０％（重量モノマー比）の他のモノマー；（６）上述のモノマー系に添加される第３のモノマー（重量モノマー比２０％未満）；及び（７）これらの組み合わせ。
【０１１８】
本発明において好適な布地ケア有益剤類であるポリマーラテックス類としては、約−１２０℃〜約１２０℃、代替的に約−８０℃〜約６０℃のガラス転移温度を有するものが挙げられ得る。好適な乳化剤としては、アニオン性界面活性剤、カチオン性界面活性剤、非イオン性界面活性剤、及び両性界面活性剤が挙げられる。好適な開始剤は、ポリマーラテックスの乳化重合に好適であるものを含む。ポリマーラテックスの粒径直径（χ５０）は、約１ｎｍ〜約１０μｍ、代替的に約１０ｎｍ〜約１μｍ、又は更には約１０ｎｍ〜約２０ｎｍであることができる。
【０１１９】
脂肪酸
本発明の一態様は、遊離脂肪酸などの脂肪酸を含む布地柔軟化組成物を提供する。用語「脂肪酸」は、脂肪酸の非プロトン化又はプロトン化形態を含むように本明細書では最も広い意味で使用され、別の化学的部分に結合した又は未結合の脂肪酸、並びに脂肪酸のこれらの種の様々な組み合わせを含む。当業者は、脂肪酸がプロトン化されるか、プロトン化されないかが、一部は、水性組成物のｐＨによって決まることを容易に理解するであろう。別の実施形態において、脂肪酸は、その非プロトン化形態、すなわち塩形態であり、カルシウム、マグネシウム、ナトリウム、カリウムなど（しかしこれらに限定されない）の対イオンを伴う。用語「遊離脂肪酸」は、別の化学部分に対して別の化学部分に結合（共有結合又は別様に結合）していない脂肪酸を意味する。
【０１２０】
一実施形態において、脂肪酸は、脂肪部分が約１０〜約２２個、約１２〜約１８個、又は更には約１４（ミッドカット）〜約１８個の炭素原子を含有する、約１２〜約２５個、約１３〜約２２個、又は更には約１６〜２０個の全炭素原子を含有するものを含み得る。
【０１２１】
本発明の脂肪酸は、以下のものに由来し得る：（１）動物脂肪及び／又は部分水素添加動物脂肪、例えば牛脂、ラードなど；（２）植物油及び／又は部分水素添加植物油、例えば、カノーラ油、ベニバナ油、ピーナッツ油、ヒマワリ油、ゴマ種子油、ナタネ油、綿実油、トウモロコシ油、ダイズ油、トール油、米ぬか油、パーム油、パーム核油、ヤシ油、他の熱帯パーム油、アマニ油、キリ油など；（３）熱、圧力、アルカリ異性化反応及び触媒処理を経た亜麻仁油又はキリ油などの加工油及び／又はボディイド油（bodied oil）；（４）飽和（例えばステアリン酸）、不飽和（例えばオレイン酸）、多不飽和（リノール酸）、分枝状（例えばイソステアリン酸）又は環状（例えば、多不飽和酸の飽和又は不飽和α−二置換シクロペンチル又はシクロヘキシル誘導体）脂肪酸を生じさせるための、上記のものの混合物。
【０１２２】
異なる脂肪源からの脂肪酸の混合物を使用することができる。
【０１２３】
一態様において、本発明の布地柔軟化組成物中に存在する脂肪酸の少なくとも大部分、例えば、該組成物中に存在する脂肪酸の総重量の約４０重量％〜１００重量％、好ましくは約５５重量％〜約９９重量％、より好ましくは約６０重量％〜約９８重量％は不飽和であるが、完全飽和の及び部分飽和脂肪酸を使用することもできる。したがって、本発明の組成物の全脂肪酸の多不飽和脂肪酸の総レベル（ＴＰＵ）は、本組成物中に存在する脂肪酸の総重量の約０重量％〜約７５重量％であり得る。
【０１２４】
不飽和脂肪酸のシス／トランス比は、重要であり得、（Ｃ１８：１材料の）シス／トランス比は、少なくとも約１：１、少なくとも約３：１、約４：１以上、又は更には約９：１以上である。
【０１２５】
イソステアリン酸などの分枝状脂肪酸もまた、それらが、酸化並びに結果として生じる色及び臭気の質の悪化に対してより安定であり得るので、好適である。
【０１２６】
ヨウ素価すなわち「ＩＶ」は、脂肪酸中の不飽和度の測定単位となる。本発明の一実施形態において、脂肪酸は、約１０〜約１４０、約１５〜約１００、又は更には約１５〜約６０のＩＶを有する。
【０１２７】
脂肪酸エステル布地ケア活性物質のもう１つのクラスは、植物油（例えばダイズ、ヒマワリ、及びカノーラ）、炭化水素系油（天然及び合成石油潤滑油、一態様ではポリオレフィン、イソパラフィン、及び環状パラフィン）、トリオレイン、脂肪酸エステル、脂肪アルコール、脂肪アミン、脂肪アミド、及び脂肪酸エステルアミンを含む（しかしこれらに限定されない）、ソフトニングオイルである。油を脂肪酸柔軟化剤、粘土、及びシリコーンと併用することができる。
【０１２８】
粘土
本発明の一実施形態において、布地ケア組成物は、布地ケア活性物質として粘土を含み得る。一実施形態において、粘土は柔軟剤であることができ、又は別の柔軟化活性物質、例えばシリコーンとの共柔軟剤であることができる。好適な粘土としては、地質学的にスメクタイトに分類される材料が挙げられる。
【０１２９】
シリコーン
一実施形態において、布地柔軟化組成物は、シリコーンを含む。シリコーンの好適なレベルは、組成物の約０．１重量％〜約７０重量％、代替的に約０．３重量％〜約４０重量％、代替的に約０．５重量％〜約３０重量％、代替的に約１重量％〜約２０重量％を含み得る。有用なシリコーンは、任意のシリコーン含有化合物であり得る。一実施形態において、シリコーンポリマーは、環状シリコーン、ポリジメチルシロキサン、アミノシリコーン、カチオン性シリコーン、シリコーンポリエーテル、シリコーン樹脂、シリコーンウレタン、及びそれらの混合物からなる群から選択される。一実施形態において、シリコーンは、ポリジアルキルシリコーン、代替的にポリジメチルシリコーン（ポリジメチルシロキサン又は「ＰＤＭＳ」）、又はこれらの誘導体である。別の実施形態において、シリコーンは、アミノ官能性シリコーン、アミノ−ポリエーテルシリコーン、アルキルオキシル化シリコーン、カチオン性シリコーン、エトキシ化シリコーン、プロポキシ化シリコーン、エトキシ化／プロポキシ化シリコーン、四級シリコーン、又はこれらの組み合わせから選択される。
【０１３０】
別の実施形態において、シリコーンは、次式を有するランダム又はブロック状オルガノシリコーンポリマーから選択され得る。
［Ｒ１Ｒ２Ｒ３ＳｉＯ１／２］（ｊ＋２）［（Ｒ４Ｓｉ（Ｘ−Ｚ）Ｏ２／２］ｋ［Ｒ４Ｒ４ＳｉＯ２／２］ｍ［Ｒ４ＳｉＯ３／２］ｊ
式中、
ｊは、０〜約９８の整数であり、一態様では、ｊは、０〜約４８の整数であり；一態様では、ｊは、０であり；
ｋは、０〜約２００の整数であり、一態様では、ｋは、０〜約５０であり、ｋ＝０であるとき、Ｒ１、Ｒ２、又はＲ３のうちの少なくとも１つは、−Ｘ−Ｚであり；
ｍは、４〜約５，０００の整数であり、一態様では、ｍは、約１０〜約４，０００の整数であり、別の態様では、ｍは、約５０〜約２，０００の整数であり；
Ｒ１、Ｒ２及びＲ３は、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ及びＸ−Ｚからなる群から各々独立して選択され；
各Ｒ４は、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、及びＣ１〜Ｃ３２置換アルコキシからなる群から独立して選択され；
該アルキルシロキサンポリマー中の各Ｘは、２〜１２個の炭素原子を含む置換又は非置換二価アルキレンラジカルを含み、一態様では、各二価アルキレンラジカルは、−（ＣＨ２）ｓ−からなる群から独立して選択され、ｓは約２〜約８、約２〜約４の整数であり；一態様において、該アルキルシロキサンポリマー中の各Ｘは、以下のものからなる群から選択される置換二価アルキレンラジカルであり：−ＣＨ２−ＣＨ（ＯＨ）−ＣＨ２；−ＣＨ２−ＣＨ２−ＣＨ（ＯＨ）−；及び
【０１３１】
【化１９】
2018199824.tif 000026
各Ｚは、
【０１３２】
【化２０】
2018199824.tif 000027
からなる群から独立して選択されるが、但し、Ｚがクォートであるとき、Ｑはアミド、イミン、又は尿素部分であることができないこと、及びＱが、アミド、イミン、又は尿素部分である場合には、該アミド、イミド、又は尿素部分と同じ窒素に結合されている付加的なＱはいずれも、Ｈ又はＣ１〜Ｃ６アルキルでなければならず、一態様では該付加的なＱがＨであることを条件とし；Ｚに関し、Ａｎ−は、好適な電荷平衡アニオンである。一態様において、Ａｎ−は、Ｃｌ−、Ｂｒ−、Ｉ−、メチルスルフェート、トルエンスルホネート、カルボキシレート、及びホスフェートからなる群から選択され；該オルガノシリコーン中の少なくとも１つのＱは、以下のものから独立して選択され：
−ＣＨ２−ＣＨ（ＯＨ）−ＣＨ２−Ｒ５；
【０１３３】
【化２１】
2018199824.tif 000028
該オルガノシリコーン中の更なるＱ各々は、以下のものから独立して選択され：Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、−ＣＨ２−ＣＨ（ＯＨ）−ＣＨ２−Ｒ５；
【０１３４】
【化２２】
2018199824.tif 000029
式中、各Ｒ５は、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、−（ＣＨＲ６−ＣＨＲ６−Ｏ−）ｗ−Ｌ及びシロキシ残基からなる群から独立して選択され；
各Ｒ６は、Ｈ、Ｃ１〜Ｃ１８アルキルから独立して選択され、各Ｌは、−Ｃ（Ｏ）−Ｒ７又はＲ７から独立して選択され；
ｗは、０〜約５００の整数であり、一態様では、ｗは、１〜約２００の整数であり；一態様では、ｗは、約１〜約５０の整数であり；
各Ｒ７は、以下のものからなる群から独立して選択され：Ｈ、Ｃ１〜Ｃ３２アルキル；Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール及びシロキシ残基；
各Ｔは、Ｈ、及び
【０１３５】
【化２３】
2018199824.tif 000030
から独立して選択され；
式中、該オルガノシリコーンの各ｖは、１〜約１０の整数であり、一態様では、ｖは１〜約５の整数であり、該オルガノシリコーンの各Ｑの全ての添え字ｖの合計は、１〜約３０、又は１〜約２０、又は更には１〜約１０の整数である。
【０１３６】
別の実施形態において、シリコーンは、次式を有するランダム又はブロック状オルガノシリコーンポリマーから選択され得る。
［Ｒ１Ｒ２Ｒ３ＳｉＯ１／２］（ｊ＋２）［（Ｒ４Ｓｉ（Ｘ−Ｚ）Ｏ２／２］ｋ［Ｒ４Ｒ４ＳｉＯ２／２］ｍ［Ｒ４ＳｉＯ３／２］ｊ
（式中、
ｊは、０〜約９８の整数であり；一態様では、ｊは、０〜約４８の整数であり；一態様では、ｊは、０であり；
ｋは、０〜約２００の整数であり、ｋ＝０であるとき、Ｒ１、Ｒ２、又はＲ３のうちの少なくとも１つは、−Ｘ−Ｚであり；一態様では、ｋは、０〜約５０の整数であり；
ｍは、４〜約５，０００の整数であり；一態様では、ｍは、約１０〜約４，０００の整数であり；別の態様では、ｍは、約５０〜約２，０００の整数であり；
Ｒ１、Ｒ２及びＲ３は、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ及びＸ−Ｚからなる群から各々独立して選択され；
各Ｒ４は、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、及びＣ１〜Ｃ３２置換アルコキシからなる群から独立して選択され；
各Ｘは、２〜１２個の炭素原子を含む置換又は非置換二価アルキレンラジカルを含み；一態様において、各Ｘは、以下のものからなる群から独立して選択され：−（ＣＨ２）ｓ−Ｏ−；−ＣＨ２−ＣＨ（ＯＨ）−ＣＨ２−Ｏ−；
【０１３７】
【化２４】
2018199824.tif 000031
式中、各ｓは独立して約２〜約８の整数であり、一態様では、ｓは、約２〜約４の整数であり；
該オルガノシロキサン中の少なくとも１つのＺは、以下のものからなる群から選択され：Ｒ５；
【０１３８】
【化２５】
2018199824.tif 000032
但し、Ｘが
【０１３９】
【化２６】
2018199824.tif 000033
であるときには、Ｘ＝−ＯＲ５又は
【０１４０】
【化２７】
2018199824.tif 000034
であることを条件とし；
Ａ−は、好適な電荷平衡アニオンである。一態様において、Ａ−は、Ｃｌ−、Ｂｒ−、Ｉ−、メチルスルフェート、トルエンスルホネート、カルボキシレート及びホスフェートからなる群から選択され、該オルガノシリコーン中の追加の各Ｚは、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｒ５、
【０１４１】
【化２８】
2018199824.tif 000035
からなる群から独立して選択されるが、但しＸが
【０１４２】
【化２９】
2018199824.tif 000036
の場合、Ｚ＝−ＯＲ５又は
【０１４３】
【化３０】
2018199824.tif 000037
であり；
各Ｒ５は、Ｈ；Ｃ１〜Ｃ３２アルキル；Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール又はＣ６〜Ｃ３２アルキルアリール、又はＣ６〜Ｃ３２置換アルキルアリール、−（ＣＨＲ６−ＣＨＲ６−Ｏ−）ｗ−ＣＨＲ６−ＣＨＲ６−Ｌ及びシロキシル残基からなる群から独立して選択され、各Ｌは、Ｏ−Ｃ（Ｏ）−Ｒ７又は−Ｏ−Ｒ７；
【０１４４】
【化３１】
2018199824.tif 000038
から独立して選択され；
ｗは０〜約５００の整数であり、一態様では、ｗは０〜約２００の整数であり、一態様では、ｗは０〜約５０の整数であり；
各Ｒ６は、Ｈ又はＣ１〜Ｃ１８アルキルから独立して選択され；
各Ｒ７は、以下のものからなる群から独立して選択され：Ｈ；Ｃ１〜Ｃ３２アルキル；Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、及びＣ６〜Ｃ３２置換アルキルアリール、並びにシロキシル残基；
各Ｔは、以下のものから独立して選択され：Ｈ；
【０１４５】
【化３２】
2018199824.tif 000039
該オルガノシリコーンの各ｖは、１〜約１０の整数であり、一態様では、ｖは１〜約５の整数であり、該オルガノシリコーンの各Ｚの全ての添え字ｖの合計は、１〜約３０、又は１〜約２０、又は更には１〜約１０の整数である。
【０１４６】
一実施形態において、シリコーンは比較的大きな分子量を有するものである。シリコーンの分子量を記述するための好適な方法としては、その粘度の記述が挙げられる。高分子量シリコーンは、約１０ｍｍ２／ｓ〜約３，０００，０００ｍｍ２／ｓ（約１０ｃＳｔ〜約３，０００，０００ｃＳｔ）、又は約１００ｍｍ２／ｓ〜約１，０００，０００ｍｍ２／ｓ（約１００ｃＳｔ〜約１，０００，０００ｃＳｔ）、又は約１，０００ｍｍ２／ｓ〜約６００，０００ｍｍ２／ｓ（約１，０００ｃＳｔ〜約６００，０００ｃＳｔ）、又は更には約６，０００ｍｍ２／ｓ〜約３００，０００ｍｍ２／ｓ（約６，０００ｃＳｔ〜約３００，０００ｃＳｔ）の粘度を有するものである。
【０１４７】
一実施形態において、シリコーンは、次式を有するブロック状カチオン性オルガノポリシロキサンを含む。
ＭｗＤｘＴｙＱｚ
式中、
Ｍ＝［ＳｉＲ１Ｒ２Ｒ３Ｏ１／２］、［ＳｉＲ１Ｒ２Ｇ１Ｏ１／２］、［ＳｉＲ１Ｇ１Ｇ２Ｏ１／２］、［ＳｉＧ１Ｇ２Ｇ３Ｏ１／２］、又はこれらの組み合わせであり；
Ｄ＝［ＳｉＲ１Ｒ２Ｏ２／２］、［ＳｉＲ１Ｇ１Ｏ２／２］、［ＳｉＧ１Ｇ２Ｏ２／２］、又はこれらの組み合わせであり；
Ｔ＝［ＳｉＲ１Ｏ３／２］、［ＳｉＧ１Ｏ３／２］、又はこれらの組み合わせであり；
Ｑ＝［ＳｉＯ４／２］であり；
ｗ＝１〜（２＋ｙ＋２ｚ）の整数であり；
ｘ＝５〜１５，０００の整数であり；
ｙ＝０〜９８の整数であり；
ｚ＝０〜９８の整数であり；
Ｒ１、Ｒ２及びＲ３は、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ、Ｃ１〜Ｃ３２アルキルアミノ、並びにＣ１〜Ｃ３２置換アルキルアミノからなる群から各々独立して選択され；
Ｍ、Ｄ、又はＴの少なくとも１つは、少なくとも１つのＧ１、Ｇ２、又はＧ３部分を組み込んでおり；並びにＧ１、Ｇ２、又はＧ３は、各々独立して、次式から各々独立して選択され：
【０１４８】
【化３３】
2018199824.tif 000040
式中、
Ｘは、Ｃ１〜Ｃ３２アルキレン、Ｃ１〜Ｃ３２置換アルキレン、Ｃ５〜Ｃ３２又はＣ６〜Ｃ３２アリーレン、Ｃ５〜Ｃ３２又はＣ６〜Ｃ３２置換アリーレン、Ｃ６〜Ｃ３２アリールアルキレン、Ｃ６〜Ｃ３２置換アリールアルキレン、Ｃ１〜Ｃ３２アルコキシ、Ｃ１〜Ｃ３２置換アルコキシ、Ｃ１〜Ｃ３２アルキレンアミノ、Ｃ１〜Ｃ３２置換アルキレンアミノ、開環エポキシド及び開環グリシジルからなる群から選択される二価ラジカルを含むが、但し、Ｘが、繰り返しアルキレンオキシド部分を含まない場合には、Ｘは、Ｐ、Ｎ及びＯからなる群から選択されるヘテロ原子を更に含むことができることを条件とし；
各Ｒ４は、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、及びＣ６〜Ｃ３２置換アルキルアリールからなる群から独立して選択される、同一の又は異なる一価ラジカルを含み；
Ｅは、Ｃ１〜Ｃ３２アルキレン、Ｃ１〜Ｃ３２置換アルキレン、Ｃ５〜Ｃ３２又はＣ６〜Ｃ３２アリーレン、Ｃ５〜Ｃ３２又はＣ６〜Ｃ３２置換アリーレン、Ｃ６〜Ｃ３２アリールアルキレン、Ｃ６〜Ｃ３２置換アリールアルキレン、Ｃ１〜Ｃ３２アルコキシ、Ｃ１〜Ｃ３２置換アルコキシ、Ｃ１〜Ｃ３２アルキレンアミノ、Ｃ１〜Ｃ３２置換アルキレンアミノ、開環エポキシド及び開環グリシジルからなる群から選択される二価ラジカルを含むが、但し、Ｅが、繰り返しアルキレンオキシド部分を含まない場合には、Ｅは、Ｐ、Ｎ及びＯからなる群から選択されるヘテロ原子を更に含むことができることを条件とし；
Ｅ’は、Ｃ１〜Ｃ３２アルキレン、Ｃ１〜Ｃ３２置換アルキレン、Ｃ５〜Ｃ３２又はＣ６〜Ｃ３２アリーレン、Ｃ５〜Ｃ３２又はＣ６〜Ｃ３２置換アリーレン、Ｃ６〜Ｃ３２アリールアルキレン、Ｃ６〜Ｃ３２置換アリールアルキレン、Ｃ１〜Ｃ３２アルコキシ、Ｃ１〜Ｃ３２置換アルコキシ、Ｃ１〜Ｃ３２アルキレンアミノ、Ｃ１〜Ｃ３２置換アルキレンアミノ、開環エポキシド及び開環グリシジルからなる群から選択される二価ラジカルを含むが、但し、Ｅ’が、繰り返しアルキレンオキシド部分を含まない場合には、Ｅ’は、Ｐ、Ｎ及びＯからなる群から選択されるヘテロ原子を更に含むことができることを条件とし；
ｐは、１〜５０から独立して選択される整数であり；
ｎは、１又は２から独立して選択される整数であり；
Ｇ１、Ｇ２又はＧ３のうちの少なくとも１つが、正電荷を有するとき、Ａ−ｔは、好適な電荷平衡アニオン（単数又は複数）であり、したがって、電荷平衡アニオン（単数又は複数）の全電荷であるｋは、Ｇ１、Ｇ２又はＧ３部分の正味電荷と大きさが等しく、かつ符号が反対であり；ｔは１、２、又は３から独立して選択される整数であり；ｋ≦（ｐ＊２／ｔ）＋１であり；したがって、カチオン電荷の総数は、オルガノポリシロキサン分子中のアニオン電荷の総数と釣り合い；
並びに少なくとも１つのＥは、エチレン部分を含まない。
【０１４９】
界面活性剤
いくつかの例では、追加の界面活性剤は、１種以上のアニオン性界面活性剤を含む。いくつかの例では、追加の界面活性剤は、１種以上のアニオン性界面活性剤から本質的になってもよく、又は更には１種以上のアニオン性界面活性剤からなってもよい。
【０１５０】
好適なアニオン性界面活性剤の具体的な非限定例としては、任意の従来のアニオン性界面活性剤が挙げられる。これは、例えばアルコキシル化及び／又は非アルコキシル化アルキルサルフェート材料用のサルフェート洗浄性界面活性剤、及び／又はスルホン酸系洗浄性界面活性剤、例えばアルキルベンゼンスルホネートを含んでもよい。
【０１５１】
アルコキシル化アルキルサルフェート材料は、アルキルエーテルサルフェート又はアルキルポリエトキシレートサルフェートとしても既知のエトキシル化アルキルサルフェート界面活性剤を含む。エトキシル化アルキルサルフェートの例としては、水溶性塩、特に約８個〜約３０個の炭素原子を含有するアルキル基並びにスルホン酸及びその塩を分子構造の中に有する有機硫黄化合物のアルカリ金属塩、アンモニウム塩、及びアルキロールアンモニウム塩が挙げられる。用語「アルキル」には、アシル基のアルキル部分が含まれる。いくつかの例では、アルキル基は、約１５個の炭素原子〜約３０個の炭素原子を含有する。別の例では、アルキルエーテルサルフェート界面活性剤は、約１２〜３０個の炭素原子の範囲内の平均（算術平均）炭素鎖長、及びいくつかの例では約１２〜１５個の炭素原子の平均炭素鎖長、並びに約１ｍｏｌ〜４ｍｏｌのエチレンオキシドの平均（算術平均）エトキシル化度、及びいくつかの例では約１．８ｍｏｌから約４ｍｏｌのエチレンオキシドの平均（算術平均）エトキシル化度を有する、アルキルエーテルサルフェートの混合物であってもよい。更なる例では、アルキルエーテルサルフェート界面活性剤は、約１０個の炭素原子〜約１８個の炭素原子の炭素鎖長、及び約１〜約６モルのエチレンオキシドのエトキシル化度を有してもよい。更なる例では、本アルキルエーテルサルフェート界面活性剤は、ピークのあるエトキシル化分布を含んでもよい。
【０１５２】
非エトキシル化アルキルサルフェートはまた、開示されている清浄組成物に添加されて、アニオン性界面活性剤の構成成分として使用されてもよい。非アルコキシル化、例えば非エトキシル化アルキルサルフェート界面活性剤の例としては、高級Ｃ８〜Ｃ２０脂肪族アルコールの硫酸化により生成されるものが挙げられる。いくつかの例では、一級アルキルサルフェート界面活性剤は、一般式ＲＯＳＯ３−Ｍ＋を有し、式中、Ｒは典型的には、線状Ｃ８〜Ｃ２０ヒドロカルビル基であり（この基は、直鎖であっても、分岐鎖であってもよい）、Ｍは水溶化カチオンである。いくつかの例では、ＲはＣ１０〜Ｃ１５アルキルであり、Ｍはアルカリ金属である。別の例では、ＲはＣ１２〜Ｃ１４アルキルであり、Ｍはナトリウムである。
【０１５３】
他の有用なアニオン性界面活性剤は、アルキル基が約９〜約１５個の炭素原子を直鎖（線状）又は分岐鎖の構成で含有するアルキルベンゼンスルホネートのアルカリ金属塩を含むことができる。いくつかの例では、アルキル基は線状である。そのような線状アルキルベンゼンスルホネートは「ＬＡＳ」として既知である。別の例では、線状アルキルベンゼンスルホネートは、アルキル基中に約１１〜１４個の平均炭素原子数を有してもよい。具体的な例では、線状直鎖アルキルベンゼンスルホネートは、アルキル基中約１１．８個の炭素原子の平均炭素原子数を有し得、Ｃ１１．８  ＬＡＳと略称され得る。
【０１５４】
好適なアルキルベンゼンスルホネート（ＬＡＳ）は、市販の線状アルキルベンゼン（ＬＡＢ）をスルホン化することによって得ることができる。好適なＬＡＢとしては、商品名Ｉｓｏｃｈｅｍ（登録商標）としてＳａｓｏｌにより供給されているもの又はＰｅｔｒｅｓａにより商品名Ｐｅｔｒｅｌａｂ（登録商標）として供給されているものなどの低２−フェニルＬＡＢが挙げられ、他の好適なＬＡＢとしては、商品名Ｈｙｂｌｅｎｅ（登録商標）としてＳａｓｏｌにより供給されているものなどの高２−フェニルＬＡＢが挙げられる。好適なアニオン性洗浄性界面活性剤は、ＤＥＴＡＬ触媒プロセスによって得られるアルキルベンゼンスルホネートであるが、ＨＦなどの他の合成経路が好適な場合もある。一態様では、ＬＡＳのマグネシウム塩を用いる。
【０１５５】
洗浄性界面活性剤は、中鎖分枝状洗浄性界面活性剤、一態様では、中鎖分枝状アニオン性洗浄性界面活性剤、一態様では、中鎖分枝状アルキルサルフェート及び／又は中鎖分枝状アルキルベンゼンスルホネート、例えば、中鎖分枝状アルキルサルフェートであってもよい。一態様では、中鎖分枝は、Ｃ１〜４アルキル基、通常、メチル及び／又はエチル基である。
【０１５６】
本明細書で有用な他のアニオン性界面活性剤は、約８〜約２４個（いくつかの例では、約１２〜１８個）の炭素原子を含有するパラフィンスルホネート及び二級アルカンスルホネートの水溶性塩；アルキルグリセリルエーテルスルホネート、特にＣ８〜１８アルコール（例えば、獣脂及びココナッツ油由来のもの）のこれらのエーテルである。アルキルベンゼンスルホネートと、上述のパラフィンスルホネート、二級アルカンスルホネート及びアルキルグリセリルエーテルスルホネートとの混合物も有用である。更なる好適なアニオン性界面活性剤としては、メチルエステルスルホネート及びアルキルエーテルカルボキシレートが挙げられる。
【０１５７】
アニオン性界面活性剤は酸形で存在してもよく、中和されて界面活性剤塩を形成してもよい。典型的な中和剤としては、水酸化物、例えばＮａＯＨ又はＫＯＨなどの金属対イオン塩基が挙げられる。酸形のアニオン性界面活性剤の更なる好適な中和剤としては、アンモニア、アミン、又はアルカノールアミンが挙げられる。アルカノールアミンの非限定例としては、モノエタノールアミン、ジエタノールアミン、トリエタノールアミン、及び当該技術分野において既知の他の線状又は分枝状アルカノールアミンが挙げられる。好適なアルカノールアミンは、２−アミノ−１−プロパノール、１−アミノプロパノール、モノイソプロパノールアミン、又は１−アミノ−３−プロパノールを含む。アミン中和は完全又は部分的に行われてもよく、例えば、アニオン性界面活性剤混合物の一部はナトリウム又はカリウムにより中和されてもよく、及びアニオン性界面活性剤混合物の一部はアミン又はアルカノールアミンにより中和されてもよい。
【０１５８】
非イオン性界面活性剤
いくつかの態様では、追加の界面活性剤は、１つ以上の非イオン性界面活性剤を含む。特定の態様では、洗剤組成物は、本組成物の重量基準で、約０．１％〜約４０％の、１つ以上の非イオン性界面活性剤から選択される追加の界面活性剤を含む。特定の態様では、洗剤組成物は、本組成物の重量基準で、約０．１％〜約１５％の、１つ以上の非イオン性界面活性剤から選択される追加の界面活性剤を含む。更なる態様では、洗剤組成物は、本組成物の重量基準で、約０．３％〜約１０％の、１つ以上の非イオン性界面活性剤から選択される追加の界面活性剤を含む。
【０１５９】
本明細書で有用な好適な非イオン性界面活性剤は、任意の従来の非イオン性界面活性剤を含んでもよい。これらには、例えば、アルコキシル化脂肪族アルコール、及びアミンオキシド界面活性剤が含まれ得る。いくつかの例では、本清浄組成物は、エトキシル化非イオン性界面活性剤を含有してもよい。非イオン性界面活性剤は、式Ｒ（ＯＣ２Ｈ４）ｎＯＨ（式中、Ｒは、約８〜約１７個の炭素原子を含有する脂肪族炭化水素ラジカル及びアルキル基が約８〜約１２個の炭素原子を含有するアルキルフェニルラジカルからなる群から選択され、ｎの平均値は、約５〜約１５である）のエトキシル化アルコール及びエトキシル化アルキルフェノールから選択され得る。一例では、非イオン性界面活性剤は、アルコール中に平均約２４個の炭素原子及びアルコール１モルあたりエチレンオキシド約９モルの平均エトキシル化度を有するエトキシル化アルコールから選択される。
【０１６０】
本明細書で有用な、非イオン性界面活性剤の他の非限定例としては、Ｃ８〜Ｃ１８アルキルエトキシレート（ＮＥＯＤＯＬ（登録商標）非イオン性界面活性剤（Ｓｈｅｌｌ）など）；アルコキシレート単位がエチレンオキシ単位、プロピレンオキシ単位、又はそれらの混合物であり得る、Ｃ６〜Ｃ１２のアルキルフェノールアルコキシレート；Ｃ１２〜Ｃ１８アルコール及びエチレンオキシド／プロピレンオキシドブロックポリマーとのＣ６〜Ｃ１２アルキルフェノール縮合物（Ｐｌｕｒｏｎｉｃ（登録商標）（ＢＡＳＦ）など）；Ｃ１４〜Ｃ２２中鎖分枝状アルコール、アルキルポリ多糖、ポリヒドロキシ脂肪酸アミド及びエーテルキャップされた（capped）ポリ（オキシアルキル化）アルコール界面活性剤が挙げられる。
【０１６１】
好適な非イオン性洗浄性界面活性剤はまた、アルキルポリグルコシド及びアルキルアルコキシル化アルコールを含む。好適な非イオン性界面活性剤はまた、商品名Ｌｕｔｅｎｓｏｌ（登録商標）としてＢＡＳＦから販売されているものを含む。
【０１６２】
いくつかの態様では、非イオン性界面活性剤は、Ｃ８〜１８アルキルアルコキシル化アルコール、例えば、Ｃ８〜１８アルキルエトキシル化アルコールなどのアルキルアルコキシル化アルコールから選択される。アルキルアルコキシル化アルコールは、約１〜約５０、又は約１〜約３０、又は約１〜約２０、又は約１〜約１０の平均アルコキシル化度を有することができる。特定の態様では、アルキルアルコキシル化アルコールは、約１〜約１０、又は約１〜約７、又は約１〜約５、又は約３〜約７の平均エトキシル化度を有するＣ８〜１８アルキルエトキシル化アルコールである。アルキルアルコキシル化アルコールは、線状又は分枝状、置換又は非置換であり得る。
【０１６３】
カチオン性界面活性剤
いくつかの例では、追加の界面活性剤は、１つ以上のカチオン性界面活性剤を含む。
【０１６４】
特定の態様では、洗剤組成物は、本組成物の重量基準で、約０．１％〜約１０％の、１つ以上のカチオン性界面活性剤から選択される追加の界面活性剤を含む。特定の態様では、洗剤組成物は、本組成物の重量基準で、約０．１％〜約７％の、１つ以上のカチオン性界面活性剤から選択される追加の界面活性剤を含む。更なる態様では、洗剤組成物は、本組成物の重量基準で、約０．３％〜約５％の、１つ以上のカチオン性界面活性剤から選択される追加の界面活性剤を含む。いくつかの態様では、本発明の清浄組成物は、カチオン性界面活性剤、及びｐＨ７未満又はｐＨ６未満でカチオン性となる界面活性剤を実質的に含まない。
【０１６５】
カチオン性界面活性剤の非限定例としては、四級アンモニウム界面活性剤（最高２６個の炭素原子を有することができ、アルコキシル化四級アンモニウム（ＡＱＡ）界面活性剤、ジメチルヒドロキシエチルラウリルアンモニウムクロリドを含む）；ポリアミンカチオン性界面活性剤；カチオン性エステル界面活性剤及びアミノ界面活性剤、詳細には、アミドプロピルジメチルアミン（ＡＰＡ）及び／又はトリメチルアンモニウムＣ８〜１６アルキル塩が挙げられる。
【０１６６】
好適なカチオン性洗浄性界面活性剤としてはまた、アルキルピリジニウム化合物、アルキル四級アンモニウム化合物、アルキル四級ホスホニウム化合物、アルキル三級スルホニウム化合物、及びこれらの混合物も挙げられる。
【０１６７】
好適カチオン性浄性界面活性剤は、下記の一般式を有する四級アンモニウム化合物である。
（Ｒ）（Ｒ１）（Ｒ２）（Ｒ３）Ｎ＋Ｘ−
式中、Ｒは線状又は分枝状、置換又は非置換Ｃ６〜１８アルキル又はアルケニル部分であり、Ｒ１及びＲ２は、互いに独立して、メチル又はエチル部分から選択され、Ｒ３はヒドロキシ、ヒドロキシメチル、又はヒドロキシエチル部分であり、Ｘは電荷の中性を提供するアニオンであり、好適なアニオンとしては、例えばクロリドのようなハロゲン化物；サルフェート；及びスルホネートが挙げられる。好適なカチオン性洗浄性界面活性剤は、モノ−Ｃ６〜１８のアルキルモノ−ヒドロキシエチルジ−メチル四級アンモニウムクロリドである。高度に好適なカチオン性洗浄性界面活性剤は、モノ−Ｃ８〜１０のアルキルモノ−ヒドロキシエチルジ−メチル四級アンモニウムクロリド、モノ−Ｃ１０〜１２アルキルモノ−ヒドロキシエチルジ−メチル四級アンモニウムクロリド、及びモノ−Ｃ１０アルキルモノ−ヒドロキシエチルジ−メチル四級アンモニウムクロリドである。
【０１６８】
双性イオン性界面活性剤
双性イオン性界面活性剤の例としては、二級及び三級アミン誘導体、複素環式二級及び三級アミン誘導体、又は四級アンモニウム化合物、四級ホスホニウム化合物若しくは三級スルホニウム化合物の誘導体が挙げられる。具体例としては、Ｃ８〜Ｃ１８（例えば、Ｃ１２〜Ｃ１８）アミンオキシド、並びにＮ−アルキル−Ｎ，Ｎ−ジメチルアミノ−１−プロパンスルホネートなどのスルホ及びヒドロキシベタインが挙げられる（ここで、アルキル基は、Ｃ８〜Ｃ１８、特定の実施形態ではＣ１０〜Ｃ１４とすることができる）。
【０１６９】
両性界面活性剤
両性界面活性剤の例としては、二級又は三級アミンの脂肪族誘導体、又は複素環式二級及び三級アミンの脂肪族誘導体（脂肪族ラジカルが直鎖又は分岐鎖であってもよく、脂肪族置換基の１つが少なくとも約８個の炭素原子、通常、約８〜約１８個の炭素原子を含有し、脂肪族置換基の少なくとも１つはアニオン性水溶性基、例えばカルボキシ、スルホネート、サルフェートを含む）が挙げられる。この定義に入る化合物の例は、ナトリウム３−（ドデシルアミノ）プロピオネート、ナトリウム３−（ドデシルアミノ）プロパン−１−スルホネート、ナトリウム２−（ドデシルアミノ）エチルサルフェート、ナトリウム２−（ジメチルアミノ）オクタデカノエート、ジナトリウム３−（Ｎ−カルボキシメチルドデシルアミノ）プロパン１−スルホネート、ジナトリウムオクタデシル−イミノジアセテート、ナトリウム１−カルボキシメチル−２−ウンデシルイミダゾール、及びナトリウムＮ，Ｎ−ビス（２−ヒドロキシエチル）−２−スルファト−３−ドデコキシプロピルアミンである。好適な両性界面活性剤としては、また、サルコシネート、グリコシネート、タウリネート、及びこれらの混合物も挙げられる。
【０１７０】
分枝状界面活性剤
いくつかの例では、界面活性剤は分枝状界面活性剤であってもよく、好適な分枝状界面活性剤としては、分枝状サルフェート又は分枝状スルホネート界面活性剤、例えば、分枝状アルキルサルフェート、分枝状アルキルアルコキシル化サルフェート、及び分枝状アルキルベンゼンスルホネートから選択され、１つ以上のランダムアルキル分枝、例えば、Ｃ１〜４アルキル基、通常、メチル基及び／又はエチル基を含む、アニオン性分枝状界面活性剤が挙げられる。
【０１７１】
いくつかの態様では、分枝状洗浄性界面活性剤は、中鎖分枝状洗浄性界面活性剤、通常、中鎖分枝状アニオン性洗浄性界面活性剤、例えば、中鎖分枝状アルキルサルフェート及び／又は中鎖分枝状アルキルベンゼンスルホネートである。いくつかの態様では、洗浄性界面活性剤は、中鎖分枝状アルキルサルフェートである。いくつかの態様では、中鎖分枝は、Ｃ１〜４アルキル基、通常、メチル基及び／又はエチル基である。
【０１７２】
酵素
本明細書に記載の清浄組成物は、清浄性能及び／又は布地ケア効果をもたらす１つ以上の酵素を含み得る。好適な酵素の例としては、以下に限定されないが、ヘミセルラーゼ、ペルオキシダーゼ、プロテアーゼ、セルラーゼ、キシラナーゼ、リパーゼ、キシログルカナーゼ、ホスホリパーゼ、エステラーゼ、クチナーゼ、ペクチナーゼ、マンナナーゼ、ペクチン酸リアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はそれらの混合物が挙げられる。典型的な組み合わせは、例えば、プロテアーゼ及びリパーゼをアミラーゼとともに含んでよい酵素カクテルである。前述の追加の酵素は、洗剤組成物中に存在する場合、洗剤組成物の約０．００００１重量％〜約２重量％、約０．０００１重量％〜約１重量％、又は更には約０．００１重量％〜約０．５重量％の酵素タンパク質レベルで存在し得る。
【０１７３】
一態様では、好ましい酵素は、プロテアーゼを含む場合がある。好適なプロテアーゼには、メタロプロテアーゼ及びセリンプロテアーゼが挙げられ、例えばサブチリシン（ＥＣ  ３．４．２１．６２）のような、中性又はアルカリ性微生物セリンプロテアーゼが含まれる。好適なプロテアーゼとしては、動物、植物又は微生物由来のものが挙げられる。一態様では、こうした好適なプロテアーゼは、微生物由来のものであってもよい。好適なプロテアーゼとしては、前述の好適なプロテアーゼの化学的又は遺伝的に改変された突然変異体が挙げられる。一態様では、好適なプロテアーゼは、アルカリ性微生物プロテアーゼ又は／及びトリプシン型プロテアーゼなどのセリンプロテアーゼであってもよい。好適な中性又はアルカリ性プロテアーゼの例としては、以下が挙げられる。
（ａ）サブチリシン（ＥＣ  ３．４．２１．６２）（Ｂａｃｉｌｌｕｓ  ｌｅｎｔｕｓ、Ｂ．ａｌｋａｌｏｐｈｉｌｕｓ、Ｂ．ｓｕｂｔｉｌｉｓ、Ｂ．ａｍｙｌｏｌｉｑｕｅｆａｃｉｅｎｓ、Ｂａｃｉｌｌｕｓ  ｐｕｍｉｌｕｓ及びＢａｃｉｌｌｕｓ  ｇｉｂｓｏｎｉｉなどのバチルスから誘導されたものを含む）。
（ｂ）トリプシン（例えば、ブタ又はウシ由来）などのトリプシン型又はキモトリプシン型プロテアーゼ（フサリウム（Fusarium）プロテアーゼなど）。
（ｃ）メタロプロテアーゼ（Ｂａｃｉｌｌｕｓ  ａｍｙｌｏｌｉｑｕｅｆａｃｉｅｎｓから誘導されたものを含む）。好ましいプロテアーゼとしては、Ｂａｃｉｌｌｕｓ  ｇｉｂｓｏｎｉｉ又はＢａｃｉｌｌｕｓ  Ｌｅｎｔｕｓから誘導されたものが挙げられる。
【０１７４】
好適な市販のプロテアーゼ酵素としては、Ｎｏｖｏｚｙｍｅｓ  Ａ／Ｓ（Ｄｅｎｍａｒｋ）より、Ａｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ  Ｕｌｔｒａ（登録商標）、Ｓａｖｉｎａｓｅ  Ｕｌｔｒａ（登録商標）、Ｏｖｏｚｙｍｅ（登録商標）、Ｎｅｕｔｒａｓｅ（登録商標）、Ｅｖｅｒｌａｓｅ（登録商標）及びＥｓｐｅｒａｓｅ（登録商標）の商品名で販売されているもの、Ｇｅｎｅｎｃｏｒ  Ｉｎｔｅｒｎａｔｉｏｎａｌより、Ｍａｘａｔａｓｅ（登録商標）、Ｍａｘａｃａｌ（登録商標）、Ｍａｘａｐｅｍ（登録商標）、Ｐｒｏｐｅｒａｓｅ（登録商標）、Ｐｕｒａｆｅｃｔ（登録商標）、Ｐｕｒａｆｅｃｔ  Ｐｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）及びＰｕｒａｆｅｃｔ  ＯＸＰ（登録商標）の商品名で販売されているもの、Ｓｏｌｖａｙ  Ｅｎｚｙｍｅｓより、Ｏｐｔｉｃｌｅａｎ（登録商標）及びＯｐｔｉｍａｓｅ（登録商標）の商品名で販売されているもの、Ｈｅｎｋｅｌ／Ｋｅｍｉｒａより入手可能なもの、すなわちＢＬＡＰ（以下の変異Ｓ９９Ｄ＋Ｓ１０１Ｒ＋Ｓ１０３Ａ＋Ｖ１０４Ｉ＋Ｇ１５９Ｓを有する、米国特許第５，３５２，６０４号の図２９で示される配列、以下ＢＬＡＰという）、ＢＬＡＰ  Ｒ（Ｓ３Ｔ＋Ｖ４Ｉ＋Ｖ１９９Ｍ＋Ｖ２０５Ｉ＋Ｌ２１７Ｄを有するＢＬＡＰ）、ＢＬＡＰ  Ｘ（Ｓ３Ｔ＋Ｖ４Ｉ＋Ｖ２０５Ｉを有するＢＬＡＰ）及びＢＬＡＰ  Ｆ４９（Ｓ３Ｔ＋Ｖ４Ｉ＋Ａ１９４Ｐ＋Ｖ１９９Ｍ＋Ｖ２０５Ｉ＋Ｌ２１７Ｄを有するＢＬＡＰ）（全てＨｅｎｋｅｌ／Ｋｅｍｉｒａより入手可能）；並びに花王のＫＡＰ（突然変異体Ａ２３０Ｖ＋Ｓ２５６Ｇ＋Ｓ２５９Ｎを有するバチルス・アルカロフィルス由来のサブチリシン）が挙げられる。
【０１７５】
好適なα−アミラーゼとしては、細菌又は真菌由来のものが挙げられる。化学的に又は遺伝的に修飾された突然変異体（変異体）が含まれる。好ましいアルカリ性α−アミラーゼは、バチルスの菌種から、例えば、Ｂａｃｉｌｌｕｓ  ｌｉｃｈｅｎｉｆｏｒｍｉｓ、Ｂａｃｉｌｌｕｓ  ａｍｙｌｏｌｉｑｕｅｆａｃｉｅｎｓ、Ｂａｃｉｌｌｕｓ  ｓｔｅａｒｏｔｈｅｒｍｏｐｈｉｌｕｓ、Ｂａｃｉｌｌｕｓ  ｓｕｂｔｉｌｉｓ、又は他のバチラス種、例えばバチルス種、ＮＣＩＢ  １２２８９、ＮＣＩＢ  １２５１２、ＮＣＩＢ  １２５１３、ＤＳＭ  ９３７５、ＤＳＭ  １２３６８、ＤＳＭＺ  ｎｏ．１２６４９、ＫＳＭ  ＡＰ１３７８、ＫＳＭ  Ｋ３６、若しくはＫＳＭ  Ｋ３８などの、バチルスの菌株に由来する。好ましいアミラーゼとしては次のものが挙げられる。
（ａ）国際公開第９６／２３８７４号において配列番号２として列挙されている酵素に対して、位置：１５、２３、１０５、１０６、１２４、１２８、１３３、１５４、１５６、１８１、１８８、１９０、１９７、２０２、２０８、２０９、２４３、２６４、３０４、３０５、３９１、４０８、及び４４４の１つ以上において置換を有する変異体。
（ｂ）配列番号１２として列挙されているＡＡ５６０酵素に対して、位置：
２６、３０、３３、８２、３７、１０６、１１８、１２８、１３３、１４９、１５０、１６０、１７８、１８２、１８６、１９３、２０３、２１４、２３１、２５６、２５７、２５８、２６９、２７０、２７２、２８３、２９５、２９６、２９８、２９９、３０３、３０４、３０５、３１１、３１４、３１５、３１８、３１９、３３９、３４５、３６１、３７８、３８３、４１９、４２１、４３７、４４１、４４４、４４５、４４６、４４７、４５０、４６１、４７１、４８２、４８４のうちの１つ以上が置換された変異体であって、好ましくはＤ１８３＊及びＧ１８４＊の欠損を含有する変異体。
（ｃ）国際公開第０６／００２６４３号における配列番号４、バチルス属ＳＰ７２２からの野生型酵素と少なくとも９０％の同一性を示す変異体、とりわけ１８３及び１８４位に欠損を有する変異体、及び参照により本明細書中に組み込まれる国際公開第００／６００６０号に記載されている変異体。
（ｄ）バチルス属７０７（米国特許第６，０９３，５６２号の配列番号７）からの野生型酵素と少なくとも９５％の同一性を示す変異体、特に変異Ｍ２０２、Ｍ２０８、Ｓ２５５、Ｒ１７２、及び／又はＭ２６１を１つ以上含むもの。好ましくは、該アミラーゼは、Ｍ２０２Ｌ、Ｍ２０２Ｖ、Ｍ２０２Ｓ、Ｍ２０２Ｔ、Ｍ２０２Ｉ、Ｍ２０２Ｑ、Ｍ２０２Ｗ、Ｓ２５５Ｎ及び／又はＲ１７２Ｑのうちの１つ以上を含む。特に好ましいのは、Ｍ２０２Ｌ又はＭ２０２Ｔの突然変異を含むものである。
（ｅ）国際公開第０９／１４９１３０号に記載されている変異体、好ましくは国際公開第０９／１４９１３０号において配列番号１又は配列番号２と少なくとも９０％の同一性を有する変異体、ゲオバチルス・ステアロフェルモフィルス（Geobacillus Stearophermophiluss）に由来する野生型酵素又はその切断版。
【０１７６】
好適な市販のα−アミラーゼとしては：ＤＵＲＡＭＹＬ（登録商標）、ＬＩＱＵＥＺＹＭＥ（登録商標）、ＴＥＲＭＡＭＹＬ（登録商標）、ＴＥＲＭＡＭＹＬ  ＵＬＴＲＡ（登録商標）、ＮＡＴＡＬＡＳＥ（登録商標）、ＳＵＰＲＡＭＹＬ（登録商標）、ＳＴＡＩＮＺＹＭＥ（登録商標）、ＳＴＡＩＮＺＹＭＥ  ＰＬＵＳ（登録商標）、ＦＵＮＧＡＭＹＬ（登録商標）、及びＢＡＮ（登録商標）（Ｎｏｖｏｚｙｍｅｓ  Ａ／Ｓ（Ｂａｇｓｖａｅｒｄ，Ｄｅｎｍａｒｋ））；ＫＥＭＺＹＭ（登録商標）ＡＴ  ９０００（Ｂｉｏｚｙｍ  Ｂｉｏｔｅｃｈ  Ｔｒａｄｉｎｇ  ＧｍｂＨ（Ｗｅｈｌｉｓｔｒａｓｓｅ  ２７ｂ  Ａ−１２００  Ｗｉｅｎ  Ａｕｓｔｒｉａ）；ＲＡＰＩＤＡＳＥ（登録商標）、ＰＵＲＡＳＴＡＲ（登録商標）、ＥＮＺＹＳＩＺＥ（登録商標）、ＯＰＴＩＳＩＺＥ  ＨＴ  ＰＬＵＳ（登録商標）、ＰＯＷＥＲＡＳＥ（登録商標）、及びＰＵＲＡＳＴＡＲ  ＯＸＡＭ（登録商標）（Ｇｅｎｅｎｃｏｒ  Ｉｎｔｅｒｎａｔｉｏｎａｌ  Ｉｎｃ．，（Ｐａｌｏ  Ａｌｔｏ，Ｃａｌｉｆｏｒｎｉａ）；並びにＫＡＭ（登録商標）（花王株式会社（日本、〒１０３−８２１０、東京都中央区日本橋茅場町１丁目１４−１０））が挙げられる。一態様では、好適なアミラーゼとしては、ＮＡＴＡＬＡＳＥ（登録商標）、ＳＴＡＩＮＺＹＭＥ（登録商標）、及びＳＴＡＩＮＺＹＭＥ  ＰＬＵＳ（登録商標）、並びにそれらの混合物が挙げられる。
【０１７７】
一態様では、こうした酵素は、「第１サイクルのリパーゼ」を含む、リパーゼからなる群から選択することができる。一態様では、リパーゼは第１洗浄用リパーゼ、好ましくはＴ２３１Ｒ変異及びＮ２３３Ｒ変異のうちの１つ以上を含む、サーモマイセスラヌギノサス由来の野生型リパーゼの変異体である。野生型配列は、Ｓｗｉｓｓｐｒｏｔのアクセッション番号Ｓｗｉｓｓ−Ｐｒｏｔ  Ｏ５９９５２（サーモマイセス・ラヌギノサス（フミコーラ・ラヌギノサ）由来の２６９個のアミノ酸（アミノ酸２３〜２９１）である。好ましいリパーゼとしては、商品名Ｌｉｐｅｘ（登録商標）及びＬｉｐｏｌｅｘ（登録商標）で販売されているものが挙げられる。
【０１７８】
一態様では、他の好ましい酵素としては、エンド−β−１，４−グルカナーゼ活性（Ｅ．Ｃ．３．２．１．４）を呈する微生物由来のエンドグルカナーゼが挙げられ、それには米国特許第７，１４１，４０３（Ｂ２）号におけるアミノ酸配列の配列番号２と少なくとも９０％、９４％、９７％、更には９９％の同一性の配列を有するバチルス属のメンバー及びこれらの混合物に対して内因性である細菌ポリペプチドが含まれる。好適なエンドグルカナーゼは、商品名Ｃｅｌｌｕｃｌｅａｎ（登録商標）及びＷｈｉｔｅｚｙｍｅ（登録商標）（Ｎｏｖｏｚｙｍｅｓ  Ａ／Ｓ（Ｂａｇｓｖａｅｒｄ，Ｄｅｎｍａｒｋ）として販売されている。
【０１７９】
他の好ましい酵素としては、商品名Ｐｅｃｔａｗａｓｈ（登録商標）、Ｐｅｃｔａｗａｙ（登録商標）、Ｘｐｅｃｔ（登録商標）として販売されているペクチン酸リアーゼ、及び商品名Ｍａｎｎａｗａｙ（登録商標）（全てＮｏｖｏｚｙｍｅｓ  Ａ／Ｓ（Ｂａｇｓｖａｅｒｄ，Ｄｅｎｍａｒｋ））、及びＰｕｒａｂｒｉｔｅ（登録商標）（Ｇｅｎｅｎｃｏｒ  Ｉｎｔｅｒｎａｔｉｏｎａｌ  Ｉｎｃ．（Ｐａｌｏ  Ａｌｔｏ，Ｃａｌｉｆｏｒｎｉａ））で販売されているマンナーゼが挙げられる。
【０１８０】
酵素安定化系
本明細書に記載されている酵素含有組成物は、場合により、該組成物の重量基準で、約０．００１％〜約１０％、いくつかの例では、約０．００５％〜約８％、及び別の例では、約０．０１％〜約６％の酵素安定化系を含んでもよい。酵素安定化系は、洗浄性酵素と適合性のある任意の安定化系であってよい。そのような系は、他の配合物活性分によって本質的に提供されてもよく、又は洗剤に使用可能な酵素の配合者若しくは製造業者によって別個に添加されてもよい。そのような安定化系は、例えば、カルシウムイオン、ホウ酸、プロピレングリコール、短鎖カルボン酸、ボロン酸、塩素漂白剤捕捉剤及びそれらの混合物が含むことができ、清浄組成物のタイプ及び物理形態に応じて様々な安定化問題に対処するように設計される。プロテアーゼを含む水性洗剤組成物の場合は、ボレート、４−ホルミルフェニルボロン酸、フェニルボロン酸及びこれらの誘導体を含むホウ素化合物などの可逆的プロテアーゼ阻害剤、又はカルシウムホルメート、ナトリウムホルメート及び１，２−プロパンジオールなどの化合物を添加して、安定性を更に改善してもよい。
【０１８１】
ビルダー
本発明の清浄組成物は、場合により、ビルダーを含んでもよい。ビルダー入り清浄組成物は、典型的には、組成物の全重量に対して、少なくとも約１重量％のビルダーを含む。液体清浄組成物は、該組成物の総重量の最大約１０％、及び一部の例では、最大８％のビルダーを含み得る。顆粒清浄組成物は、該組成物の重量基準で、最大約３０％、及びいくつかの例では、最大５％のビルダーを含み得る。
【０１８２】
アルミノシリケート（例えば、ゼオライトＡ、ゼオライトＰ、及びゼオライトＭＡＰなどのゼオライトビルダー）及びシリケートから選択されるビルダーは、洗浄水の鉱物質硬度、特にカルシウム及び／又はマグネシウムの制御、又は表面からの微粒子汚れの除去を助ける。好適なビルダーは、ポリリン酸塩（例えばナトリウムトリ−ポリリン酸塩）、特にそのナトリウム塩などのリン酸塩；炭酸塩、重炭酸塩、セスキ炭酸塩、及び炭酸ナトリウム又はセスキ炭酸塩以外の炭酸塩鉱物；有機モノ−、ジ−、トリ−、及びテトラカルボキシレート、特に、酸、ナトリウム、カリウム、又はアルカノールアンモニウム塩形態の水溶性非界面活性剤カルボキシレート、並びに脂肪族及び芳香族の種類を含むオリゴマー又は水溶性低分子量ポリマーカルボキシレート、並びにフィチン酸からなる群から選択されてもよい。これらは、例えば、ｐＨ緩衝化の目的のためのホウ酸塩によって、又は硫酸塩、とりわけ硫酸ナトリウム、及び安定な界面活性剤及び／又はビルダー含有清浄組成物の工学に重要となり得る任意の他の充填剤又は担体によって補完されてもよい。更なる好適な洗剤ビルダーは、クエン酸、乳酸、脂肪酸、ポリカルボキシレートビルダー、例えばアクリル酸のコポリマー、アクリル酸及びマレイン酸のコポリマー、並びにアクリル酸及び／又はマレイン酸、及び多様な種類の追加の官能基を有するその他の好適なエチレン系モノマーのコポリマーから選択されてもよい。また、本明細書のビルダーとしての使用に好適なものは、鎖構造を有し、次の一般的な無水物形態ｘ（Ｍ２Ｏ）・ｙＳｉＯ２・ｚＭ’Ｏによって表される組成を有する、合成された結晶性イオン交換材料又はその水和物であり、式中、ＭはＮａ及び／又はＫであり、Ｍ’はＣａ及び／又はＭｇであり；ｙ／ｘは、０．５〜２．０であり；ｚ／ｘは、０．００５〜１．０である。
【０１８３】
あるいは、組成物はビルダーを実質的に含まなくてもよい。
【０１８４】
構造剤／増粘剤
ｉ．ジ−ベンジリデンポリオールアセタール誘導体
流体洗剤組成物は、約０．０１重量％〜約１重量％、又は約０．０５重量％〜約０．８重量％、又は約０．１重量％〜約０．６重量％、又は更に約０．３重量％〜約０．５重量％のジベンジリデンポリオールアセタール誘導体（ＤＢＰＡ）を含み得る。一態様では、ＤＢＰＡ誘導体は、ジベンジリデンソルビトールアセタール誘導体（ＤＢＳ）を含んでもよい。該ＤＢＳ誘導体は、以下からなる群から選択され得る：１，３：２，４−ジベンジリデンソルビトール；１，３：２，４−ジ（ｐ−メチルベンジリデン）ソルビトール；１，３：２，４−ジ（ｐ−クロロベンジリデン）ソルビトール；１，３：２，４−ジ（２，４−ジメチルジベンジリデン）ソルビトール；１，３：２，４−ジ（ｐ−エチルベンジリデン）ソルビトール；及び１，３：２，４−ジ（３，４−ジメチルジベンジリデン）ソルビトール又はこれらの混合物。
【０１８５】
ｉｉ．細菌セルロース
また、流体洗剤組成物は、約０．００５重量％〜約１重量％の細菌セルロース網状構造物を含み得る。用語「細菌セルロース」は、ＣＰＫｅｌｃｏ  Ｕ．Ｓ．によるＣＥＬＬＵＬＯＮ（登録商標）などのアセトバクター属の細菌の発酵によって生成された任意の種類のセルロースを包含し、かつ、ミクロフィブリル化セルロース、網目状細菌セルロースなどと一般に称される材料を含む。一態様では、その繊維の断面寸法は、１．６ｎｍ〜３．２ｎｍ×５．８ｎｍ〜１３３ｎｍである。更に、細菌セルロース繊維の平均ミクロ繊維長は、少なくとも約１００ｎｍ、又は約１００〜約１，５００ｎｍである。一態様では、細菌セルロースミクロ繊維は、約１００：１〜約４００：１、又は更には約２００：１〜約３００：１のアスペクト比、すなわち、平均ミクロ繊維の長さをミクロ繊維の最大断面幅で除したものを有する。
【０１８６】
ｉｉｉ．被覆された細菌セルロース
一態様では、細菌セルロースは、高分子増粘剤で少なくとも部分的に被覆される。一態様では、少なくとも部分的に被覆された細菌セルロースは、約０．１重量％〜約５重量％、又は約０．５重量％〜約３重量％の細菌セルロース；及び約１０重量％〜約９０重量％の高分子増粘剤を含む。好適な細菌セルロースは、上述の細菌セルロースを含み、好適なポリマー増粘剤は、カルボキシメチルセルロース、カチオン性ヒドロキシメチルセルロース、及びこれらの混合物を含む。
【０１８７】
ｉｖ．非細菌セルロース由来のセルロース繊維
一態様では、組成物は、組成物の約０．０１重量％〜約５重量％のセルロース繊維を更に含み得る。該セルロース繊維は野菜、果物又は木材から抽出され得る。市販の例は、ＦＭＣのＡｖｉｃｅｌ（登録商標）、ＦｉｂｅｒｓｔａｒのＣｉｔｒｉ−Ｆｉ、又はＣｏｓｕｎのＢｅｔａｆｉｂである。
【０１８８】
ｖ．非高分子結晶性ヒドロキシ官能性材料
一態様では、組成物は、組成物の約０．０１重量％〜約１重量％の非高分子結晶質ヒドロキシル官能性構造化剤を更に含み得る。該非高分子結晶質ヒドロキシル官能性構造化剤は、一般的に、最終流体洗剤組成物への分散を補助するために予め乳化が可能な結晶性グリセリドを含み得る。一態様では、結晶性グリセリドとしては、液体洗剤組成物において結晶化させることができる限り、硬化ヒマシ油又は「ＨＣＯ」又はその誘導体が挙げられる。
【０１８９】
ｖｉ．高分子構造剤
本発明の流体洗剤組成物は、約０．０１重量％〜約５重量％の天然由来及び／又は合成の高分子構造化剤を含み得る。本発明で用いる天然由来のポリマー構造剤の例としては、ヒドロキシエチルセルロース、疎水変性ヒドロキシエチルセルロース、カルボキシメチルセルロース、多糖誘導体、及びこれらの混合物が挙げられる。好適な多糖誘導体は、ペクチン、アルギネート、アラビノガラクタン（アラビアゴム）、カラギーナン、ジェランガム、キサンタンガム、グアーガム、及びこれらの混合物を含む。本発明で用いる合成ポリマー構造剤の例としては、ポリカルボキシレート、ポリアクリレート、疎水性変性エトキシル化ウレタン、疎水性変性非イオン性ポリオール、及びこれらの混合物が挙げられる。一態様では、該ポリカルボキシレートポリマーは、ポリアクリレート、ポリメタクリレート、又はこれらの混合物である。別の態様では、ポリアクリレートは、不飽和モノ−又はジ−炭酸と、（メタ）アクリル酸のＣ１〜Ｃ３０アルキルエステルとのコポリマーである。該コポリマーは、商品名Ｃａｒｂｏｐｏｌ  Ａｑｕａ  ３０としてＮｏｖｅｏｎ  ｉｎｃから入手可能である。
【０１９０】
ｖｉｉ．ジアミドゲル化剤
一態様では、本外部構造化系は、分子量が約１５０ｇ／モル〜約１，５００ｇ／モル、又は更には約５００ｇ／モル〜約９００ｇ／モルのジアミドゲル化剤を含み得る。このようなジアミドゲル化剤は、少なくとも２個の窒素原子を含んでよく、該窒素原子のうちの少なくとも２個は、アミド官能性置換基を形成する。一態様では、アミド基は異なるものである。別の態様では、アミド官能性基は同じものである。
【０１９１】
有用なジアミドゲル化剤の非限定例は、
Ｎ，Ｎ’−（２Ｓ，２’Ｓ）−１，１’−（ドデカン−１，１２−ジイルビス（アザンジイル））ビス（３−メチル−１−オキソブタン−２，１−ジイル）ジイソニコチンアミド；
ジベンジル（２Ｓ，２’Ｓ）−１，１’−（プロパン−１，３−ジイルビス（アザンジイル））ビス（３−メチル−１−オキソブタン−２，１−ジイル）ジカルバメート；及び
ジベンジル（２Ｓ，２’Ｓ）−１，１’−（ドデカン−１，１２−ジイルビス（アザンジイル））ビス（１−オキソ−３−フェニルプロパン−２，１−ジイル）ジカルバメートである。
【０１９２】
ポリマー分散剤
洗剤組成物は１つ以上のポリマー分散剤を含んでもよい。例は、カルボキシメチルセルロース、ポリ（ビニル−ピロリドン）、ポリ（エチレングリコール）、ポリ（ビニルアルコール）、ポリ（ビニルピリジン−Ｎ−オキシド）、ポリ（ビニルイミダゾール）、ポリアクリル酸塩などのポリカルボン酸塩、マレイン酸／アクリル酸コポリマー、及びメタクリル酸ラウリル／アクリル酸コポリマーである。
【０１９３】
洗剤組成物は、次の一般構造：ビス（（Ｃ２Ｈ５Ｏ）（Ｃ２Ｈ４Ｏ）ｎ）（ＣＨ３）−Ｎ＋−ＣXＨ２X−Ｎ＋−（ＣＨ３）−ビス（（Ｃ２Ｈ５Ｏ）（Ｃ２Ｈ４Ｏ）ｎ）、（式中、ｎ＝２０〜３０、及びｘ＝３〜８である）有する化合物、又はその硫酸塩化又はスルホン化種などの１つ以上の両親媒性清浄ポリマーを含んでもよい。
【０１９４】
本洗剤組成物は、布地及び表面からグリース粒子を除去するように、親水性と疎水性が釣り合っている両親媒性アルコキシル化グリース清浄ポリマーを含んでよい。本発明の両親媒性アルコキシル化グリース清浄性ポリマーの具体的な実施形態は、コア構造及びそのコア構造に結合した複数のアルコキシレート基を含む。これらは、例えば内側ポリエチレンオキシドブロック及び外側ポリプロピレンオキシドブロックを有するアルコキシル化ポリアルキレンイミンを含み得る。このような材料としては、エトキシル化ポリエチレンイミン、エトキシル化ヘキサメチレンジアミン、及びこれらを硫酸化したものが挙げられるがこれに限定されない。ポリプロポキシル化誘導体も包含させることができる。多種多様なアミン及びポリアルキレンイミンを様々な程度にアルコキシル化することができる。有用な例としては、ＮＨ当たり２０ＥＯ基までエトキシル化されている６００ｇ／モルのポリエチレンイミンコアがあり、ＢＡＳＦより入手可能である。本明細書において記載されている清浄組成物は、清浄組成物の重量基準で、約０．１％〜約１０％、いくつかの例では、約０．１％〜約８％、及び別の例では、約０．１％〜約６％のアルコキシル化ポリアミンを含んでもよい。
【０１９５】
ポリアクリレートから作製されるものなどの、アルコキシル化ポリカルボキシレートは、本明細書において、追加的なグリース除去性能を提供するのに有用である。化学的に、これらの材料は、７〜８個のアクリレート単位ごとに１つのエトキシ側鎖を有するポリアクリレートを含む。側鎖は、式−（ＣＨ２ＣＨ２Ｏ）ｍ（ＣＨ２）ｎＣＨ３を有し、式中、ｍは、２〜３であり、ｎは、６〜１２である。ポリアクリレート「主鎖」に側鎖がエステル結合すると、「櫛形」ポリマー型構造がもたらされる。分子量は変動し得るが、典型的には、約２０００〜約５０，０００の範囲内である。本明細書において記載されている洗剤組成物は、清浄組成物の重量基準で、約０．１％〜約１０％、いくつかの例では、約０．２５％〜約５％、及び別の例では、約０．３％〜約２％のアルコキシル化ポリカルボキシレートを含んでもよい。
【０１９６】
好ましい好適な両親媒性グラフトコポリマーには、両親媒性グラフトコポリマーが、（ｉ）ポリエチレングリコール骨格と；（ｉｉ）ポリ酢酸ビニル、ポリビニルアルコール及びそれらの混合物から選択される少なくとも１つのペンダント部分と、を含むことが含まれる。好ましい両親媒性グラフトコポリマーは、ＢＡＳＦから供給されるＳｏｋａｌａｎ（登録商標）ＨＰ２２である。好適なポリマーとしては、ランダムグラフトコポリマー、好ましくは、ポリエチレンオキシド主鎖と複数のポリビニルアセテート側鎖とを有するポリビニルアセテートグラフト化ポリエチレンオキシドコポリマーが挙げられる。ポリエチレンオキシド主鎖の分子量は、典型的には約６０００であり、ポリエチレンオキシドとポリ酢酸ビニルとの重量比は、約４０〜６０であり、エチレンオキシド単位５０当たり１グラフト点を超えない。
【０１９７】
カルボキシレートポリマー−本発明の洗剤組成物は、また、マレエート／アクリレートランダムコポリマー又はポリアクリレートホモポリマーなどの１つ以上のカルボキシレートポリマーを含んでもよい。一態様では、カルボキシレートポリマーは、４，０００Ｄａ〜９，０００Ｄａ、又は６，０００Ｄａ〜９，０００Ｄａの分子量を有するポリアクリレートホモポリマーである。
【０１９８】
汚れ放出ポリマー−本発明の洗剤組成物はまた、以下の構造（Ｉ）、（ＩＩ）又は（ＩＩＩ）の１つにより定義される構造を有する１種以上の汚れ放出ポリマーを含んでもよい。
（Ｉ）      −［（ＯＣＨＲ１−ＣＨＲ２）ａ−Ｏ−ＯＣ−Ａｒ−ＣＯ−］ｄ
（ＩＩ）    −［（ＯＣＨＲ３−ＣＨＲ４）ｂ−Ｏ−ＯＣ−ｓＡｒ−ＣＯ−］ｅ
（ＩＩＩ）  −［（ＯＣＨＲ５−ＣＨＲ６）ｃ−ＯＲ７］ｆ
式中、
ａ、ｂ、及びｃは、１〜２００であり；
ｄ、ｅ、及びｆは、１〜５０であり；
Ａｒは、１，４−置換フェニレンであり；
ｓＡｒは、５位がＳＯ３Ｍｅにより置換されている１，３−置換フェニレンであり；
Ｍｅは、Ｌｉ、Ｋ、Ｍｇ／２、Ｃａ／２、Ａｌ／３、アンモニウム、モノ−、ジ−、トリ−若しくはテトラアルキルアンモニウム（アルキル基は、Ｃ１〜Ｃ１８アルキル又はＣ２〜Ｃ１０ヒドロキシアルキルである）、又はこれらの混合物であり；
Ｒ１、Ｒ２、Ｒ３、Ｒ４、Ｒ５及びＲ６は、Ｈ又はＣ１〜Ｃ１８  ｎ−又はイソ−アルキルから独立して選択され；Ｒ７は、線状若しくは分枝状Ｃ１〜Ｃ１８アルキル、又は線状若しくは分枝状Ｃ２〜Ｃ３０アルケニル、又は５〜９個の炭素原子を有するシクロアルキル基、又はＣ８〜Ｃ３０アリール基、又はＣ６〜Ｃ３０アリールアルキル基である。
【０１９９】
好適な汚れ遊離ポリマーは、Ｒｅｐｅｌ−ｏ−ｔｅｘポリマー（例えば、Ｒｈｏｄｉａにより供給されているＲｅｐｅｌ−ｏ−ｔｅｘ  ＳＦ、ＳＦ−２及びＳＲＰ６）などのポリエステル汚れ遊離ポリマーである。他の好適な汚れ遊離ポリマーとしては、Ｔｅｘｃａｒｅポリマー（例えば、Ｃｌａｒｉａｎｔにより供給されているＴｅｘｃａｒｅ  ＳＲＡ１００、ＳＲＡ３００、ＳＲＮ１００、ＳＲＮ１７０、ＳＲＮ２４０、ＳＲＮ３００及びＳＲＮ３２５など）が挙げられる。他の好適な汚れ遊離ポリマーは、Ｍａｒｌｏｑｕｅｓｔポリマー（例えば、Ｓａｓｏｌにより供給されているＭａｒｌｏｑｕｅｓｔ  ＳＬなど）である。
【０２００】
セルロースポリマー−本発明の消費者製品はまた、アルキルセルロース、アルキルアルコキシルセルロース、カルボキシアルキルセルロース、アルキルカルボキシアルキルセルロースから選択されるものを含む、１種以上のセルロースポリマーを含んでもよい。一態様では、セルロース系ポリマーは、カルボキシメチルセルロース、メチルセルロース、メチルヒドロキシエチルセルロース、メチルカルボキシメチルセルロース、及びこれらの混合物を含む群から選択される。一態様では、カルボキシメチルセルロースは、０．５〜０．９のカルボキシメチル置換度及び１００，０００Ｄａ〜３００，０００Ｄａの分子量を有する。
【０２０１】
アミン
本明細書で記載される清浄組成物において、汚れた素材からのグリース及び粒子の除去を向上するために様々なアミンが使用され得る。本明細書において記載されている洗剤組成物は、清浄組成物の重量基準で、約０．１％〜約１０％、いくつかの例では、約０．１％〜約４％、及び別の例では、約０．１％〜約２％の追加アミンを含み得る。アミンの非限定例としては、以下に限定されないが、ポリアミン、オリゴアミン、トリアミン、ジアミン、ペンタアミン、テトラアミン、ポリエーテルアミン、又はそれらの組合せが挙げられる。好適な追加アミンの具体例としては、テトラエチレンペンタアミン、トリエチレンテトラアミン、ジエチレントリアミン、ポリエーテルアミン、又はそれらの混合物が挙げられる。好適なポリエーテルアミンは、式（Ｉ）の構造により表される。
【０２０２】
【化３４】
2018199824.tif 000041
式中、Ｒ１〜Ｒ６のそれぞれは、Ｈ、アルキル、シクロアルキル、アリール、アルキルアリール、又はアリールアルキルから独立して選択され、Ｒ１〜Ｒ６のうちの少なくとも１つはＨとは異なり、Ｒ１〜Ｒ６のうちの少なくとも１つは、典型的には２〜８個の炭素原子を有するアルキル基であり、Ａ１〜Ａ６のそれぞれは、２〜１８個の炭素原子、典型的には２〜１０個の炭素原子、より典型的には２〜５個の炭素原子を有する線状又は分枝状アルキレンから独立して選択され、Ｚ１〜Ｚ２のそれぞれは、ＯＨ又はＮＨ２から独立して選択され、Ｚ１〜Ｚ２のうちの少なくとも１つは、ＮＨ２であり、典型的にはＺ１及びＺ２は、各々ＮＨ２であり、ｘ＋ｙの合計は、約２〜約２００、典型的には約２〜約２０又は約３〜約２０、より典型的には約２〜約１０又は約３〜約８又は約４〜約６の範囲内であり、ｘ≧１及びｙ≧１であり、ｘ１＋ｙ１の合計は、約２〜約２００、典型的には約２〜約２０又は約３〜約２０、より典型的には約２〜約１０又は約３〜約８又は約２〜約４の範囲内であり、ｘ１≧１及びｙ１≧１である。
【０２０３】
好適な別のポリエーテルアミンは、式（ＩＩ）の構造により表される。
【０２０４】
【化３５】
2018199824.tif 000042
式中、Ｒ７〜Ｒ１２のそれぞれは、Ｈ、アルキル、シクロアルキル、アリール、アルキルアリール、又はアリールアルキルから独立して選択され、Ｒ７〜Ｒ１２のうちの少なくとも１つはＨとは異なり、Ｒ７〜Ｒ１２のうちの少なくとも１つは、典型的には２〜８個の炭素原子を有するアルキル基であり、Ａ３〜Ａ９のそれぞれは、２〜１８個の炭素原子、典型的には２〜１０個の炭素原子、より典型的には２〜５個の炭素原子を有する線状又は分枝状アルキレンから独立して選択され、Ｚ３〜Ｚ４のそれぞれは、ＯＨ又はＮＨ２から独立して選択され、Ｚ３〜Ｚ４のうちの少なくとも１つは、ＮＨ２であり、典型的にはＺ３及びＺ４のそれぞれは、ＮＨ２であり、ｘ＋ｙの合計は、約２〜約２００、典型的には約２〜約２０又は約３〜約２０、より典型的には約２〜約１０又は約３〜約８又は約２〜約４の範囲内であり、ｘ≧１及びｙ≧１であり、ｘ１＋ｙ１の合計は、約２〜約２００、典型的には約２〜約２０又は約３〜約２０、より典型的には約２〜約１０又は約３〜約８又は約２〜約４の範囲内であり、ｘ１≧１及びｙ１≧１である。
【０２０５】
好適な別のポリエーテルアミンは、式（ＩＩＩ）の構造により表される。
【０２０６】
【化３６】
2018199824.tif 000043
【０２０７】
溶媒−好適な溶媒としては、以下に限定されないが、水、アルコール、パラフィン、グリコール、グリセロール、及びそれらの混合物が挙げられる。
【０２０８】
漂白剤−本発明の洗剤組成物は、１つ以上の漂白剤を含んでよい。漂白触媒以外の好適な漂白剤は、光触媒、漂白活性化剤、過酸化水素、過酸化水素源、予形成過酸、及びこれらの混合物を含む。一般に、漂白剤を用いる場合、本発明の洗剤組成物は、洗剤組成物の約０．１重量％〜約５０重量％、又は更には約０．１重量％〜約２５重量％の漂白剤を含み得る。好適な漂白剤の例としては以下が挙げられる。
（１）光漂白剤、例えば、スルホン化亜鉛フタロシアニン、スルホン化アルミニウムフタロシアニン、キサンテン染料、及びこれらの混合物。
（２）予め形成させた過酸：適切な予め形成させた過酸としては、以下に限定されないが、過カルボン酸及び塩、過炭酸及び塩、過イミド酸及び塩、ペルオキシ一硫酸及び塩、例えば、Ｏｘｏｎｅ（登録商標）、並びにそれらの混合物からなる群から選択される化合物が挙げられる。好適な過カルボン酸としては、式Ｒ−（Ｃ＝Ｏ）Ｏ−Ｏ−Ｍ（式中、Ｒはアルキル基であり、場合により分岐しており、過酸が疎水性の場合、６〜１４個の炭素原子、又は８〜１２個の炭素原子を有しており、過酸が親水性の場合、６個未満の炭素原子、又は更には４個未満の炭素原子を有しており；Ｍは、対イオン、例えば、ナトリウム、カリウム又は水素である）を有する疎水性及び親水性過酸が挙げられる。
（３）過酸化水素源、例えば、過ホウ酸塩（通常、一水和物又は四水和物）、過炭酸塩、過硫酸塩、過リン酸塩、過ケイ酸塩及びそれらの混合物のナトリウム塩などのアルカリ金属塩を含む、無機過水和物の塩。本発明の一態様では、無機過水和物の塩は、過ホウ酸ナトリウム塩、過炭酸ナトリウム塩、及びそれらの混合物からなる群から選択される。無機過水和物の塩は、使用する場合、通常、布地ケア及びホームケア製品全体の０．０５重量％〜４０重量％、又は１重量％〜３０重量％の量で存在し、通常、コーティングされ得る結晶性固体としてこうした布地ケア及びホームケア製品に配合される。好適なコーティングとしては、無機塩（ケイ酸、炭酸若しくはホウ酸のアルカリ金属塩、又はこれらの混合物など）、又は有機物質（水溶性若しくは分散性ポリマー、ワックス、油又は脂肪石鹸など）が挙げられる。
（４）Ｒ−（Ｃ＝Ｏ）−Ｌを有する漂白活性化剤（式中、Ｒはアルキル基であり、場合により分枝しており、漂白活性化剤が疎水性である場合、６〜１４個の炭素原子、又は８〜１２個の炭素原子を有しており、漂白活性化剤が親水性である場合、６個未満の炭素原子又は更には４個未満の炭素原子を有しており、Ｌは脱離基である）。好適な脱離基の例は、安息香酸及びその誘導体、とりわけベンゼンスルホネートである。好適な漂白活性化剤類としては、ドデカノイルオキシベンゼンスルホネート、デカノイルオキシベンゼンスルホネート、デカノイルオキシ安息香酸又はその塩類、３，５，５−トリメチルヘキサノイルオキシベンゼンスルホネート、テトラアセチルエチレンジアミン（ＴＡＥＤ）、及びノナノイルオキシベンゼンスルホネート（ＮＯＢＳ）が挙げられる。いかなる好適な漂白活性化剤も使用してもよいが、本発明の一態様では、対象の洗剤組成物は、ＮＯＢＳ、ＴＡＥＤ又はそれらの混合物を含んでもよい。
【０２０９】
過酸及び／又は漂白活性剤は、存在する場合、一般に、布地ケア及びホームケア製品に対して、約０．１重量％〜約６０重量％、約０．５重量％〜約４０重量％、又は更には約０．６重量％〜約１０重量％の量で洗剤組成物中に存在する。１種以上の疎水性過酸又はその前駆体は、１種以上の親水性過酸又はその前駆体と組み合わせて使用することができる。
【０２１０】
過酸化水素源及び過酸又は漂白活性化剤の量は、有効酸素（過酸化物源由来）と過酸とのモル比が１：１〜３５：１、又は更には２：１〜１０：１になるよう選択することができる。
【０２１１】
漂白触媒−本発明の洗剤組成物はまた、ペルオキシ酸及び／又はその塩から酸素原子を受け取り、その酸素原子を酸化可能な基質に移送することができる１つ以上の漂白触媒を含み得る。好適な漂白触媒は、イミニウムカチオン及びポリイオン；イミニウム双性イオン；修飾アミン；修飾アミンオキシド；Ｎ−スルホニルイミン；Ｎ−ホスホニルイミン；Ｎ−アシルイミン；チアジアゾールジオキシド；ペルフルオロイミン；環状糖ケトン、及びこれらの混合物を含むが、これらに限定されない。
【０２１２】
一態様では、漂白触媒は、以下の一般式に対応する構造を有する。
【０２１３】
【化３７】
2018199824.tif 000044
（式中、Ｒ１３は、２−エチルヘキシル、２−プロピルへプチル、２−ブチルオクチル、２−ペンチルノニル、２−ヘキシルデシル、ｎ−ドデシル、ｎ−テトラデシル、ｎ−ヘキサデシル、ｎ−オクタデシル、イソ−ノニル、イソ−デシル、イソ−トリデシル及びイソ−ペンタデシルからなる群から選択される。）
【０２１４】
増白剤
光学増白剤若しくはその他の増白剤、又は白化剤は、組成物の重量基準で、約０．０１％〜約１．２％のレベルで本明細書に記載されている清浄組成物に配合することができる。本発明に好適な市販の蛍光増白剤は、サブグループに分類することができ、スチルベン、ピラゾリン、クマリン、ベンゾキサゾール、カルボン酸、メチンシアニン、ジベンゾチオフェン−５，５−ジオキシド、アゾール、５及び６員環の複素環、並びに他の様々な物質の誘導体を含むが、これらに限定されない。
【０２１５】
いくつかの例では、本明細書の蛍光増白剤は、式（１）の化合物を含む。
【０２１６】
【化３８】
2018199824.tif 000045
式中、Ｘ１、Ｘ２、Ｘ３、及びＸ４は−Ｎ（Ｒ１）Ｒ２であり、式中、Ｒ１及びＲ２は、水素、フェニル、ヒドロキシエチル、又は非置換若しくは置換Ｃ１〜Ｃ８アルキルから独立して選択されるか、又は−Ｎ（Ｒ１）Ｒ２は複素環を形成し、好ましくはＲ１及びＲ２は水素又はフェニルから独立して選択されるか、又は−Ｎ（Ｒ１）Ｒ２は非置換又は置換モルホリン環を形成し；Ｍは水素又はカチオンであり、好ましくはＭはナトリウム又はカリウムであり、より好ましくはＭはナトリウムである。
【０２１７】
いくつかの例では、蛍光増白剤は、ジナトリウム４，４’−ビス｛［４−アニリノ−６−モルホリノ−ｓ−トリアジン−２−イル］−アミノ｝−２，２’−スチルベンジスルホネート（増白剤１５、商品名Ｔｉｎｏｐａｌ  ＡＭＳ−ＧＸとしてＣｉｂａ  Ｇｅｉｇｙ  Ｃｏｒｐｏｒａｔｉｏｎにより市販）、ジナトリウム４，４’−ビス｛［４−アニリノ−６−（Ｎ−２−ビス−ヒドロキシエチル）−ｓ−トリアジン−２−イル］−アミノ｝−２，２’−スチルベンジスルホネート（商品名Ｔｉｎｏｐａｌ  ＵＮＰＡ−ＧＸとしてＣｉｂａ−Ｇｅｉｇｙ  Ｃｏｒｐｏｒａｔｉｏｎにより市販）、ジナトリウム４，４’−ビス｛［４−アニリノ−６−（Ｎ−２−ヒドロキシエチル−Ｎ−メチルアミノ）−ｓ−トリアジン−２−イル］−アミノ｝−２，２’−スチルベンジスルホネート（商品名Ｔｉｎｏｐａｌ  ５ＢＭ−ＧＸとしてＣｉｂａ−Ｇｅｉｇｙ  Ｃｏｒｐｏｒａｔｉｏｎにより市販）からなる群から選択される。より好ましくは、蛍光増白剤は、ジナトリウム４，４’−ビス｛［４−アニリノ−６−モルホリノ−ｓ−トリアジン−２−イル］−アミノ｝−２，２’−スチルベンジスルホネートである。
【０２１８】
増白剤は、粒子の形で又は好適な溶剤、例えば非イオン性界面活性剤、モノエタノールアミン、プロパンジオールとのプレミックスとして添加されてもよい。
【０２１９】
水溶性フィルム
本発明の組成物はまた、水溶性フィルム内にカプセル化されてもよい。好ましいフィルム材料は、好ましくは高分子材料である。フィルム材料は、当該技術分野において既知であるように、例えば、ポリマー材料のキャスティング、吹込成形、押出成形、又は吹込押出成形により得ることができる。
【０２２０】
パウチ材料としての使用に好適な好ましいポリマー、コポリマー又はそれらの誘導体は、ポリビニルアルコール、ポリビニルピロリドン、ポリアルキレンオキシド、アクリルアミド、アクリル酸、セルロース、セルロースエーテル、セルロースエステル、セルロースアミド、ポリ酢酸ビニル、ポリカルボン酸及び塩、ポリアミノ酸又はペプチド、ポリアミド、ポリアクリルアミド、マレイン酸／アクリル酸のコポリマー、デンプン及びゼラチンを包含するポリサッカライド、キサンタン及びカラゴムなどの天然ゴムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにこれらの組み合わせから選択される。好ましくは、パウチ材料中のポリマーの濃度、例えば、ＰＶＡポリマーの濃度は、少なくとも６０％である。ポリマーは、任意の重量平均分子量を有してもよく、好ましくは、約１０００〜１，０００，０００、より好ましくは、約１０，０００〜３００，０００、更により好ましくは、約２０，０００〜１５０，０００である。ポリマー混合物もパウチ材料として使用することができる。
【０２２１】
当然のことながら、異なるフィルム材料及び／又は異なる厚さのフィルムも、本発明の区画の作製に用いてよい。異なるフィルムを選択する利点は、その結果得られる区画が異なる溶解性、すなわち放出特性を呈し得ることである。
【０２２２】
最も好ましいフィルム材料は、ＭｏｎｏＳｏｌの参照品であるＭ８６３０、Ｍ８９００、Ｈ８７７９で公知の、ＰＶＡフィルムである。
【０２２３】
また、本明細書のフィルム材料には、１つ以上の添加剤成分を含有させてもよい。例えば、可塑剤、例えばグリセロール、エチレングリコール、ジエチレングリコール、プロピレングリコール、ソルビトール、及びこれらの混合物を添加することは有益であり得る。他の添加剤としては、洗浄水に送達される機能性洗剤添加剤、例えば有機ポリマー分散剤が挙げられる。
【０２２４】
増泡剤
高起泡性が望ましい場合、本清浄組成物に、Ｃ１０〜Ｃ１６アルカノールアミドなどの増泡剤を、該清浄組成物の約１重量％〜約１０重量％の範囲の濃度で配合することができる。いくつかの例としてはＣ１０〜Ｃ１４モノエタノール及びジエタノールアミドが挙げられる。所望の場合、更なる泡をもたらして、グリース除去性能を高めるために、ＭｇＣｌ２、ＭｇＳＯ４、ＣａＣｌ２、ＣａＳＯ４などの水溶性マグネシウム及び／又はカルシウム塩を、清浄組成物の約０．１重量％〜約２重量％のレベルで加えてもよい。
【０２２５】
コンディショニング剤
本発明の組成物は、高融点脂肪族化合物を含み得る。本明細書において有用な高融点脂肪族化合物は、２５℃以上の融点を有し、脂肪族アルコール、脂肪酸、脂肪族アルコール誘導体、脂肪酸誘導体、及びこれらの混合物からなる群から選択される。
【０２２６】
高融点脂肪化合物は、濡れた毛髪に施用している間のすべすべ感、乾いた毛髪での柔らかさ及びしっとり感などの、改善されたコンディショニング上の利益をもたらす観点から、組成物中に、該組成物の約０．１重量％〜約４０重量％、好ましくは約１重量％〜約３０重量％、より好ましくは約１．５重量％〜約１６重量％、約１．５重量％〜約８重量％のレベルで含まれる。
【０２２７】
本発明の組成物は、カチオン性ポリマーを含有してもよい。組成物中のカチオン性ポリマーの濃度は、通常、約０．０５％〜約３％、別の実施形態では、約０．０７５％〜約２．０％、更に別の実施形態では、約０．１％〜約１．０％の範囲に及ぶ。好適なカチオン性ポリマーは、組成物の意図される使用のｐＨが、一般に、約ｐＨ３〜約ｐＨ９、一実施形態では約ｐＨ４〜約ｐＨ８の間の範囲において、少なくとも約０．５ｍｅｑ／ｇｍ、別の実施形態では少なくとも約０．９ｍｅｑ／ｇｍ、別の実施形態では少なくとも約１．２ｍｅｑ／ｇｍ、更に別の実施形態では少なくとも約１．５ｍｅｑ／ｇｍであるが、一実施形態ではやはり約７ｍｅｑ／ｇｍ未満、及び別の実施形態では約５ｍｅｑ／ｇｍ未満の正電荷密度を有することになる。本明細書において、ポリマーの「正電荷密度」とは、ポリマー上の正電荷数とポリマーの分子量との比を指す。こうした好適なカチオン性ポリマーの平均分子量は一般に、約１０，０００〜１０，０００，０００であり、一実施形態では、約５０，０００〜約５，０００，０００であり、別の実施形態では、約１００，０００〜約３，０００，０００である。
【０２２８】
本発明の組成物に用いるのに好適なカチオン性ポリマーは、四級アンモニウムなどのカチオン性窒素含有部分、又はプロトン化されたカチオン性アミノ部分を含有する。ポリマーが、水中、組成物中、又は組成物のコアセルベート相中に溶解した状態を保ち、かつ対イオンが該組成物の必須構成成分と物理的及び化学的に適合することができるか、又はそうでなければ、製品の性能、安定性又は審美性を過度に損なわないかぎり、任意のアニオン性対イオンを、カチオン性ポリマーと併せて使用することができる。このような対イオンの非限定例としては、ハロゲン化物（例えば、塩化物、フッ化物、臭化物、ヨウ化物）、サルフェート及びメチルサルフェートが挙げられる。
【０２２９】
本組成物に使用するのに好適な他のカチオン性ポリマーには、ポリサッカライドポリマー、カチオン性グアーガム誘導体、四級窒素含有セルロースエーテル、合成ポリマー、エーテル化セルロースのコポリマー、グアー及びデンプンが含まれる。本発明におけるカチオン性ポリマーは、使用される場合、本組成物に可溶性であるか、又は上述のカチオン性ポリマー、並びにアニオン性、両性及び／又は双性イオン性界面活性剤成分によって形成される本組成物中の複合コアセルベート相に可溶性であるかのいずれかである。カチオン性ポリマーの複合コアセルベートはまた、本組成物中の他の荷電物質により形成することもできる。
【０２３０】
本発明の組成物は、非イオン性ポリマーをコンディショニング剤として含み得る。約１０００を超える分子量を有するポリアルキレングリコールが、本明細書において有用である。以下の一般式を有するものが有用である。
【０２３１】
【化３９】
2018199824.tif 000046
（式中、Ｒ９５は、Ｈ、メチル、及びそれらの混合物からなる群から選択される。）コンディショニング剤、及び特にシリコーンが本組成物に含まれ得る。本発明の組成物に有用なコンディショニング剤は、通常、乳化液体粒子を形成する非水溶性で水分散性の不揮発性液体を含む。本組成物に使用するのに好適なコンディショニング剤は、一般にシリコーン（例えば、シリコーンオイル、カチオン性シリコーン、シリコーンガム、屈折率の高いシリコーン、及びシリコーン樹脂）、有機コンディショニングオイル（例えば、炭化水素油、ポリオレフィン、及び脂肪酸エステル）、若しくはこれらの組合せとして特徴付けられるコンディショニング剤、又は別の方法で本明細書の水性界面活性剤マトリックス中に液状の分散粒子を形成するコンディショニング剤である。こうしたコンディショニング剤は、物理的及び化学的に本組成物の必須構成成分と適合すべきであり、そうでなければ製品の安定性、審美性又は性能を過度に損なうべきではない。
【０２３２】
本組成物中のコンディショニング剤の濃度は、所望のコンディショニング上の利点をもたらすのに十分となるべきである。こうした濃度は、コンディショニング剤、所望のコンディショニング性能、コンディショニング剤粒子の平均サイズ、他の構成成分のタイプ及び濃度、並びに他の同様の要因により様々となり得る。
【０２３３】
布地色調剤
本組成物は、布地色調剤（色合い剤、青味剤、又は白化剤と称される場合もある）を含み得る。典型的には、色調剤は布地に青又は紫の色合いをもたらす。色調剤は、単独又は組み合わせのいずれかで使用して、特定の色調の色合いを作り出し、かつ／又は異なる種類の布地に色合いをつけることができる。これは、例えば赤と緑−青の染料とを混合して青又は紫の色合いを生じさせることにより提供され得る。色調剤は、任意の既知の化学分類の染料から選択されてよく、これらは、アクリジン、アントラキノン（多環式キノンを含む）、アジン、予備金属化（premetallized）されたアゾを含むアゾ（例えば、モノアゾ、ジアゾ、トリスアゾ、テトラキスアゾ、ポリアゾ）、ベンゾジフラン及びベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ及びニトロソ、オキサジン、フタロシアニン、ピラゾール、スチルベン、スチリル、トリアリールメタン、トリフェニルメタン、キサンテン、並びにこれらの混合物を含むが、これらに限定されない。
【０２３４】
好適な布地色調剤は、染料、染料−粘土複合体（dye-clay conjugate）、並びに有機及び無機顔料を含む。好適な染料としては、小分子染料及びポリマー染料が挙げられる。好適な小分子染料は、例えば、ブルー、バイオレット、レッド、グリーン、又はブラックに分類され、単独で又は組み合わせのいずれかで所望の色合いをもたらす、直接染料、塩基性染料、反応染料若しくは加水分解した反応性染料、溶剤染料又は分散染料の色指数（Ｃ．Ｉ．）分類に分類される染料からなる群から選択される小分子染料を含む。別の態様では、好適な低分子染料としては、色指数（Ｓｏｃｉｅｔｙ  ｏｆ  Ｄｙｅｒｓ  ａｎｄ  Ｃｏｌｏｕｒｉｓｔｓ、Ｂｒａｄｆｏｒｄ、英国））番号：ダイレクトバイオレット染料（９、３５、４８、５１、６６及び９９など）、ダイレクトブルー染料（１、７１、８０及び２７９など）、アシッドレッド染料（１７、７３、５２、８８、及び１５０など）、アシッドバイオレット染料（１５、１７、２４、４３、４９及び５０など）、アシッドブルー染料（１５、１７、２５、２９、４０、４５、７５、８０、８３、９０及び１１３など）、アシッドブラック染料（１など）、ベーシックバイオレット染料１、３、４、１０、及び３５など、ベーシックブルー染料（３、１６、２２、４７、６６、７５及び１５９など）、分散又は溶媒染料、及びそれらの混合物からなる群から選択される低分子染料が挙げられる。別の態様では、好適な小分子染料としては、Ｃ．Ｉ．番号が、アシッドバイオレット１７、ダイレクトブルー７１、ダイレクトバイオレット５１、ダイレクトブルー１、アシッドレッド８８、アシッドレッド１５０、アシッドブルー２９、アシッドブルー１１３又はこれらの混合物からなる群から選択される小分子染料が挙げられる。
【０２３５】
好適なポリマー染料は、例えばポリマーと色原体とを共重合してポリマーの主鎖にしたものなどの、共有結合した（複合したと呼ばれる場合もある）色原体を含有するポリマー（染料−ポリマー複合体）、及びこれらの混合物からなる群から選択されるポリマー染料を含む。
【０２３６】
別の態様では、好適なポリマー染料としては、Ｌｉｑｕｉｔｉｎｔ（登録商標）（Ｍｉｌｌｉｋｅｎ（Ｓｐａｒｔａｎｂｕｒｇ，Ｓｏｕｔｈ  Ｃａｒｏｌｉｎａ，ＵＳＡ））の名称で販売されている布地直接着色剤、少なくとも１つの反応染料と、ヒドロキシル部分、一級アミン部分、二級アミン部分、チオール部分及びそれらの混合物からなる群から選択される部分を含むポリマーからなる群から選択されるポリマーとから形成される染料−ポリマー複合体からなる群から選択されるポリマー染料が挙げられる。更に別の態様では、好適なポリマー染料は、Ｌｉｑｕｉｔｉｎｔ（登録商標）バイオレットＣＴ、Ｍｅｇａｚｙｍｅ，Ｗｉｃｋｌｏｗ，Ｉｒｅｌａｎｄから商品名ＡＺＯ−ＣＭ−ＣＥＬＬＵＬＯＳＥ、商品コードＳ−ＡＣＭＣで販売されているＣ．Ｉ．リアクティブブルー１９と複合しているＣＭＣなどのリアクティブブルー、リアクティブバイオレット、又はリアクティブレッドの染料に共有結合しているカルボキシメチルセルロース（ＣＭＣ）、アルコキシル化トリフェニール−メタンポリマー着色料、アルコキシル化チオフェンポリマー着色料、及びこれらの混合物からなる群から選択されるポリマー染料を含む。
【０２３７】
好適な染料粘土複合体は、少なくとも１つのカチオン性／塩基性染料及びスメクタイト粘土、並びにこれらの混合物を含む群から選択される染料粘土複合体を含む。別の態様では、好適な染料粘土複合体は、Ｃ．Ｉ．ベーシックイエロー１〜１０８、Ｃ．Ｉ．ベーシックオレンジ１〜６９、Ｃ．Ｉ．ベーシックレッド１〜１１８、Ｃ．Ｉ．ベーシックバイオレット１〜５１、Ｃ．Ｉ．ベーシックブルー１〜１６４、Ｃ．Ｉ．ベーシックグリーン１〜１４、Ｃ．Ｉ．ベーシックブラウン１〜２３、ＣＩベーシックブラック１〜１１からなる群から選択される１つのカチオン性／塩基性染料と、モンモリロナイト粘土、ヘクトライト粘土、サポナイト粘土、及びこれらの混合物ｓからなる群から選択される粘土と、からなる群から選択される、染料粘土複合体を含む。更に別の態様では、好適な染料粘土複合体としては、モンモリロナイトベーシックブルーＢ７  Ｃ．Ｉ．４２５９５複合体、モンモリロナイトベーシックブルーＢ９  Ｃ．Ｉ．５２０１５複合体、モンモリロナイトベーシックバイオレットＶ３  Ｃ．Ｉ．４２５５５複合体、モンモリロナイトベーシックグリーンＧ１  Ｃ．Ｉ．４２０４０複合体、モンモリロナイトベーシックレッドＲ１  Ｃ．Ｉ．４５１６０複合体、モンモリロナイトＣ．Ｉ．ベーシックブラック２複合体、ヘクトライトベーシックブルーＢ７  Ｃ．Ｉ．４２５９５共役体、ヘクトライトベーシックブルーＢ９  Ｃ．Ｉ．５２０１５複合体、ヘクトライトベーシックバイオレットＶ３  Ｃ．Ｉ．４２５５５複合体、ヘクトライトベーシックグリーンＧ１  Ｃ．Ｉ．４２０４０複合体、ヘクトライトベーシックレッドＲ１  Ｃ．Ｉ．４５１６０複合体、ヘクトライトＣ．Ｉ．ベーシックブラック２複合体、サポナイトベーシックブルーＢ７  Ｃ．Ｉ．４２５９５複合体、サポナイトベーシックブルーＢ９  Ｃ．Ｉ．５２０１５複合体、サポナイトベーシックバイオレットＶ３  Ｃ．Ｉ．４２５５５複合体、サポナイトベーシックグリーンＧ１  Ｃ．Ｉ．４２０４０複合体、サポナイトベーシックレッドＲ１  Ｃ．Ｉ．４５１６０複合体、サポナイトＣ．Ｉ．ベーシックブラック２複合体、及びこれらの混合物からなる群から選択される染料粘土複合体が挙げられる。
【０２３８】
好適な顔料としては、フラバントロン、インダントロン、１〜４個の塩素原子を含む塩素化インダントロン、ピラントロン、ジクロロピラントロン、モノブロモジクロロピラントロン、ジブロモジクロロピラントロン、テトラブロモピラントロン、ペリレン−３，４，９，１０−テトラカルボン酸ジイミド（そのイミド基は、非置換であっても、Ｃ１〜Ｃ３−アルキル基又はフェニル基又は複素環式基によって置換されていてもよく、そのフェニル基及び複素環式基は、水溶性を付与しない置換基を更に有してもよい）、アントラピリミジンカルボン酸アミド、ビオラントロン、イソビオラントロン、ジオキサジン顔料、１分子当たり最大２個の塩素原子を含んでよい銅フタロシアニン、１分子当たり最大１４個の臭素原子を含むポリクロロ−銅フタロシアニン又はポリブロモクロロ−銅フタロシアニン、並びにこれらの混合物からなる群から選択される顔料が挙げられる。
【０２３９】
別の態様では、好適な顔料としては、ウルトラマリンブルー（Ｃ．Ｉ．ピグメントブルー２９）、ウルトラマリンバイオレット（Ｃ．Ｉ．ピグメントバイオレット１５）、及びこれらの混合物からなる群から選択される顔料が挙げられる。
【０２４０】
上記の布地色調剤は、組み合わせて用いることができる（布地色調剤のいずれの混合物も用いることができる）。
【０２４１】
香料−好適な補助香料原料としては、下記の表２に列挙される香料原料が挙げられる。そのような補助香料原料は、本明細書に開示したシリコーン化合物に加えて使用することができる。例えば、そのような補助香料原料は、ニート香料の一部又は全部を配合するのに使用することができる。
【０２４２】
【表２−１】
2018199824.tif 000047
【０２４３】
【表２−２】
2018199824.tif 000048
【０２４４】
【表２−３】
2018199824.tif 000049
【０２４５】
【表２−４】
2018199824.tif 000050
【０２４６】
追加の香料送達技術−消費者製品は、香料成分が、処理された基材に付着し、基材から放出されるのを安定化し向上させる１つ又は２つ以上の香料送達技術を含んでもよい。このような香料送達技術を使用し、処理された基材から香料が放出する寿命を長くすることもできる。香料送達技術、特定の香料送達技術を製造する方法、及びこの種の香料送達技術の使用は、米国特許出願公開第２００７／０２７５８６６（Ａ１）号に開示されている。
【０２４７】
一態様では、液体布地強化剤組成物は、約０．００１重量％〜約２０重量％、又は約０．０１重量％〜約１０重量％、又は約０．０５重量％〜約５重量％、又は更には約０．１重量％〜約０．５重量％の香料送達技術を含んでよい。一態様において、該香料送達技術は、香料マイクロカプセル、プロ香料、ポリマー粒子、官能基化されたシリコーン、ポリマー支援型送達、分子支援型送達、繊維支援型送達、アミン支援型送達、シクロデキストリン、デンプンに包まれたアコード（accord）、ゼオライト及び無機キャリア、並びにこれらの混合物からなる群から選択され得る。
【０２４８】
一態様において、該香料送達技術は、有益剤を壁材料で少なくとも部分的に包み込むことによって形成されるマイクロカプセルを含んでもよい。該有益剤としては、３−（４−ｔ−ブチルフェニル）−２−メチルプロパナール、３−（４−ｔ−ブチルフェニル）−プロパナール、３−（４−イソプロピルフェニル）−２−メチルプロパナール、３−（３，４−メチレンジオキシフェニル）−２−メチルプロパナール、及び２，６−ジメチル−５−ヘプテナール、α−ダマスコン、β−ダマスコン、δ−ダマスコン、β−ダマセノン、６，７−ジヒドロ−１，１，２，３，３−ペンタメチル−４（５Ｈ）−インダノン、メチル−７，３−ジヒドロ−２Ｈ−１，５−ベンゾジオキセピン−３−オン、２−［２−（４−メチル−３−シクロヘキセニル−１−イル）プロピル］シクロペンタン−２−オン、２−ｓｅｃ−ブチルシクロヘキサノン、及びβ−ジヒドロイオノン、リナロール、エチルリナロール、テトラヒドロリナロール、及びジヒドロミルセノールなどの香料；シリコーンオイル、ポリエチレンワックスのようなワックス；魚油、ジャスミン、カンファー、ラベンダーのような精油；メントールのような皮膚冷却剤、乳酸メチル；ビタミンＡ及びＥのようなビタミン類；日焼け止め剤；グリセリン；マンガン触媒又は漂白剤触媒のような触媒；過ホウ酸塩のような漂白剤粒子；シリコンジオキシド粒子；制汗剤活性物質；カチオン性ポリマー、並びにこれらの混合物からなる群から選択される材料が挙げられ得る。好適な有益剤は、Ｇｉｖａｕｄａｎ  Ｃｏｒｐ（Ｍｏｕｎｔ  Ｏｌｉｖｅ，Ｎｅｗ  Ｊｅｒｓｅｙ，ＵＳＡ）、Ｉｎｔｅｒｎａｔｉｏｎａｌ  Ｆｌａｖｏｒｓ  ＆  Ｆｒａｇｒａｎｃｅｓ  Ｃｏｒｐ．（Ｓｏｕｔｈ  Ｂｒｕｎｓｗｉｃｋ，Ｎｅｗ  Ｊｅｒｓｅｙ，ＵＳＡ）、又はＱｕｅｓｔ  Ｃｏｒｐ．（Ｎａａｒｄｅｎ，Ｎｅｔｈｅｒｌａｎｄ）から入手することができる。一態様では、マイクロカプセル壁材料は、メラミン、ポリアクリルアミド、シリコーン、シリカ、ポリスチレン、ポリ尿素、ポリウレタン、ポリアクリレート系材料、ポリアクリル酸エステル系材料、ゼラチン、スチレンリンゴ酸無水物、ポリアミド、芳香族アルコール、ポリビニルアルコール、及びこれらの混合物を含んでもよい。一態様では、該メラミン壁材料は、ホルムアルデヒドで架橋したメラミン、ホルムアルデヒドで架橋したメラミン−ジメトキシエタノール、及びこれらの混合物を含んでいてもよい。一態様では、該ポリスチレン壁材料は、ジビニルベンゼンで架橋したポリスチレンを含んでいてもよい。一態様では、該ポリウレア壁材料は、ホルムアミドで架橋した尿素、グルタルアルデヒドで架橋した尿素、及びこれらの混合物を含んでいてもよい。一態様では、上記ポリアクリレート系壁材料は、メチルメタクリレート／ジメチルアミノメチルメタクリレートから形成されたポリアクリレート、アミンアクリレート及び／又はメタクリレート並びに強酸から形成されたポリアクリレート、カルボン酸アクリレート及び／又はメタクリレートモノマー並びに強塩基から形成されたポリアクリレート、アミンアクリレート及び／又はメタクリレートモノマー並びにカルボン酸アクリレート及び／又はカルボン酸メタクリレートモノマーから形成されたポリアクリレート、並びにこれらの混合物を含み得る。
【０２４９】
一態様では、上記ポリアクリル酸エステル系壁材料は、アクリル酸及び／又はメタクリル酸のアルキル及び／又はグリシジルエステルによって形成されたポリアクリル酸エステル、ヒドロキシ基及び／又はカルボキシ基及びアリルグルコンアミドを有するアクリル酸エステル及び／又はメタクリル酸エステルによって形成されたポリアクリル酸エステル、及びこれらの混合物を含んでもよい。
【０２５０】
一態様では、上記芳香族アルコール系壁材料は、アリールオキシアルカノール、アリールアルカノール、及びオリゴアルカノールアリールエーテルを含んでもよい。更に、少なくとも１つの遊離ヒドロキシ基を有する、特に好ましくは直接芳香族結合した少なくとも２つの遊離ヒドロキシ基を有する芳香族化合物を含んでもよく、特に少なくとも２つの遊離ヒドロキシ基が芳香族環に直接結合していることが好ましく、更に互いにメタ位にあると好ましい。芳香族アルコールが、フェノール、クレゾール（ｏ−、ｍ−、及びｐ−クレゾール）、ナフトール（α−及びβ−ナフトール）及びチモール、並びに、エチルフェノール、プロピルフェノール、フルオロフェノール、及びメトキシフェノールから選択されることが好ましい。
【０２５１】
一態様では、上記ポリ尿素壁材料は、ポリイソシアネートを含んでもよい。いくつかの実施形態では、該ポリイソシアネートは、フェニル、トルオイル、キシリル、ナフチル、又はジフェニル部分を含有する芳香族ポリイソシアネート（例えば、トルエンジイソシアネートのポリイソシアヌレート、トルエンジイソシアネートのトリメチロールプロパン付加物、又はキシリレンジイソシアネートのトリメチロールプロパン付加物）、脂肪族ポリイソシアネート（例えば、ヘキサメチレンジイソシアネートの三量体、イソホロンジイソシアネートの三量体、又はヘキサメチレンジイソシアネートのビウレット）、又はこれらの混合物（例えば、ヘキサメチレンジイソシアネートのビウレット及びキシリレンジイソシアネートのトリメチロールプロパン付加物の混合物）である。更に別の実施形態では、該ポリイソシアネートは架橋されていてもよく、ここで架橋剤はポリアミン（例えば、ジエチレントリアミン、ビス（３−アミノプロピル）アミン、ビス（ヘキサメチレン）トリアミン、トリス（２−アミノエチル）アミン、トリエチレンテトラミン、Ｎ，Ｎ’−ビス（３−アミノプロピル）−１，３−プロパンジアミン、テトラエチレンペンタミン、ペンタエチレンヘキサミン、分枝状ポリエチレンイミン、キトサン、ナイシン、ゼラチン、１，３−ジアミノグアニジン一塩酸塩、１，１−ジメチルビグアニド塩酸塩、又はグアニジン炭酸塩）である。
【０２５２】
一態様では、該ポリビニルアルコール系壁材料は、架橋された、疎水的に改質されたポリビニルアルコールを含んでもよく、このポリビニルアルコールは、ｉ）２，０００〜５０，０００Ｄａの分子量を有する第１デキストランアルデヒドと、ｉｉ）５０，０００超〜２，０００，０００Ｄａの分子量を有する第２デキストランアルデヒドと、を含む架橋剤を含む。
【０２５３】
一態様では、香料マイクロカプセルは、堆積助剤、カチオン性ポリマー、非イオン性ポリマー、アニオン性ポリマー、又はこれらの混合物でコーティングされていてもよい。好適なポリマーは、ポリビニルホルムアルデヒド、部分ヒドロキシル化ポリビニルホルムアルデヒド、ポリビニルアミン、ポリエチレンイミン、エトキシル化ポリエチレンイミン、ポリビニルアルコール、ポリアクリレート、及びこれらの組み合わせからなる群から選択され得る。好適な付着助剤については既に述べたが、「付着助剤」と題した項でも述べる。一態様において、マイクロカプセルは、香料マイクロカプセルであってもよい。一態様では、１以上の種類のマイクロカプセル、例えば２種類のマイクロカプセルであって、一方が（ａ）他方とは異なる壁材料からなる壁を有する；（ｂ）他方とは異なる量の壁材料又はモノマーを含む壁を有する；（ｃ）他方とは異なる量の香油原料を含有する；又は（ｄ）異なる香油を含有する、といったものを使用してもよい。
【０２５４】
一態様において、該香料送達技術は、アミン化合物（ＡＲＰ）又はチオ化合物を含んでいてもよい。アミン及び／又はチオ官能基が、１つ以上のＰＲＭと予備反応して、化合物を形成する、「反応性」のポリマー性アミン及び／又はポリマー性チオを使用することもできる。典型的には、反応性アミンは、一級及び／又は二級アミンであり、ポリマーの一部であってもモノマー（非ポリマー）であってもよい。また、このようなＡＲＰは、付加的なＰＲＭと混合されてポリマー支援型送達効果及び／又はアミン支援型送達効果を提供することもできる。ポリマー性アミンの非限定例としては、ポリエチレンイミン（ＰＥＩ）などのポリアルキルイミン、又はポリビニルアミン（ＰＶＡｍ）に基づくポリマーが挙げられる。モノマー（非ポリマー）アミンの非限定例としては、ヒドロキシルアミン（例えば、２−アミノエタノール）及びそのアルキル置換誘導体、並びに香料族アミン（例えば、アントラニレート）が挙げられる。ＡＲＰは、香料と予め混合しておいてもよく、リーブオン用途又はリンスオフ用途では別個に添加してもよい。別の態様において、例えば、酸素、リン又はセレンなどの窒素及び／又は硫黄以外のヘテロ原子を含有する材料をアミン化合物の代わりに使用することができる。更に別の態様では、前述の代替化合物をアミン化合物と併用してもよい。更なる別の態様では、１つの分子が、アミン部分と、代替ヘテロ原子部分（例えば、チオール、ホスフィン、及びセレノール）のうちの１つ以上とを含んでもよい。その効果としては、香料の送達が向上すること、並びに香料の放出制御が挙げられる。
【０２５５】
移染防止剤
布地清浄組成物はまた、清浄工程中に、ある布地から別の布地に染料が移るのを阻止するのに有効な１種以上の物質を含んでもよい。一般に、このような移染防止剤としては、ポリビニルピロリドンポリマー、ポリアミンＮ−オキシドポリマー、Ｎ−ビニルピロリドン及びＮ−ビニルイミダゾールのコポリマー、マンガンフタロシアニン、ペルオキシダーゼ、及びこれらの混合物が挙げられ得る。使用する場合、これらの剤は、組成物の約０．０００１重量％〜約１０重量％、いくつかの例では、組成物の約０．０１重量％〜約５重量％、及び別の例では、組成物の約０．０５重量％〜約２重量％の濃度で使用され得る。
【０２５６】
キレート剤
本明細書に記載の洗浄組成物は、また、１つ以上の金属イオンのキレート剤を含有してもよい。好適な分子としては、銅、鉄、及び／又はマンガンキレート剤、並びにこれらの混合物が挙げられる。そのようなキレート剤は、ホスホネート、アミノカルボキシレート、アミノホスホネート、スクシネート、多官能置換された芳香族キレート剤、２−ピリジノール−Ｎーオキシド化合物、ヒドロキサム酸、カルボキシメチルイヌリン及びこれらの混合物からなる群から選択することができる。キレート剤は、アルカリ金属、アンモニウム、及びその置換アンモニウム塩、及びこれらの混合物を含む、酸又は塩の形で存在することができる。
【０２５７】
キレート剤として有用なアミノカルボキシレートとしては、エチレンジアミンテトラアセテート（ＥＤＴＡ）；Ｎ−（ヒドロキシエチル）エチレンジアミントリアセテート（ＨＥＤＴＡ）；ニトリロトリアセテート（ＮＴＡ）；エチレンジアミンテトラプロピオネート；トリエチレンテトラアミンヘキサアセテート、ジエチレントリアミン−ペンタアセテート（ＤＴＰＡ）；メチルグリシン二酢酸（ＭＧＤＡ）；グルタミン酸二酢酸（ＧＬＤＡ）；エタノールジグリシン；トリエチレンテトラアミン六酢酸（ＴＴＨＡ）；Ｎ−ヒドロキシエチルイミノ二酢酸（ＨＥＩＤＡ）；ジヒドロキシエチルグリシン（ＤＨＥＧ）；エチレンジアミンテトラプロピオン酸（ＥＤＴＰ）及びこれらの誘導体が挙げられるが、これらに限定されない。
【０２５８】
リン含有キレート化剤としては、以下に限定されないが、ジエチレントリアミンペンタ（メチレンホスホン酸）（ＤＴＰＭＰ  ＣＡＳ  １５８２７−６０−８）；エチレンジアミンテトラ（メチレンホスホン酸）（ＥＤＴＭＰ  ＣＡＳ  １４２９−５０−１）；２−ホスホノブタン１，２，４−トリカルボン酸（Ｂａｙｈｉｂｉｔ（登録商標）ＡＭ）；ヘキサメチレンジアミンテトラ（メチレンホスホン酸）（ＣＡＳ  ５６７４４−４７−９）；ヒドロキシ−エタンジホスホン酸（ＨＥＤＰ  ＣＡＳ  ２８０９−２１−４）；ヒドロキシエタンジメチレンホスホン酸；２−ホスホノ−１，２，４−ブタントリカルボン酸（ＣＡＳ  ３７９７１−３６−１）；２−ヒドロキシ−２−ホスホノ−酢酸（ＣＡＳ  ２３７８３−２６−８）；アミノトリ（メチレンホスホン酸）（ＡＴＭＰ  ＣＡＳ  ６４１９−１９−８）；Ｐ，Ｐ’−（１，２−エタンジイル）ビス−ホスホン酸（ＣＡＳ  ６１４５−３１−９）；Ｐ，Ｐ’−メチレンビス−ホスホン酸（ＣＡＳ  １９８４−１５−２）；トリエチレンジアミンテトラ（メチレンホスホン酸）（ＣＡＳ  ２８４４４−５２−２）；Ｐ−（１−ヒドロキシ−１−メチルエチル）−ホスホン酸（ＣＡＳ  ４１６７−１０−６）；ビス（ヘキサメチレントリアミンペンタ（メチレンホスホン酸））（ＣＡＳ  ３４６９０−００−１）；Ｎ２，Ｎ２，Ｎ６，Ｎ６−テトラキス（ホスホノメチル）−リシン（ＣＡＳ  １９４９３３−５６−７、ＣＡＳ  １７２７８０−０３−９）、それらの塩、及びそれらの混合物が挙げられる。好ましくは、これらのアミノホスホネートは、約６個を超える炭素原子を有するアルキル又はアルケニル基を含有しない。
【０２５９】
本明細書でやはり使用することができる生分解性キレート化剤は、エチレンジアミンジスクシネート（「ＥＤＤＳ」）である。いくつかの例では、［Ｓ，Ｓ］異性体であるが、当然ながらこの特定の例に限定されない。別の例では、ＥＤＤＡの三ナトリウム塩を使用できるが、マグネシウム塩などの他の形態も有用となり得る。ＢＡＳＦからのＴｒｉｌｏｎＰ（登録商標）などのポリマーキレート化剤も有用となり得る。
【０２６０】
多官能性置換芳香族キレート剤も、清浄組成物において使用することができる。酸形態のこのタイプの化合物は、Ｔｒｉｏｎとしても知られている１，２−ジヒドロキシ−３，５−ジスルホベンゼンなどのジヒドロキシジスルホベンゼンである。他のスルホン酸化カテコールも使用されてもよい。二スルホン酸に加えて、用語「ｔｒｉｏｎ」はまた、例えば、スルホン酸二ナトリウム塩などの、一又は二スルホン酸塩を含むことができ、これらの塩は、同じコア分子構造を二スルホン酸と共有する。
【０２６１】
本発明による洗剤組成物は、キレート剤として置換又は非置換の２−ピリジノール−Ｎ−オキシド化合物、又はその塩を含有することができる。この化合物の互変異性体、例えば１−ヒドロキシ−２（１Ｈ）−ピリジノンは、キレート剤として本発明の範囲内に含まれる。特定の態様では、洗剤組成物は、以下からなる群から選択される２−ピリジノール−Ｎ−オキシド化合物を含む：２−ヒドロキシピリジン−１−オキシド；３−ピリジンカルボン酸、２−ヒドロキシ−、１−オキシド；６−ヒドロキシ−３−ピリジンカルボン酸、１−オキシド；２−ヒドロキシ−４−ピリジンカルボン酸、１−オキシド；２−ピリジンカルボン酸、６−ヒドロキシ−、１−オキシド；６−ヒドロキシ−３−ピリジンスルホン酸、１−オキシド；及びこれらの混合物。特定の態様では、洗剤組成物は、以下からなる群から選択される１−ヒドロキシ−２（１Ｈ）−ピリジノン化合物を含む：１−ヒドロキシ−２（１Ｈ）−ピリジノン（ＣＡＳ  ８２２−８９−９）；１，６−ジヒドロ−１−ヒドロキシ−６−オキソ−３−ピリジンカルボン酸（ＣＡＳ  ６７７７６３−１８−７）；１，２−ジヒドロ−１−ヒドロキシ−２−オキソ−４−ピリジンカルボン酸（ＣＡＳ  １１９７３６−２２−０）；１，６−ジヒドロ−１−ヒドロキシ−６−オキソ−２−ピリジンカルボン酸（ＣＡＳ  ９４７８１−８９−２）；１−ヒドロキシ−４−メチル−６−（２，４，４−トリメチルペンチル）−２（１Ｈ）−ピロリドン（ＣＡＳ  ５０６５０−７６−５）；６−（シクロヘキシルメチル）−１−ヒドロキシ−４−メチル−２（１Ｈ）−ピロリドン（ＣＡＳ  ２９３４２−１０−７）；１−ヒドロキシ−４，６−ジメチル−２（１Ｈ）−ピリジノン（ＣＡＳ２９３４２−０２−７）；１−ヒドロキシ−４−メチル−６−（２，４，４−トリメチルペンチル）−２−ピリドンモノエタノールアミン（ＣＡＳ６８８９０−６６−４）；１−ヒドロキシ−６−（オクチルオキシ）−２（１Ｈ）−ピリジノン（ＣＡＳ１６２９１２−６４−３）；１−ヒドロキシ−４−メチル−６−シクロヘキシル−２−ピリジノンエタノールアミン塩（ＣＡＳ  ４１６２１−４９−２）；１−ヒドロキシ−４−メチル−６−シクロヘキシル−２−ピリジノン（ＣＡＳ  ２９３４２−０５−０）；６−エトキシ−１，２−ジヒドロ−１−ヒドロキシ−２−オキソ−４−ピリジンカルボン酸、メチルエステル（ＣＡＳ  ３６９７９−７８−９）；１−ヒドロキシ−５−ニトロ−２（１Ｈ）−ピリジノン（ＣＡＳ  ４５９３９−７０−６）；並びにこれらの混合物。これらの化合物は、例えばＳｉｇｍａ−Ａｌｄｒｉｃｈ（Ｓｔ．Ｌｏｕｉｓ，ＭＯ）、Ｐｒｉｎｃｅｔｏｎ  Ｂｕｉｌｄｉｎｇ  Ｂｌｏｃｋｓ（Ｍｏｎｍｏｕｔｈ  Ｊｕｎｃｔｉｏｎ，ＮＪ）、３Ｂ  Ｓｃｉｅｎｔｉｆｉｃ  Ｃｏｒｐｏｒａｔｉｏｎ（Ｌｉｂｅｒｔｙｖｉｌｌｅ，ＩＬ）、ＳｙｎＦｉｎｅ  Ｒｅｓｅａｒｃｈ（Ｒｉｃｈｍｏｎｄ  Ｈｉｌｌ，ＯＮ）、Ｒｙａｎ  Ｓｃｉｅｎｔｉｆｉｃ，Ｉｎｃ．（Ｍｔ．Ｐｌｅａｓａｎｔ，ＳＣ）、及び／又はＡｃｅｓ  Ｐｈａｒｍａ（Ｂｒａｎｆｏｒｄ，ＣＴ）から市販されている。
【０２６２】
ヒドロキサム酸は、ヒドロキシルアミンがカルボン酸に挿入されて、キレート剤として使用される化学化合物のクラスである。ヒドロキサム酸の一般的な構造は、下記の通りである。
【０２６３】
【化４０】
2018199824.tif 000051
【０２６４】
好ましいヒドロキサメートは、Ｒ１がＣ４〜Ｃ１４アルキル、好ましくはノルマルアルキル、最も好ましくは飽和であるもの、その塩及びそれらの混合物である。Ｃ８物質を使用する場合、それはオクチルヒドロキサム酸と呼ばれる。
【０２６５】
本明細書での使用に好適なキレート剤は、市販のＤＥＱＵＥＳＴシリーズ、及びＭｏｎｓａｎｔｏ，Ａｋｚｏ−Ｎｏｂｅｌ，ＤｕＰｏｎｔ，Ｄｏｗのキレート剤、ＢＡＳＦ及びＮａｌｃｏのＴｒｉｌｏｎ（登録商標）シリーズである。
【０２６６】
キレート剤は、本開示の洗剤組成物の約０．００５重量％〜約１５重量％、約０．０１重量％〜約５重量％、約０．１重量％〜約３．０重量％、約０．２重量％〜約０．７重量％、又は約０．３重量％〜約０．６重量％で、本開示の洗剤組成物中に存在してよい。
【０２６７】
衛生及び悪臭
本発明の組成物はまた、リシノール酸亜鉛、チモール、Ｂａｒｄａｃ（登録商標）などの四級アンモニウム塩、ポリエチレンイミン（ＢＡＳＦのＬｕｐａｓｏｌ（登録商標）など）、及びその亜鉛錯体、銀及び銀化合物、特に、Ａｇ＋又はナノ銀分散体をゆっくり遊離するように設計されているもののうちの１つ以上も含み得る。
【０２６８】
充填剤及び担体
本明細書において記載されている清浄組成物に、充填剤及び担体を用いてもよい。本明細書において使用する場合、用語「充填剤」及び「担体」は、同じ意味を有し、互換的に使用できる。
【０２６９】
液体清浄組成物、及び液体構成成分を含む他の形態の清浄組成物（液体含有単位分量の清浄組成物など）は、水及び他の溶媒を充填剤又は担体として含んでもよい。好適な溶剤としては、シロキサン、他のシリコーン、炭化水素、グリコールエーテル、グリセリンエーテルなどのグリセリン誘導体、ペルフッ素化アミン、ペルフッ素化及びヒドロフルオロエーテル溶剤、低揮発性非フッ素化有機溶剤、ジオール溶剤、及びこれらの混合物を含む、親油性流体も挙げられる。
【０２７０】
メタノール、エタノール、プロパノール、及びイソプロパノールに代表される低分子量の一級又は二級アルコールが好適である。いくつかの例では、一価アルコールは、界面活性剤を可溶化するために使用されてもよく、２〜約６個の炭素原子と２〜約６個のヒドロキシ基を含有するものなどのポリオール（例えば、１，３−プロパンジオール、エチレングリコール、グリセリン、及び１，２−プロパンジオール）もまた使用され得る。モノエタノールアミン、ジエタノールアミン、及びトリエタノールアミンなどのアミン含有溶剤も使用されてもよい。
【０２７１】
清浄組成物は、該組成物の重量基準で、約５％〜約９０％、及びいくつかの例では、約１０％〜約５０％のこうした担体を含有してもよい。コンパクト又はスーパーコンパクト強力液体又は他の形態の清浄組成物では、水の使用は、該組成物の約４０重量％未満、又は約２０重量％未満、又は約５重量％未満、又は約４重量％未満、又は約３重量％未満、又は約２重量％未満の遊離水とすることができ、又は遊離水が実質的に不含（すなわち、無水）とすることができる。
【０２７２】
粉末又は棒状の清浄組成物、又は固体若しくは粉末構成成分を含む形態（粉末含有単位用量の清浄組成物など）の場合、好適な充填剤としては、以下に限定されないが、硫酸ナトリウム、塩化ナトリウム、粘土、又は他の不活性固体成分が挙げられる。充填剤は、また、バイオマス又は脱色バイオマスを含み得る。顆粒、棒状、又は他の固体清浄組成物中の充填剤は、清浄組成物の約８０重量％未満、及びいくつかの例では、清浄組成物の約５０重量％未満を構成する。コンパクト又はスーパーコンパクト粉末又は固体清浄組成物は、清浄組成物の重量で約４０％未満、又は約２０％未満、又は約１０％未満の充填剤を含んでもよい。
【０２７３】
コンパクト又はスーパーコンパクト液体又は粉末の清浄組成物、又は他の形態のいずれかの場合、製品中の液体又は固体充填剤のレベルが低減されて、コンパクト化されていない清浄組成物と比べて、同量の活性化学物質が洗浄液に送達され得るか、又はいくつかの例では、清浄組成物が一層効率的となり、コンパクト化されていない組成物と比べて、より少量の活性化学物質が洗浄液に送達される。例えば、洗浄液は、洗浄液中の清浄組成物の濃度が０ｇ／Ｌ〜約６ｇ／Ｌ超となるような量で、清浄組成物を水に接触させることにより形成することができる。いくつかの例では、濃度は、約０．５〜約５ｇ／Ｌ、０．５〜約３．０ｇ／Ｌ、０．５〜約２．５ｇ／Ｌ、０．５〜約２．０ｇ／Ｌ、若しくは０．５〜約１．５ｇ／Ｌ、又は約０ｇ／Ｌ〜約１．０ｇ／Ｌ、若しくは約０ｇ／Ｌ〜約０．５ｇ／Ｌであり得る。これらの投与量は限定を意図するものではなく、その他の投与量を使用することもできることは当業者には明白である。
【０２７４】
緩衝系
本明細書において記載されている清浄組成物は、水性清浄操作において使用する間、洗浄水が約７．０〜約１２の間、及びいくつかの例では約７．０〜１１の間のｐＨを有するように配合され得る。推奨される使用レベルでｐＨを調整する技術としては、緩衝剤、アルカリ、酸などの使用が挙げられ、これらは当業者には周知である。これらの技術としては、炭酸ナトリウム、クエン酸、若しくはクエン酸ナトリウム、乳酸若しくは乳酸塩、モノエタノールアミン若しくは他のアミン、ホウ酸若しくはホウ酸塩、及び当該技術分野において既知の他のｐＨ調整化合物の使用が挙げられるが、これらに限定されない。
【０２７５】
本明細書における清浄組成物は、動的なインウオッシュｐＨプロファイルを含んでもよい。このような清浄組成物は、（ｉ）水と接触した約３分後に、洗浄液のｐＨが１０を超える；（ｉｉ）水と接触した約１０分後に、洗浄液のｐＨが９．５未満である；（ｉｉｉ）水と接触した約２０分間後に、洗浄液のｐＨが９．０未満である；及び（ｉｖ）場合により、洗浄液の平衡ｐＨが、約７．０〜約８．５の範囲である、ように、ワックスで覆われたクエン酸粒子を他のｐＨ調整剤と共に使用してもよい。
【０２７６】
ＵＶ吸収剤−本発明の特定の消費者製品の実施形態では、本発明の光感応性封入体は、好適なＵＶ吸収成分を該組成物に配合することによって、保管中に十分な波長の光に暴露することにより早期放出に対して安定化することができる。任意の好適なＵＶ吸収組成物を使用することができるが、組成物に不快な色及び匂いを付与せず、かつ製品のレオロジーに悪影響を及ぼさないものが特に好ましい。ＵＶ吸収成分の非限定例には、アボベンゾン、シノキセート、エカムシュル（ecamsule）、アントラニル酸メンチル、メトキシケイ皮酸オクチル、サリチル酸オクチル、オキシベンゾン、スリソベンゾン、及びこれらの組合せが挙げられる。本出願人らは、驚くべきことに、本発明の封入体の光活性化性能が、こうしたＵＶ吸収成分の使用により損なわれないことを見出した。理論により拘束されることを望むものではいが、多数の消費者製品の用途、例えば洗濯用洗剤、シャンプー及びボディーウオシュを含めた清浄組成物では、ＵＶ吸収成分は排水に洗い流される一方、本発明の封入体は、対象の表面に有効量で残留し、該封入体は、その後の十分な波長の光に対して暴露した際に、それらの内容物を放出することができると考えられる。他の清浄組成物又はリーブオン型（leave-on）消費者製品、例えば、用清浄組成物、カーテン及び室内装飾用消臭剤、ボディーローション、並びにヘアスタイリング製品では、ＵＶ吸収成分は、施用後に乾燥して薄膜となり、これにより、本発明の封入体は頂部に留まるか、又は該薄膜上に広がることが可能となる。これにより、有効な量の所望の波長の光が封入体に到達し、有益剤の放出を行うことが可能になる。
【実施例】
【０２７７】
本発明の特定の実施形態を例示及び説明してきたが、本発明の趣旨及び範囲から逸脱せずに、他の様々な変更及び修正を行うことができることは当業者には明白であろう。したがって、本発明の範囲内に含まれるそのような全ての変更及び修正は、添付の特許請求の範囲にて網羅することを意図したものである。
【０２７８】
（実施例１）
アミノメトキシ官能性ポリジメチルシロキサン、ＯＦＸ−０５３６流体（１００ｇ；Ｄｏｗ  Ｃｏｒｎｉｎｇ  Ｃｏｒｐｏｒａｔｉｏｎ，Ｍｉｄｌａｎｄ，ＭＩ製のＸｉａｍｅｔｅｒから入手可能）を、アルコール、ゲラニオール（４０．５８ｇ；Ｓｉｇｍａ−Ａｌｄｒｉｃｈ，Ｓｔ．Ｌｏｕｉｓ、ＭＯから入手可能）、及びナトリウムメトキシド（２．０３ｇ、メタノール中２５％；Ｓｉｇｍａ−Ａｌｄｒｉｃｈ，Ｓｔ．Ｌｏｕｉｓ，ＭＯから入手可能）と組み合わせる。この混合物を、アルゴンスイープ及び撹拌しながら１２５℃で１６時間加熱する。アルコキシ化合物を遠心分離機にかけ、透明液体としてデカントし、プロトンＮＭＲにより分析する。Ｘ−Ｚ部分は、
【０２７９】
【化４１】
2018199824.tif 000052
である。
【０２８０】
（実施例２）
アミノメトキシ官能性ポリジメチルシロキサン、ＯＦＸ−０５３６流体（３０ｇ；Ｄｏｗ  Ｃｏｒｎｉｎｇ  Ｃｏｒｐｏｒａｔｉｏｎ，Ｍｉｄｌａｎｄ，ＭＩ製のＸｉａｍｅｔｅｒからから入手可能）を、アルコール、メントール（１２．３３ｇ；Ｓｙｍｒｉｓｅ，Ｈｏｌｚｍｉｎｄｅｎ，Ｇｅｒｍａｎｙから入手可能）、及びナトリウムメトキシド（１．００ｇ、メタノール中２５％；Ｓｉｇｍａ−Ａｌｄｒｉｃｈ，Ｓｔ．Ｌｏｕｉｓ，ＭＯから入手可能）と組み合わせる。この混合物を、アルゴンスイープ及び撹拌しながら１２５℃で７２時間加熱する。アルコキシ化合物を遠心分離機にかけ、透明液体としてデカントし、プロトンＮＭＲにより分析する。Ｘ−Ｚ部分は、
【０２８１】
【化４２】
2018199824.tif 000053
である。
【０２８２】
（実施例３）
アミノメトキシ官能性ポリジメチルシロキサン、ＯＦＸ−０５３６流体（５０ｇ；Ｄｏｗ  Ｃｏｒｎｉｎｇ  Ｃｏｒｐｏｒａｔｉｏｎ，Ｍｉｄｌａｎｄ，ＭＩ製のＸｉａｍｅｔｅｒからから入手可能）を、アルコール、（Ｅ，Ｚ）−２，６−ノナジエン−１−オール（１８．４５ｇ；Ｂｅｄｏｕｋｉａｎ  Ｒｅｓｅａｒｃｈ，Ｉｎｃ，Ｄａｎｂｕｒｙ，Ｃｏｎｎｅｃｔｉｃｕｔから入手可能）、及びナトリウムメトキシド（１．００ｇ、メタノール中２５％；Ｓｉｇｍａ−Ａｌｄｒｉｃｈ，Ｓｔ．Ｌｏｕｉｓ，ＭＯから入手可能）と組み合わせる。この混合物を、アルゴンスイープ及び撹拌しながら１２５℃で１６時間加熱する。アルコキシ化合物を遠心分離機にかけ、透明液体としてデカントし、プロトンＮＭＲにより分析する。Ｘ−Ｚ部分は、
【０２８３】
【化４３】
2018199824.tif 000054
である。
【０２８４】
（実施例４）
メトキシ官能性シラン、ジメトキシジメチルシラン（１７０ｇ；Ｇｅｌｅｓｔ，Ｍｏｒｒｉｓｖｉｌｌｅ，ＰＡから入手可能）を、アルコール、ゲラニオール（４６．４１ｇ；Ｓｉｇｍａ−Ａｌｄｒｉｃｈ，Ｓｔ．Ｌｏｕｉｓ，ＭＯから入手可能）、ナトリウムメトキシド（３．５０ｇ、メタノール中２５％；Ｓｉｇｍａ−Ａｌｄｒｉｃｈ，Ｓｔ．Ｌｏｕｉｓ，ＭＯから入手可能）及び水（４５．４９ｇ）と組み合わせる。この混合物を、アルゴンスイープ及び撹拌しながら６０℃で２時間加熱した後、１２５℃で１６時間加熱する。アルコキシ化合物を遠心分離機にかけ、透明液体としてデカントし、プロトンＮＭＲにより分析する。Ｘ−Ｚ部分は、
【０２８５】
【化４４】
2018199824.tif 000055
である。
【０２８６】
（実施例５）
メトキシ官能性シラン、ジメトキシジメチルシラン（１５０ｇ；Ｓｉｇｍａ−Ａｌｄｒｉｃｈ，Ｓｔ．Ｌｏｕｉｓ，ＭＯから入手可能）及びアミノメトキシ官能性シラン、３−アミノプロピル（ジエトキシ）メチルシラン（３０．５７ｇ；Ｓｉｇｍａ−Ａｌｄｒｉｃｈ，Ｓｔ．Ｌｏｕｉｓ，ＭＯから入手可能を、ゲラニオール、アルコール、（４９．２９ｇ；Ｓｉｇｍａ−Ａｌｄｒｉｃｈ，Ｓｔ．Ｌｏｕｉｓ，ＭＯから入手可能）、ナトリウムメトキシド（３．５０ｇ、メタノール中２５％；Ｓｉｇｍａ−Ａｌｄｒｉｃｈ，Ｓｔ．Ｌｏｕｉｓ，ＭＯから入手可能）及び水（４４．９２ｇ）と組み合わせる。この混合物を、アルゴンスイープ及び撹拌しながら６０℃で２時間加熱した後、１２５℃で１６時間加熱する。アルコキシ化合物を遠心分離機にかけ、透明液体としてデカントし、プロトンＮＭＲにより分析する。Ｘ−Ｚ部分は、
【０２８７】
【化４５】
2018199824.tif 000056
である。
【０２８８】
（実施例６）
アミノメトキシ官能性ポリジメチルシロキサン、ＯＦＸ−０５３６流体（２０ｇ；Ｄｏｗ  Ｃｏｒｎｉｎｇ  Ｃｏｒｐｏｒａｔｉｏｎ，Ｍｉｄｌａｎｄ，ＭＩ製のＸｉａｍｅｔｅｒから入手可能）を、アルコール、３，６−ノナジエン−１−オール（７．３８ｇ；Ｂｅｄｏｕｋｉａｎ  Ｒｅｓｅａｒｃｈ，Ｉｎｃ，Ｄａｎｂｕｒｙ，Ｃｏｎｎｅｃｔｉｃｕｔから入手可能）、及びナトリウムメトキシド（０．４１ｇ、メタノール中２５％；Ｓｉｇｍａ−Ａｌｄｒｉｃｈ，Ｓｔ．Ｌｏｕｉｓ，ＭＯから入手可能）と組み合わせる。この混合物を、アルゴンスイープ及び撹拌しながら１２５℃で１６時間加熱する。アルコキシ化合物を遠心分離機にかけ、透明液体としてデカントし、プロトンＮＭＲにより分析する。Ｘ−Ｚ部分は、
【０２８９】
【化４６】
2018199824.tif 000057
である。
【０２９０】
（実施例７）
アミノシリコーン、ＫＦ−３９３（３２００ｇ；Ａｍｅｒｉｃａ  Ｉｎｃ．，Ａｋｒｏｎ，ＯＨのＳｈｉｎ−Ｅｔｓｕ  Ｓｉｌｉｃｏｎｅｓから入手可能）を、下表の材料を含む香料アコード（perfume accord）（７５１．１９ｇ）：
【０２９１】
【表３】
2018199824.tif 000058
及びｐ−トルエンスルホン酸一水和物（４ｇ；Ｓｉｇｍａ−Ａｌｄｒｉｃｈ，Ｓｔ．Ｌｏｕｉｓ，ＭＯから入手可能）と組み合わせる。この混合物を、アルゴンスイープ及び撹拌しながら１２５℃で４時間加熱して、透明液体イミンを提供し、これをプロトンＮＭＲにより分析する。Ｘ−Ｚ部分は、以下のように様々である。
【０２９２】
（実施例８）
アミノシリコーン、ＫＦ−３９３（１００ｇ；Ａｍｅｒｉｃａ  Ｉｎｃ．，Ａｋｒｏｎ，ＯＨのＳｈｉｎ−Ｅｔｓｕ  Ｓｉｌｉｃｏｎｅｓから入手可能）を、アルデヒド、ピニルイソブチルアルデヒド、α（９．２７ｇ；ＩＦＦ，Ｎｅｗ  Ｙｏｒｋ，ＮＹから入手可能）と組み合わせる。この混合物を、アルゴンスイープ及び撹拌しながら１２５℃で４時間加熱して、透明液体イミンを提供し、これをプロトンＮＭＲにより分析する。Ｘ−Ｚ部分は、
【０２９３】
【化４７】
2018199824.tif 000059
である。
【０２９４】
（実施例９）
アミノシリコーン、ＫＦ−３９３（１００ｇ；Ａｍｅｒｉｃａ  Ｉｎｃ．，Ａｋｒｏｎ，ＯＨのＳｈｉｎ−Ｅｔｓｕ  Ｓｉｌｉｃｏｎｅｓから入手可能）を、アルデヒド、バニリン（１９．５６ｇ；Ｓｉｇｍａ−Ａｌｄｒｉｃｈ，Ｓｔ．Ｌｏｕｉｓ，ＭＯから入手可能）と組み合わせる。この混合物を、アルゴンスイープ及び撹拌しながら１２５℃で４時間加熱して、透明液体イミンを提供し、これをプロトンＮＭＲにより分析する。Ｘ−Ｚ部分は、
【０２９５】
【化４８】
2018199824.tif 000060
である。
【０２９６】
（実施例１０）
アミノシリコーン、ＫＦ−３９３（１００ｇ；Ａｍｅｒｉｃａ  Ｉｎｃ．，Ａｋｒｏｎ，ＯＨのＳｈｉｎ−Ｅｔｓｕ  Ｓｉｌｉｃｏｎｅｓから入手可能）を、アルデヒド、２−（４−ｔｅｒｔ−ブチルベンジル）プロピオンアルデヒド（２６．２７ｇ；Ｉｎｎｏｓｐｅｃ  ＬＴＤ，Ｅｎｇｌｅｗｏｏｄ，ＣＯから入手可能）と組み合わせる。この混合物を、アルゴンスイープ及び撹拌しながら１２５℃で４時間加熱して、透明液体イミンを提供し、これをプロトンＮＭＲにより分析する。Ｘ−Ｚ部分は、
【０２９７】
【化４９】
2018199824.tif 000061
である。
【０２９８】
（実施例１１）
アミノシリコーン、ＫＦ−３９３（１００ｇ；Ａｍｅｒｉｃａ  Ｉｎｃ．，Ａｋｒｏｎ，ＯＨのＳｈｉｎ−Ｅｔｓｕ  Ｓｉｌｉｃｏｎｅｓから入手可能）を、アルデヒド、イントレレベン（intreleven）アルデヒド（２１．６３ｇ；Ｇｉｖａｕｄａｎ，Ｖｅｒｎｉｅｒ，Ｓｗｉｔｚｅｒｌａｎｄから入手可能）と組み合わせる。この混合物を、アルゴンスイープ及び撹拌しながら１２５℃で４時間加熱して、透明液体イミンを提供し、これをプロトンＮＭＲにより分析する。Ｘ−Ｚ部分は、
【０２９９】
【化５０】
2018199824.tif 000062
である。
【０３００】
（実施例１２）
アミノシリコーン、Ｘ−２２−３９０８Ａ−Ｂａｓｅ（１００ｇ；Ａｍｅｒｉｃａ  Ｉｎｃ．，Ａｋｒｏｎ，ＯＨのＳｈｉｎ−Ｅｔｓｕ  Ｓｉｌｉｃｏｎｅｓから入手可能）を、アルデヒド、イントレレベン（intreleven）アルデヒド（７．５７ｇ；Ｇｉｖａｕｄａｎ，Ｖｅｒｎｉｅｒ，Ｓｗｉｔｚｅｒｌａｎｄから入手可能）と組み合わせる。この混合物を、アルゴンスイープ及び撹拌しながら１２５℃で４時間加熱して、透明液体イミンを提供し、これをプロトンＮＭＲにより分析する。Ｘ−Ｚ部分は、
【０３０１】
【化５１】
2018199824.tif 000063
である。
【０３０２】
（実施例１３）−シリコーン化合物を含有している製品の配合物の非限定例を、下表に要約する。
【０３０３】
【表４】
2018199824.tif 000064
＊残部
ａＮ，Ｎ−ジ（タローオイルオキシエチル）−Ｎ，Ｎ−ジメチルアンモニウムクロリド。
ｂメチルビス（タローアミドエチル）２−ヒドロキシエチルアンモニウムメチルサルフェート。
ｃ脂肪酸とメチルジエタノールアミンとのモル比１．５：１での化合物を塩化メチルで四級化して得られる、Ｎ，Ｎ−ビス（ステアロイル−オキシ−エチル）Ｎ，Ｎ−ジメチルアンモニウムクロリドとＮ−（ステアロイル−オキシ−エチル）Ｎ−ヒドロキシエチルＮ，Ｎジメチルアンモニウムクロリドとの１：１モル混合物。
ｄＮａｔｉｏｎａｌ  Ｓｔａｒｃｈから商品名ＣＡＴＯ（登録商標）で入手可能なカチオン性高アミローストウモロコシデンプン。
ｆ米国特許第５，５７４，１７９号、第１５段、１〜５行目に記載の式を有する、エチレンオキシドとテレフタレートとのコポリマーであって、式中、各Ｘはメチルであり、各ｎは４０であり、ｕは４であり、各Ｒ１は本質的に１，４−フェニレン部分であり、各Ｒ２は、本質的にエチレン、１，２−プロピレン部分、又はこれらの混合物である。
ｇＷａｃｋｅｒ製ＳＥ３９。
ｈジエチレントリアミン五酢酸
ｉＲｏｈｍ  ａｎｄ  Ｈａａｓ  Ｃｏ．から入手可能なＫＡＴＨＯＮ（登録商標）ＣＧ。「ＰＰＭ」は、「百万分の一」。
ｊグルタルアルデヒド（Gluteraldehyde）
ｋＤＣ２３１０の商品名でＤｏｗ  Ｃｏｒｎｉｎｇ  Ｃｏｒｐ．から入手可能なシリコーン消泡剤。
ｌＲｏｈｍ  ａｎｄ  Ｈａａｓから商品名Ａｃｕｌａｎ  ４４で入手可能な疎水変性エトキシル化ウレタン。
【０３０４】
（実施例１４）：ドライ洗濯配合におけるシリコーン化合物
【０３０５】
【表５】
2018199824.tif 000065
【０３０６】
（実施例１５）−シリコーン化合物を含む液体洗濯配合物（ＨＤＬ）
【０３０７】
【表６】
2018199824.tif 000066
【０３０８】
（実施例１６）
本発明によるシリコーン化合物及び／又はマイクロカプセルを含む自由流動性粒子製品の実施例。下の表はまた、遊離しているか又はマイクロカプセル中の香料も含む組合せ、あるいは悪臭低減物質及び／又は組成物を含む上述の組合せとこれらの組合せも例示する。この表はまた、本質的に「無香料」の製品を提供するために芳香剤を殆ど又は全く含まない、遊離しているか又はマイクロカプセル中の悪臭低減物質及び／又は組成物だけを有する組成物、並びにその組合せも例示する。
【０３０９】
【表７】
2018199824.tif 000067
【０３１０】
【表８】
2018199824.tif 000068
（１）ＰＥＧ
（２）粘土
（３）尿素
（４）多糖、大部分がデンプン、未加工デンプン、デンプン誘導体、酸加工デンプン及びκカラゲナン
（５）ゼオライト
（６）デンプン／ゼオライト−ＳＥＡ
（７）金属酸化物−非限定例−ＴｉＯ２、ＺｎＯ、ＭｎＯ
（８）金属触媒
（９）乳白剤
【０３１１】
本明細書に開示した寸法及び値は、記載された正確な数値に厳密に限定されるものと理解されるべきではない。むしろ、特に指定されないかぎり、こうした寸法はそれぞれ、列挙した値と、その値の周辺の機能的に等価な範囲との両方を意味することを意図している。例えば、「４０ｍｍ」として開示される寸法は、「約４０ｍｍ」を意味するものとする。
【０３１２】
「発明を実施するための形態」の中で引用された全ての文献は、関連部分において本明細書に参照により援用されている。いかなる文書の引用も、それが本発明に対する先行技術であることを認めるものとして解釈されるべきではない。本文献における用語のいずれかの意味又は定義が、参照により組み込まれた文献における同一の用語のいずれかの意味又は定義と相反する限りにおいては、本文献においてその用語に与えられた意味又は定義が優先するものとする。
【０３１３】
本発明の特定の実施形態を例示及び説明してきたが、本発明の趣旨及び範囲から逸脱せずに、他の様々な変更及び修正を行うことができることは当業者には明白であろう。したがって、本発明の範囲内に含まれるそのような全ての変更及び修正は、添付の特許請求の範囲にて網羅することを意図したものである。
【手続補正書】
【提出日】平成30年8月28日(2018.8.28)
【手続補正１】
【補正対象書類名】特許請求の範囲
【補正対象項目名】全文
【補正方法】変更
【補正の内容】
【特許請求の範囲】
【請求項１】
シリコーン部分及び有益剤部分を含むシリコーン化合物であって、好ましくは前記シリコーン化合物が下記の式を有する、シリコーン化合物であって、
［Ｒ１Ｒ２Ｒ３ＳｉＯ１／２］（ｊ＋２ｌ＋２）［Ｒ４Ｒ５ＳｉＯ２／２］ｍ［Ｒ６ＳｉＯ３／２］ｊ［ＳｉＯ４／２］ｌ
式中、
ａ）ｊは、０〜１５０の整数であり；
ｂ）ｍは、１〜１５００の整数であり；
ｃ）ｌは、０〜１５０の整数であるが；
但し、ｊ＋ｍ＋ｌは、１以上の整数に等しく、部分Ｒ１〜Ｒ６のうちの少なくとも１つ＝Ｘ−Ｚであることを条件とし；
ｄ）Ｒ１、Ｒ２、Ｒ３、Ｒ４、Ｒ５及びＲ６部分のそれぞれは、Ｈ、ＯＨ、Ｃ１〜Ｃ２アルキル、Ｃ１〜Ｃ２置換アルキル、Ｃ６〜Ｃ３２アリール、Ｃ５〜Ｃ３２置換アリール、Ｃ６〜Ｃ３２アルキルアリール、Ｃ１〜Ｃ２アルコキシ及びＣ１〜Ｃ２置換アルコキシ並びにＸ−Ｚからなる群から独立して選択され；
（ｉ）各Ｘは、独立して、酸素、又は２〜１２個の炭素原子を含む置換若しくは非置換二価アルキレンラジカルであり；
（ｉｉ）各Ｚは、Ｃ１〜Ｃ３２アルキル、Ｃ１〜Ｃ３２置換アルキル、Ｃ６〜Ｃ３２アリール、Ｃ６〜Ｃ３２置換アリール、Ｃ７〜Ｃ３２アルキルアリール、Ｃ７〜Ｃ３２置換アルキルアリールからなる群から独立して選択され；
前記有益部分が、ゲラニオール；メントール；（Ｅ，Ｚ）−２，６−ノナジエン−１−オール；３，６−ノナジエン−１−オール；２−メチル−４−［（１Ｒ）−２，２，３−トリメチル−３−シクロペンテン−１−イル］−（２Ｅ）−ブテン−１−オール；エチルトリメチルシクロペンテンブテノール；１−（４−プロパン−２−イルシクロヘキシル）エタノール；１−（２，２，６−トリメチルシクロヘキシル）ヘキサン−３−オール；（Ｚ）−３−メチル−５−（２，２，３−トリメチル−１−シクロペンタ−３−エニル）ペンタ−４−エン−２−オール：ウンデカベルトール；メチルジヒドロジャスモネート；（Ｅ，Ｚ）−２，６−ノナジエン−１−アール；カシュメラン；トリプラール；δダマスコン；α−ピニルイソブチルアルデヒド；バニリン；リリアール、イントレレベン（intreleven）アルデヒド；ヘキシルシンナミックアルデヒド；イソシクロシトラール；Ｌ−カルボン；イオノンγメチル；（Ｅ）−２−エチル−４−（２，２，３−トリメチル−１−シクロペンタ−３−エニル）ブタ−２−エン−１−オール；２−メチル−４−［（１Ｒ）−２，２，３−トリメチル−３−シクロペンテン−１−イル］−（２Ｅ）−ブテン−１−オール；メチルイオノン；α−ダマスコン；β−ダマスコン；３，７−ジメチル−６−オクテン−１−オール；（−）−シトロネロール；ロジノール；ゲラニオールアルコール；２−ヘキセン−１−オール，（Ｅ）；トランス−２−ヘキセン−１−オール；トランス−２−ヘキセノール；２−ヘキセノール；２−ヘキセン−１−オール，トランス−；（２Ｅ）−２−ヘキセン−１−オール；（Ｅ）−２−ヘキセノール；（Ｅ）−ヘキサ−２−エン−１−オール；（Ｅ）−ヘキサ−２−エノール；（Ｅ）−２−ヘキセン−１−オール；ヘキサ−２（Ｅ）−エノール；ｔ−２−ヘキセン−１−オール；２−（Ｅ）−ヘキセノール；ベンズアルデヒド；ベンゼンアセトアルデヒド；ベンゼンプロパナール，β−メチル−；５−ヘプテナール，２，６−ジメチル−；シクロヘキサノン，５−メチル−２−（１−メチルエチル）−，シス−；デカナール；シクロペンタノン，３−メチル−２−ペンチル−；ウンデセナール；シクロヘキサノン，２−（１−メチルプロピル）−；シクロペンタノン，２−ペンチル−；デカナール，２−メチル−；ベンゼンプロパナール，α−メチル−４−（１−メチルエチル）−；２−ドデセナール；ベンゼンプロパナール，β−メチル−３−（１−メチルエチル）−；ベンゼンプロパナール，２−エチル−α，α−ジメチル−；並びにこれらの混合物からなる群から選択される有益剤のフラグメントである、シリコーン化合物。
【請求項２】
少なくとも１つのＸ＝酸素である、請求項１に記載のシリコーン化合物。
【請求項３】
ａ）ｊが、０であり；
ｂ）ｌが、０であり；
ｃ）ｍが、２５０〜４００の整数である、請求項１または２に記載のシリコーン化合物。
【請求項４】
前記有益剤部分が、シリコーン、香料原料、防臭剤、臭い中和剤、悪臭、精油、エーテル、エステル、ケトン、アルコール、グリコール、シリコーン炭化水素、環式炭化水素、アルデヒド、テルピン、殺虫剤、防虫剤、農薬、抗菌剤、抗真菌剤、除草剤及びこれらの混合物からなる群から選択される有益剤のフラグメントである、請求項１〜３のいずれか一項に記載のシリコーン化合物。
【請求項５】
前記有益剤部分が、ビニルエーテル、ケトン、ヒドロキシル、アルデヒド、チオール、カルボキシル、シラノール、アルコキシ、アセトキシ及びこれらの混合物からなる群から選択される部分を含む有益剤のフラグメントである、請求項１〜４のいずれか一項に記載のシリコーン化合物。
【請求項６】
消費者製品であって、
ａ．）０．００１％〜１０％の、請求項１〜５のいずれか一項に記載のシリコーン化合物と；
ｂ．）消費者製品成分とを含む、消費者製品。
【請求項７】
部位の処理及び／又は清浄方法であって、
ａ．）前記部位を場合により洗浄及び／又はすすぐことと；
ｂ．）前記部位を請求項１〜５のいずれか一項に記載のシリコーン化合物及び／又は請求項６に記載の消費者製品と接触させることと；
ｃ．）前記部位を場合により洗浄及び／又はすすぐことと、
を含む、方法。
【請求項８】
請求項１〜５のいずれか一項に記載のシリコーン化合物及び／又は請求項６に記載の消費者製品で処理された部位。
【外国語明細書】
2018199824000001.pdf